(57)【要約】  式（１）の少なくとも１つの単位を含むポリマー、該ポリマーの製造方法、中間体ならびにこれらのポリマーを半導体材料として含む電子デバイスが開示される。
2017523281.tif 000002
【特許請求の範囲】
【請求項１】
式：
【化１】
2017523281.tif 000095
［式中、
Ｘ1、Ｘ2およびＸ3は、互いに独立して、Ｏ、ＳまたはＮＲ1であり、
Ａは、
【化２】
2017523281.tif 000096
からなる群から選択され、
Ｂは、
【化３】
2017523281.tif 000097
からなる群から選択され、
ここで、Ｘ4、Ｘ5およびＸ6は、互いに独立して、Ｏ、ＳまたはＮＲ1であり、
Ａ１、Ａ２、Ａ３、Ｂ１、Ｂ２、Ｂ３、Ｂ４、Ｂ５、Ｂ６またはＢ７は、１個〜３個の置換基Ｒ2で置換されていてよく、
Ｒ1は、それぞれの場合に、Ｈ、Ｃ1〜Ｃ100−アルキル、Ｃ2〜Ｃ100−アルケニル、Ｃ2〜Ｃ100−アルキニル、Ｃ5〜Ｃ12−シクロアルキル、Ｃ6〜Ｃ18−アリール、５員ないし２０員のヘテロアリール、Ｃ（Ｏ）−Ｃ1〜Ｃ100−アルキル、Ｃ（Ｏ）−Ｃ5〜Ｃ12−シクロアルキルおよびＣ（Ｏ）−ＯＣ1〜Ｃ100−アルキルからなる群から選択され、
ここで、Ｃ1〜Ｃ100−アルキル、Ｃ2〜Ｃ100−アルケニルおよびＣ2〜Ｃ100−アルキニルは、Ｃ5〜Ｃ8−シクロアルキル、Ｃ6〜Ｃ14−アリール、５員ないし１４員のヘテロアリール、ＯＲa、ＯＣ（Ｏ）−Ｒa、Ｃ（Ｏ）−ＯＲa、Ｃ（Ｏ）−Ｒa、ＮＲaＲb、ＮＲa−Ｃ（Ｏ）Ｒb、Ｃ（Ｏ）−ＮＲaＲb、Ｎ［Ｃ（Ｏ）Ｒa］［Ｃ（Ｏ）Ｒb］、ＳＲa、Ｓｉ（ＲSia）（ＲSib）（ＲSic）、−Ｏ−Ｓｉ（ＲSia）（ＲSib）（ＲSic）、ハロゲン、ＣＮおよびＮＯ2からなる群から独立して選択される１個〜４０個の置換基で置換されていてよく、かつＣ1〜Ｃ100−アルキル、Ｃ2〜Ｃ100−アルケニルおよびＣ2〜Ｃ100−アルキニルの少なくとも２個のＣＨ2基であるが隣接していないＣＨ2基は、ＯまたはＳによって置き換えられてよく、
Ｃ5〜Ｃ12−シクロアルキルは、Ｃ1〜Ｃ60−アルキル、Ｃ2〜Ｃ60−アルケニル、Ｃ2〜Ｃ60−アルキニル、Ｃ5〜Ｃ8−シクロアルキル、Ｃ6〜Ｃ14−アリール、５員ないし１４員のヘテロアリール、ＯＲa、ＯＣ（Ｏ）−Ｒa、Ｃ（Ｏ）−ＯＲa、Ｃ（Ｏ）−Ｒa、ＮＲaＲb、ＮＲa−Ｃ（Ｏ）Ｒb、Ｃ（Ｏ）−ＮＲaＲb、Ｎ［Ｃ（Ｏ）Ｒa］［Ｃ（Ｏ）Ｒb］、ＳＲa、Ｓｉ（ＲSia）（ＲSib）（ＲSic）、−Ｏ−Ｓｉ（ＲSia）（ＲSib）（ＲSic）、ハロゲン、ＣＮおよびＮＯ2からなる群から独立して選択される１個〜６個の置換基で置換されていてよく、かつＣ5〜Ｃ12−シクロアルキルの１個または２個のＣＨ2基であるが隣接していないＣＨ2基は、Ｏ、Ｓ、ＯＣ（Ｏ）、ＣＯ、ＮＲaまたはＮＲa−ＣＯによって置き換えられてよく、
Ｃ6〜Ｃ18−アリールおよび５員ないし２０員のヘテロアリールは、Ｃ1〜Ｃ60−アルキル、Ｃ2〜Ｃ60−アルケニル、Ｃ2〜Ｃ60−アルキニル、Ｃ5〜Ｃ8−シクロアルキル、Ｃ6〜Ｃ14−アリール、５員ないし１４員のヘテロアリール、ＯＲa、ＯＣ（Ｏ）−Ｒa、Ｃ（Ｏ）−ＯＲa、Ｃ（Ｏ）−Ｒa、ＮＲaＲb、ＮＲa−Ｃ（Ｏ）Ｒb、Ｃ（Ｏ）−ＮＲaＲb、Ｎ［Ｃ（Ｏ）Ｒa］［Ｃ（Ｏ）Ｒb］、ＳＲa、Ｓｉ（ＲSia）（ＲSib）（ＲSic）、−Ｏ−Ｓｉ（ＲSia）（ＲSib）（ＲSic）、ハロゲン、ＣＮおよびＮＯ2からなる群から独立して選択される１個〜６個の置換基で置換されていてよく、
ここで、ＲaおよびＲbは、独立して、Ｈ、Ｃ1〜Ｃ60−アルキル、Ｃ2〜Ｃ60−アルケニル、Ｃ2〜Ｃ60−アルキニル、Ｃ5〜Ｃ8−シクロアルキル、Ｃ6〜Ｃ14−アリールおよび５員ないし１４員のヘテロアリールからなる群から選択され、
ＲSia、ＲSibおよびＲSicは、独立して、Ｈ、Ｃ1〜Ｃ60−アルキル、Ｃ2〜Ｃ60−アルケニル、Ｃ2〜Ｃ60−アルキニル、Ｃ5〜Ｃ8−シクロアルキル、Ｃ6〜Ｃ14−アリール、５員ないし１４員のヘテロアリール、Ｏ−Ｃ1〜Ｃ60−アルキル、Ｏ−Ｃ2〜Ｃ60−アルケニル、Ｏ−Ｃ2〜Ｃ60−アルキニル、Ｏ−Ｃ5〜Ｃ8−シクロアルキル、Ｏ−Ｃ6〜Ｃ14−アリール、Ｏ−５員ないし１４員のヘテロアリール、−［Ｏ−ＳｉＲSidＲSie］o−ＲSif、ＮＲ5Ｒ6、ハロゲンおよびＯ−Ｃ（Ｏ）−Ｒ5からなる群から選択され、
ここで、ｏは、１から５０までの整数であり、
ＲSid、ＲSieおよびＲSifは、独立して、Ｈ、Ｃ1〜Ｃ60−アルキル、Ｃ2〜Ｃ60−アルケニル、Ｃ2〜Ｃ60−アルキニル、Ｃ5〜Ｃ8−シクロアルキル、Ｃ6〜Ｃ14−アリール、５員ないし１４員のヘテロアリール、Ｏ−Ｃ1〜Ｃ60−アルキル、Ｏ−Ｃ2〜Ｃ60−アルケニル、Ｏ−Ｃ2〜Ｃ60−アルキニル、Ｏ−Ｃ5〜Ｃ8−シクロアルキル、Ｏ−Ｃ6〜Ｃ14−アリール、Ｏ−５員ないし１４員のヘテロアリール、−［Ｏ−ＳｉＲSigＲSih］p−ＲSii、ＮＲ50Ｒ60、ハロゲンおよびＯ−Ｃ（Ｏ）−Ｒ50からなる群から選択され、
ここで、ｐは、１から５０までの整数であり、
ＲSig、ＲSihおよびＲSiiは、独立して、Ｈ、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリール、５員ないし１０員のヘテロアリール、Ｏ−Ｃ1〜Ｃ30−アルキル、Ｏ−Ｃ2〜Ｃ30−アルケニル、Ｏ−Ｃ2〜Ｃ30−アルキニル、Ｏ−Ｃ5〜Ｃ6−シクロアルキル、Ｏ−Ｃ6〜Ｃ10−アリール、Ｏ−５員ないし１０員のヘテロアリール、Ｏ−Ｓｉ（ＣＨ3）3、ＮＲ500Ｒ600、ハロゲンおよびＯ−Ｃ（Ｏ）−Ｒ500からなる群から選択され、
Ｒ5、Ｒ6、Ｒ50、Ｒ60、Ｒ500およびＲ600は、独立して、Ｈ、Ｃ1〜Ｃ60−アルキル、Ｃ2〜Ｃ60−アルケニル、Ｃ2〜Ｃ60−アルキニル、Ｃ5〜Ｃ8−シクロアルキル、Ｃ6〜Ｃ14−アリールおよび５員ないし１４員のヘテロアリールからなる群から選択され、
Ｃ1〜Ｃ60−アルキル、Ｃ2〜Ｃ60−アルケニルおよびＣ2〜Ｃ60−アルキニルは、Ｃ5〜Ｃ6−シクロアルキル、Ｃ6〜Ｃ10−アリール、ＯＲc、ＯＣ（Ｏ）−Ｒc、Ｃ（Ｏ）−ＯＲc、Ｃ（Ｏ）−Ｒc、ＮＲcＲd、ＮＲc−Ｃ（Ｏ）Ｒd、Ｃ（Ｏ）−ＮＲcＲd、Ｎ［Ｃ（Ｏ）Ｒc］［Ｃ（Ｏ）Ｒd］、ＳＲc、Ｓｉ（ＲSij）（ＲSik）（ＲSil）、−Ｏ−Ｓｉ（ＲSij）（ＲSik）（ＲSil）、ハロゲン、ＣＮおよびＮＯ2からなる群から選択される１個〜２０個の置換基で置換されていてよく、かつＣ1〜Ｃ60−アルキル、Ｃ2〜Ｃ60−アルケニルおよびＣ2〜Ｃ60−アルキニルの少なくとも２個のＣＨ2基であるが隣接していないＣＨ2基は、ＯまたはＳによって置き換えられてよく、
Ｃ5〜Ｃ8−シクロアルキルは、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリール、ＯＲc、ＯＣ（Ｏ）−Ｒc、Ｃ（Ｏ）−ＯＲc、Ｃ（Ｏ）−Ｒc、ＮＲcＲd、ＮＲc−Ｃ（Ｏ）Ｒd、Ｃ（Ｏ）−ＮＲcＲd、Ｎ［Ｃ（Ｏ）Ｒc］［Ｃ（Ｏ）Ｒd］、ＳＲc、Ｓｉ（ＲSij）（ＲSik）（ＲSil）、−Ｏ−Ｓｉ（ＲSij）（ＲSik）（ＲSil）、ハロゲン、ＣＮおよびＮＯ2からなる群から選択される１個〜５個の置換基で置換されていてよく、かつＣ5〜Ｃ8−シクロアルキルの１個または２個のＣＨ2基であるが隣接していないＣＨ2基は、Ｏ、Ｓ、ＯＣ（Ｏ）、ＣＯ、ＮＲcまたはＮＲc−ＣＯによって置き換えられてよく、
Ｃ6〜Ｃ14−アリールおよび５員ないし１４員のヘテロアリールは、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリール、ＯＲc、ＯＣ（Ｏ）−Ｒc、Ｃ（Ｏ）−ＯＲc、Ｃ（Ｏ）−Ｒc、ＮＲcＲd、ＮＲc−Ｃ（Ｏ）Ｒd、Ｃ（Ｏ）−ＮＲcＲd、Ｎ［Ｃ（Ｏ）Ｒc］［Ｃ（Ｏ）Ｒd］、ＳＲc、Ｓｉ（ＲSij）（ＲSik）（ＲSil）、−Ｏ−Ｓｉ（ＲSij）（ＲSik）（ＲSil）、ハロゲン、ＣＮおよびＮＯ2からなる群から独立して選択される１個〜５個の置換基で置換されていてよく、
ここで、ＲcおよびＲdは、独立して、Ｈ、Ｃ1〜Ｃ30−アルキル、Ｃ2〜Ｃ30−アルケニルおよびＣ2〜Ｃ30−アルキニルからなる群から選択され、
ＲSij、ＲSikおよびＲSilは、独立して、Ｈ、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリール、５員ないし１０員のヘテロアリール、Ｏ−Ｃ1〜Ｃ30−アルキル、Ｏ−Ｃ2〜Ｃ30−アルケニル、Ｏ−Ｃ2〜Ｃ30−アルキニル、Ｏ−Ｃ5〜Ｃ6−シクロアルキル、Ｏ−Ｃ6〜Ｃ10−アリール、Ｏ−５員ないし１０員のヘテロアリール、−［Ｏ−ＳｉＲSimＲSin］q−ＲSio、ＮＲ7Ｒ8、ハロゲンおよびＯ−Ｃ（Ｏ）−Ｒ7からなる群から選択され、
ここで、ｑは、１から５０までの整数であり、
ＲSim、ＲSinおよびＲSioは、独立して、Ｈ、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリール、５員ないし１０員のヘテロアリール、Ｏ−Ｃ1〜Ｃ30−アルキル、Ｏ−Ｃ2〜Ｃ30−アルケニル、Ｏ−Ｃ2〜Ｃ30−アルキニル、Ｏ−Ｃ5〜Ｃ6−シクロアルキル、Ｏ−Ｃ6〜Ｃ10−アリール、Ｏ−５員ないし１０員のヘテロアリール、−［Ｏ−ＳｉＲSipＲSiq］r−ＲSir、ＮＲ70Ｒ80、ハロゲンおよびＯ−Ｃ（Ｏ）−Ｒ70からなる群から選択され、
ここで、ｒは、１から５０までの整数であり、
ＲSip、ＲSiqおよびＲSirは、独立して、Ｈ、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリール、５員ないし１０員のヘテロアリール、Ｏ−Ｃ1〜Ｃ30−アルキル、Ｏ−Ｃ2〜Ｃ30−アルケニル、Ｏ−Ｃ2〜Ｃ30−アルキニル、Ｏ−Ｃ5〜Ｃ6−シクロアルキル、Ｏ−Ｃ6〜Ｃ10−アリール、Ｏ−５員ないし１０員のヘテロアリール、Ｏ−Ｓｉ（ＣＨ3）3、ＮＲ700Ｒ800、ハロゲンおよびＯ−Ｃ（Ｏ）−Ｒ700からなる群から選択され、
Ｒ7、Ｒ8、Ｒ70、Ｒ80、Ｒ700およびＲ800は、独立して、Ｈ、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリールおよび５員ないし１０員のヘテロアリールからなる群から選択され、
Ｃ1〜Ｃ30−アルキル、Ｃ2〜Ｃ30−アルケニルおよびＣ2〜Ｃ30−アルキニルは、ハロゲン、ＣＮおよびＮＯ2からなる群から選択される１個〜１０個の置換基で置換されていてよく、
Ｒ2は、それぞれの場合に、Ｃ1〜Ｃ30−アルキル、Ｃ2〜Ｃ30−アルケニル、Ｃ2〜Ｃ30−アルキニル、Ｃ5〜Ｃ12−シクロアルキル、Ｃ6〜Ｃ18−アリール、５員ないし２０員のヘテロアリール、ＯＲ21、ＯＣ（Ｏ）−Ｒ21、Ｃ（Ｏ）−ＯＲ21、Ｃ（Ｏ）−Ｒ21、ＮＲ21Ｒ22、ＮＲ21−Ｃ（Ｏ）Ｒ22、Ｃ（Ｏ）−ＮＲ21Ｒ22、Ｎ［Ｃ（Ｏ）Ｒ21］［Ｃ（Ｏ）Ｒ22］、ＳＲ21、ハロゲン、ＣＮ、ＳｉＲSisＲSitＲSiuおよびＯＨからなる群から選択され、
ここで、Ｒ21およびＲ22は、独立して、Ｈ、Ｃ1〜Ｃ30−アルキル、Ｃ2〜Ｃ30−アルケニル、Ｃ2〜Ｃ30−アルキニル、Ｃ5〜Ｃ12−シクロアルキル、Ｃ6〜Ｃ18−アリールおよび５員ないし２０員のヘテロアリールからなる群から選択され、かつ
Ｃ1〜Ｃ30−アルキル、Ｃ2〜Ｃ30−アルケニルおよびＣ2〜Ｃ30−アルキニルは、Ｃ5〜Ｃ8−シクロアルキル、Ｃ6〜Ｃ14−アリール、５員ないし１４員のヘテロアリール、ＯＲe、ＯＣ（Ｏ）−Ｒe、Ｃ（Ｏ）−ＯＲe、Ｃ（Ｏ）−Ｒe、ＮＲeＲf、ＮＲe−Ｃ（Ｏ）Ｒf、Ｃ（Ｏ）−ＮＲeＲf、Ｎ［Ｃ（Ｏ）Ｒe］［Ｃ（Ｏ）Ｒf］、ＳＲe、ハロゲン、ＣＮ、ＳｉＲSisＲSitＲSiuおよびＮＯ2からなる群から独立して選択される１個〜１０個の置換基で置換されていてよく、かつＣ1〜Ｃ30−アルキル、Ｃ2〜Ｃ30−アルケニルおよびＣ2〜Ｃ30−アルキニルの少なくとも２個のＣＨ2基であるが隣接していないＣＨ2基は、ＯまたはＳによって置き換えられてよく、
Ｃ5〜Ｃ12−シクロアルキルは、Ｃ1〜Ｃ20−アルキル、Ｃ2〜Ｃ20−アルケニルおよびＣ2〜Ｃ20−アルキニル、Ｃ5〜Ｃ8−シクロアルキル、Ｃ6〜Ｃ14−アリール、５員ないし１４員のヘテロアリール、ＯＲe、ＯＣ（Ｏ）−Ｒe、Ｃ（Ｏ）−ＯＲe、Ｃ（Ｏ）−Ｒe、ＮＲeＲf、ＮＲe−Ｃ（Ｏ）Ｒf、Ｃ（Ｏ）−ＮＲeＲf、Ｎ［Ｃ（Ｏ）Ｒe］［Ｃ（Ｏ）Ｒf］、ＳＲe、ハロゲン、ＣＮ、ＳｉＲSisＲSitＲSiuおよびＮＯ2からなる群から独立して選択される１個〜６個の置換基で置換されていてよく、かつＣ5〜Ｃ12−シクロアルキルの１個または２個のＣＨ2基であるが隣接していないＣＨ2基は、Ｏ、Ｓ、ＯＣ（Ｏ）、ＣＯ、ＮＲeまたはＮＲe−ＣＯによって置き換えられてよく、
Ｃ6〜Ｃ18−アリールおよび５員ないし２０員のヘテロアリールは、Ｃ1〜Ｃ20−アルキル、Ｃ2〜Ｃ20−アルケニル、Ｃ2〜Ｃ20−アルキニル、Ｃ5〜Ｃ8−シクロアルキル、Ｃ6〜Ｃ14−アリール、５員ないし１４員のヘテロアリール、ＯＲe、ＯＣ（Ｏ）−Ｒe、Ｃ（Ｏ）−ＯＲe、Ｃ（Ｏ）−Ｒe、ＮＲeＲf、ＮＲe−Ｃ（Ｏ）Ｒf、Ｃ（Ｏ）−ＮＲeＲf、Ｎ［Ｃ（Ｏ）Ｒe］［Ｃ（Ｏ）Ｒf］、ＳＲe、ハロゲン、ＣＮ、ＳｉＲSisＲSitＲSiuおよびＮＯ2からなる群から独立して選択される１個〜６個の置換基で置換されていてよく、
ここで、ＲSis、ＲSitおよびＲSiuは、互いに独立して、Ｈ、Ｃ1〜Ｃ20−アルキル、Ｃ2〜Ｃ20−アルケニル、Ｃ2〜Ｃ20−アルキニル、Ｃ5〜Ｃ6−シクロアルキル、フェニルおよびＯ−Ｓｉ（ＣＨ3）3からなる群から選択され、
ＲeおよびＲfは、独立して、Ｈ、Ｃ1〜Ｃ20−アルキル、Ｃ2〜Ｃ20−アルケニル、Ｃ2〜Ｃ20−アルキニル、Ｃ5〜Ｃ8−シクロアルキル、Ｃ6〜Ｃ14−アリールおよび５員ないし１４員のヘテロアリールからなる群から選択され、
ここで、Ｃ1〜Ｃ20−アルキル、Ｃ2〜Ｃ20−アルケニルおよびＣ2〜Ｃ20−アルキニルは、Ｃ5〜Ｃ6−シクロアルキル、Ｃ6〜Ｃ10−アリール、５員ないし１０員のヘテロアリール、ＯＲg、ＯＣ（Ｏ）−Ｒg、Ｃ（Ｏ）−ＯＲg、Ｃ（Ｏ）−Ｒg、ＮＲgＲh、ＮＲg−Ｃ（Ｏ）Ｒh、Ｃ（Ｏ）−ＮＲgＲh、Ｎ［Ｃ（Ｏ）Ｒg］［Ｃ（Ｏ）Ｒh］、ＳＲg、ハロゲン、ＣＮおよびＮＯ2からなる群から選択される１個〜５個の置換基で置換されていてよく、
Ｃ5〜Ｃ8−シクロアルキルは、Ｃ1〜Ｃ10−アルキル、Ｃ2〜Ｃ10−アルケニル、Ｃ2〜Ｃ10−アルキニル、Ｃ5〜Ｃ6−シクロアルキル、Ｃ6〜Ｃ10−アリール、５員ないし１０員のヘテロアリール、ＯＲg、ＯＣ（Ｏ）−Ｒg、Ｃ（Ｏ）−ＯＲg、Ｃ（Ｏ）−Ｒg、ＮＲgＲh、ＮＲg−Ｃ（Ｏ）Ｒh、Ｃ（Ｏ）−ＮＲgＲh、Ｎ［Ｃ（Ｏ）Ｒg］［Ｃ（Ｏ）Ｒh］、ＳＲg、ハロゲン、ＣＮおよびＮＯ2からなる群から選択される１個〜５個の置換基で置換されていてよく、
Ｃ6〜Ｃ14−アリールおよび５員ないし１４員のヘテロアリールは、Ｃ1〜Ｃ10−アルキル、Ｃ2〜Ｃ10−アルケニル、Ｃ2〜Ｃ10−アルキニル、Ｃ5〜Ｃ6−シクロアルキル、Ｃ6〜Ｃ10−アリール、５員ないし１０員のヘテロアリール、ＯＲg、ＯＣ（Ｏ）−Ｒg、Ｃ（Ｏ）−ＯＲg、Ｃ（Ｏ）−Ｒg、ＮＲgＲh、ＮＲg−Ｃ（Ｏ）Ｒh、Ｃ（Ｏ）−ＮＲgＲh、Ｎ［Ｃ（Ｏ）Ｒg］［Ｃ（Ｏ）Ｒh］、ＳＲg、ハロゲン、ＣＮおよびＮＯ2からなる群から独立して選択される１個〜５個の置換基で置換されていてよく、
ここで、ＲgおよびＲhは、独立して、Ｈ、Ｃ1〜Ｃ10−アルキル、Ｃ2〜Ｃ10−アルケニルおよびＣ2〜Ｃ10−アルキニルからなる群から選択され、
ここで、Ｃ1〜Ｃ10−アルキル、Ｃ2〜Ｃ10−アルケニルおよびＣ2〜Ｃ10−アルキニルは、ハロゲン、ＣＮおよびＮＯ2からなる群から選択される１個〜５個の置換基で置換されていてよく、
ｎは、０、１、２または３であり、
ｍは、０、１、２または３であり、かつ
Ｌ1およびＬ2は、互いに独立して、それぞれの場合に、Ｃ6〜Ｃ18−アリーレン、５員ないし２０員のヘテロアリーレン、
【化４】
2017523281.tif 000098
からなる群から選択され、
ここで、Ｃ6〜Ｃ18−アリーレンおよび５員ないし２０員のヘテロアリーレンは、Ｃ1〜Ｃ30−アルキル、Ｃ2〜Ｃ30−アルケニル、Ｃ2〜Ｃ30−アルキニル、Ｃ5〜Ｃ12−シクロアルキル、Ｃ6〜Ｃ18−アリール、５員ないし２０員のヘテロアリール、ＯＲ31、ＯＣ（Ｏ）−Ｒ31、Ｃ（Ｏ）−ＯＲ31、Ｃ（Ｏ）−Ｒ31、ＮＲ31Ｒ32、ＮＲ31−Ｃ（Ｏ）Ｒ32、Ｃ（Ｏ）−ＮＲ31Ｒ32、Ｎ［Ｃ（Ｏ）Ｒ31］［Ｃ（Ｏ）Ｒ32］、ＳＲ31、ハロゲン、ＣＮ、ＳｉＲSivＲSiwＲSixおよびＯＨからなる群からそれぞれの場合に選択される１個〜６個の置換基Ｒ3で置換されていてよく、かつ
ここで、
【化５】
2017523281.tif 000099
は、Ｃ1〜Ｃ30−アルキル、Ｃ2〜Ｃ30−アルケニル、Ｃ2〜Ｃ30−アルキニル、Ｃ5〜Ｃ12−シクロアルキル、Ｃ6〜Ｃ18−アリール、５員ないし２０員のヘテロアリール、Ｃ（Ｏ）−Ｒ41、Ｃ（Ｏ）−ＮＲ41Ｒ42、Ｃ（Ｏ）−ＯＲ41およびＣＮからなる群からそれぞれの場合に選択される１個または２個の置換基Ｒ4で置換されていてよく、
ここで、Ｒ31、Ｒ32、Ｒ41およびＲ42は、互いに独立して、それぞれの場合に、Ｈ、Ｃ1〜Ｃ30−アルキル、Ｃ2〜Ｃ30−アルケニル、Ｃ2〜Ｃ30−アルキニル、Ｃ5〜Ｃ12−シクロアルキル、Ｃ6〜Ｃ18−アリールおよび５員ないし２０員のヘテロアリールからなる群から選択され、かつ
ここで、Ｃ1〜Ｃ30−アルキル、Ｃ2〜Ｃ30−アルケニルおよびＣ2〜Ｃ30−アルキニルは、Ｃ5〜Ｃ8−シクロアルキル、Ｃ6〜Ｃ14−アリール、５員ないし１４員のヘテロアリール、ＯＲi、ＯＣ（Ｏ）−Ｒj、Ｃ（Ｏ）−ＯＲi、Ｃ（Ｏ）−Ｒi、ＮＲiＲj、ＮＲi−Ｃ（Ｏ）Ｒj、Ｃ（Ｏ）−ＮＲiＲj、Ｎ［Ｃ（Ｏ）Ｒi］［Ｃ（Ｏ）Ｒj］、ＳＲi、ハロゲン、ＣＮ、ＳｉＲSivＲSiwＲSixおよびＮＯ2からなる群から独立して選択される１個〜１０個の置換基で置換されていてよく、かつＣ1〜Ｃ30−アルキル、Ｃ2〜Ｃ30−アルケニルおよびＣ2〜Ｃ30−アルキニルの少なくとも２個のＣＨ2基であるが隣接していないＣＨ2基は、ＯまたはＳによって置き換えられてよく、
Ｃ5〜Ｃ12−シクロアルキルは、Ｃ1〜Ｃ20−アルキル、Ｃ2〜Ｃ20−アルケニル、Ｃ2〜Ｃ20−アルキニル、Ｃ5〜Ｃ8−シクロアルキル、Ｃ6〜Ｃ14−アリール、５員ないし１４員のヘテロアリール、ＯＲi、ＯＣ（Ｏ）−Ｒj、Ｃ（Ｏ）−ＯＲi、Ｃ（Ｏ）−Ｒi、ＮＲiＲj、ＮＲi−Ｃ（Ｏ）Ｒj、Ｃ（Ｏ）−ＮＲiＲj、Ｎ［Ｃ（Ｏ）Ｒi］［Ｃ（Ｏ）Ｒj］、ＳＲi、ハロゲン、ＣＮ、ＳｉＲSivＲSiwＲSixおよびＮＯ2からなる群から独立して選択される１個〜６個の置換基で置換されていてよく、かつＣ5〜Ｃ12−シクロアルキルの１個または２個のＣＨ2基であるが隣接していないＣＨ2基は、Ｏ、Ｓ、ＯＣ（Ｏ）、ＣＯ、ＮＲiまたはＮＲi−ＣＯによって置き換えられてよく、
Ｃ6〜Ｃ18−アリールおよび５員ないし２０員のヘテロアリールは、Ｃ1〜Ｃ20−アルキル、Ｃ2〜Ｃ20−アルケニル、Ｃ2〜Ｃ20−アルキニル、Ｃ5〜Ｃ8−シクロアルキル、Ｃ6〜Ｃ14−アリール、５員ないし１４員のヘテロアリール、ＯＲi、ＯＣ（Ｏ）−Ｒj、Ｃ（Ｏ）−ＯＲi、Ｃ（Ｏ）−Ｒi、ＮＲiＲj、ＮＲi−Ｃ（Ｏ）Ｒj、Ｃ（Ｏ）−ＮＲiＲj、Ｎ［Ｃ（Ｏ）Ｒi］［Ｃ（Ｏ）Ｒj］、ＳＲi、ハロゲン、ＣＮ、ＳｉＲSivＲSiwＲSixおよびＮＯ2からなる群から独立して選択される１個〜６個の置換基で置換されていてよく、
ここで、ＲSiv、ＲSiwおよびＲSixは、互いに独立して、Ｈ、Ｃ1〜Ｃ20−アルキル、Ｃ2〜Ｃ20−アルケニル、Ｃ2〜Ｃ20−アルキニル、Ｃ5〜Ｃ6−シクロアルキル、フェニルおよびＯ−Ｓｉ（ＣＨ3）3からなる群から選択され、
ＲiおよびＲjは、独立して、Ｈ、Ｃ1〜Ｃ20−アルキル、Ｃ2〜Ｃ20−アルケニル、Ｃ2〜Ｃ20−アルキニル、Ｃ5〜Ｃ8−シクロアルキル、Ｃ6〜Ｃ14−アリールおよび５員ないし１４員のヘテロアリールからなる群から選択され、
ここで、Ｃ1〜Ｃ20−アルキル、Ｃ2〜Ｃ20−アルケニルおよびＣ2〜Ｃ20−アルキニルは、Ｃ5〜Ｃ6−シクロアルキル、Ｃ6〜Ｃ10−アリール、５員ないし１０員のヘテロアリール、ＯＲk、ＯＣ（Ｏ）−Ｒl、Ｃ（Ｏ）−ＯＲk、Ｃ（Ｏ）−Ｒk、ＮＲkＲl、ＮＲk−Ｃ（Ｏ）Ｒl、Ｃ（Ｏ）−ＮＲkＲl、Ｎ［Ｃ（Ｏ）Ｒk］［Ｃ（Ｏ）Ｒl］、ＳＲk、ハロゲン、ＣＮおよびＮＯ2からなる群から選択される１個〜５個の置換基で置換されていてよく、
Ｃ5〜Ｃ8−シクロアルキルは、Ｃ1〜Ｃ10−アルキル、Ｃ2〜Ｃ10−アルケニル、Ｃ2〜Ｃ10−アルキニル、Ｃ5〜Ｃ6−シクロアルキル、Ｃ6〜Ｃ10−アリール、５員ないし１０員のヘテロアリール、ＯＲk、ＯＣ（Ｏ）−Ｒl、Ｃ（Ｏ）−ＯＲk、Ｃ（Ｏ）−Ｒk、ＮＲkＲl、ＮＲk−Ｃ（Ｏ）Ｒl、Ｃ（Ｏ）−ＮＲkＲl、Ｎ［Ｃ（Ｏ）Ｒk］［Ｃ（Ｏ）Ｒl］、ＳＲk、ハロゲン、ＣＮおよびＮＯ2からなる群から選択される１個〜５個の置換基で置換されていてよく、
Ｃ6〜Ｃ14−アリールおよび５員ないし１４員のヘテロアリールは、Ｃ1〜Ｃ10−アルキル、Ｃ2〜Ｃ10−アルケニル、Ｃ2〜Ｃ10−アルキニル、Ｃ5〜Ｃ6−シクロアルキル、Ｃ6〜Ｃ10−アリール、５員ないし１０員のヘテロアリール、ＯＲk、ＯＣ（Ｏ）−Ｒl、Ｃ（Ｏ）−ＯＲk、Ｃ（Ｏ）−Ｒk、ＮＲkＲl、ＮＲk−Ｃ（Ｏ）Ｒl、Ｃ（Ｏ）−ＮＲkＲl、Ｎ［Ｃ（Ｏ）Ｒk］［Ｃ（Ｏ）Ｒl］、ＳＲk、ハロゲン、ＣＮおよびＮＯ2からなる群から独立して選択される１個〜５個の置換基で置換されていてよく、
ここで、ＲkおよびＲlは、独立して、Ｈ、Ｃ1〜Ｃ10−アルキル、Ｃ2〜Ｃ10−アルケニルおよびＣ2〜Ｃ10−アルキニルからなる群から選択され、
ここで、Ｃ1〜Ｃ10−アルキル、Ｃ2〜Ｃ10−アルケニルおよびＣ2〜Ｃ10−アルキニルは、ハロゲン、ＣＮおよびＮＯ2からなる群から選択される１個〜５個の置換基で置換されていてよい］の少なくとも１つの単位を含むポリマー。
【請求項２】
請求項１に記載のポリマーであって、前記式中、
Ｘ1、Ｘ2およびＸ3は、互いに独立して、ＳまたはＮＲ1であり、
ここで、Ｒ1は、それぞれの場合に、Ｃ1〜Ｃ100−アルキル、Ｃ2〜Ｃ100−アルケニルおよびＣ2〜Ｃ100−アルキニルからなる群から選択され、
ここで、Ｃ1〜Ｃ100−アルキル、Ｃ2〜Ｃ100−アルケニルおよびＣ2〜Ｃ100−アルキニルは、Ｃ5〜Ｃ8−シクロアルキル、Ｃ6〜Ｃ14−アリール、５員ないし１４員のヘテロアリール、ＯＲa、ＯＣ（Ｏ）−Ｒa、Ｃ（Ｏ）−ＯＲa、Ｃ（Ｏ）−Ｒa、ＮＲa−Ｃ（Ｏ）Ｒb、Ｃ（Ｏ）−ＮＲaＲb、ＳＲa、Ｓｉ（ＲSia）（ＲSib）（ＲSic）、−Ｏ−Ｓｉ（ＲSia）（ＲSib）（ＲSic）、ハロゲンおよびＣＮからなる群から独立して選択される１個〜４０個の置換基で置換されていてよく、かつＣ1〜Ｃ100−アルキル、Ｃ2〜Ｃ100−アルケニルおよびＣ2〜Ｃ100−アルキニルの少なくとも２個のＣＨ2基であるが隣接していないＣＨ2基は、ＯまたはＳによって置き換えられてよく、
ここで、ＲaおよびＲbは、独立して、Ｈ、Ｃ1〜Ｃ60−アルキル、Ｃ2〜Ｃ60−アルケニル、Ｃ2〜Ｃ60−アルキニル、Ｃ5〜Ｃ8−シクロアルキル、Ｃ6〜Ｃ14−アリールおよび５員ないし１４員のヘテロアリールからなる群から選択され、
ＲSia、ＲSibおよびＲSicは、独立して、Ｈ、Ｃ1〜Ｃ60−アルキル、Ｃ2〜Ｃ60−アルケニル、Ｃ2〜Ｃ60−アルキニル、Ｃ5〜Ｃ8−シクロアルキル、Ｃ6〜Ｃ14−アリールおよび−［Ｏ−ＳｉＲSidＲSie］o−ＲSifからなる群から選択され、
ここで、ｏは、１から５０までの整数であり、
ＲSid、ＲSieおよびＲSifは、独立して、Ｈ、Ｃ1〜Ｃ60−アルキル、Ｃ2〜Ｃ60−アルケニル、Ｃ2〜Ｃ60−アルキニル、Ｃ5〜Ｃ8−シクロアルキル、Ｃ6〜Ｃ14−アリールおよび−［Ｏ−ＳｉＲSigＲSih］p−ＲSiiからなる群から選択され、
ここで、ｐは、１から５０までの整数であり、
ＲSig、ＲSihおよびＲSiiは、独立して、Ｈ、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリールおよびＯ−Ｓｉ（ＣＨ3）3からなる群から選択され、
Ｒ5、Ｒ6、Ｒ50、Ｒ60、Ｒ500およびＲ600は、独立して、Ｈ、Ｃ1〜Ｃ60−アルキル、Ｃ2〜Ｃ60−アルケニル、Ｃ2〜Ｃ60−アルキニル、Ｃ5〜Ｃ8−シクロアルキル、Ｃ6〜Ｃ14−アリールおよび５員ないし１４員のヘテロアリールからなる群から選択され、
Ｃ1〜Ｃ60−アルキル、Ｃ2〜Ｃ60−アルケニルおよびＣ2〜Ｃ60−アルキニルは、Ｃ5〜Ｃ6−シクロアルキル、Ｃ6〜Ｃ10−アリール、ＯＲc、ＯＣ（Ｏ）−Ｒc、Ｃ（Ｏ）−ＯＲc、Ｃ（Ｏ）−Ｒc、ＮＲc−Ｃ（Ｏ）Ｒd、Ｃ（Ｏ）−ＮＲcＲd、ＳＲc、Ｓｉ（ＲSij）（ＲSik）（ＲSil）、−Ｏ−Ｓｉ（ＲSij）（ＲSik）（ＲSil）、ハロゲンおよびＣＮからなる群から選択される１個〜２０個の置換基で置換されていてよく、かつＣ1〜Ｃ60−アルキル、Ｃ2〜Ｃ60−アルケニルおよびＣ2〜Ｃ60−アルキニルの少なくとも２個のＣＨ2基であるが隣接していないＣＨ2基は、ＯまたはＳによって置き換えられてよく、
Ｃ5〜Ｃ8−シクロアルキルは、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリール、ＯＲc、ＯＣ（Ｏ）−Ｒc、Ｃ（Ｏ）−ＯＲc、Ｃ（Ｏ）−Ｒc、ＮＲc−Ｃ（Ｏ）Ｒd、Ｃ（Ｏ）−ＮＲcＲd、ＳＲc、Ｓｉ（ＲSij）（ＲSik）（ＲSil）、−Ｏ−Ｓｉ（ＲSij）（ＲSik）（ＲSil）、ハロゲンおよびＣＮからなる群から選択される１個〜５個の置換基で置換されていてよく、かつＣ5〜Ｃ8−シクロアルキルの１個または２個のＣＨ2基であるが隣接していないＣＨ2基は、Ｏ、Ｓ、ＯＣ（Ｏ）、ＣＯ、ＮＲcまたはＮＲc−ＣＯによって置き換えられてよく、
Ｃ6〜Ｃ14−アリールおよび５員ないし１４員のヘテロアリールは、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリール、ＯＲc、ＯＣ（Ｏ）−Ｒc、Ｃ（Ｏ）−ＯＲc、Ｃ（Ｏ）−Ｒc、ＮＲc−Ｃ（Ｏ）Ｒd、Ｃ（Ｏ）−ＮＲcＲd、ＳＲc、Ｓｉ（ＲSij）（ＲSik）（ＲSil）、−Ｏ−Ｓｉ（ＲSij）（ＲSik）（ＲSil）、ハロゲンおよびＣＮからなる群から独立して選択される１個〜５個の置換基で置換されていてよく、
ここで、ＲcおよびＲdは、独立して、Ｈ、Ｃ1〜Ｃ30−アルキル、Ｃ2〜Ｃ30−アルケニルおよびＣ2〜Ｃ30−アルキニルからなる群から選択され、
ＲSij、ＲSikおよびＲSilは、独立して、Ｈ、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリールおよび−［Ｏ−ＳｉＲSimＲSin］q−ＲSioからなる群から選択され、
ここで、ｑは、１から５０までの整数であり、
ＲSim、ＲSinおよびＲSioは、独立して、Ｈ、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリールおよび−［Ｏ−ＳｉＲSipＲSiq］r−ＲSirからなる群から選択され、
ここで、ｒは、１から５０までの整数であり、
ＲSip、ＲSiqおよびＲSirは、独立して、Ｈ、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリールおよびＯ−Ｓｉ（ＣＨ3）3からなる群から選択され、
Ｒ7、Ｒ8、Ｒ70、Ｒ80、Ｒ700およびＲ800は、独立して、Ｈ、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリールおよび５員ないし１０員のヘテロアリールからなる群から選択され、
Ｃ1〜Ｃ30−アルキル、Ｃ2〜Ｃ30−アルケニルおよびＣ2〜Ｃ30−アルキニルは、ハロゲンおよびＣＮからなる群から選択される１個〜１０個の置換基で置換されていてよく、
Ｒ2は、それぞれの場合に、Ｃ1〜Ｃ30−アルキルおよびハロゲンからなる群から選択され、
ここで、Ｃ1〜Ｃ30−アルキルは、Ｃ5〜Ｃ8−シクロアルキル、Ｃ6〜Ｃ14−アリール、５員ないし１４員のヘテロアリール、ＯＲe、ＯＣ（Ｏ）−Ｒe、Ｃ（Ｏ）−ＯＲe、Ｃ（Ｏ）−Ｒe、ＮＲeＲf、ＮＲe−Ｃ（Ｏ）Ｒf、Ｃ（Ｏ）−ＮＲeＲf、Ｎ［Ｃ（Ｏ）Ｒe］［Ｃ（Ｏ）Ｒf］、ＳＲe、ハロゲン、ＣＮ、ＳｉＲSisＲSitＲSiuおよびＮＯ2からなる群から独立して選択される１個〜１０個の置換基で置換されていてよく、かつＣ1〜Ｃ30−アルキルの少なくとも２個のＣＨ2基であるが隣接していないＣＨ2基は、ＯまたはＳによって置き換えられてよく、
ここで、ＲSis、ＲSitおよびＲSiuは、互いに独立して、Ｈ、Ｃ1〜Ｃ20−アルキル、Ｃ2〜Ｃ20−アルケニル、Ｃ2〜Ｃ20−アルキニル、Ｃ5〜Ｃ6−シクロアルキル、フェニルおよびＯ−Ｓｉ（ＣＨ3）3からなる群から選択され、
ＲeおよびＲfは、独立して、Ｈ、Ｃ1〜Ｃ20−アルキル、Ｃ2〜Ｃ20−アルケニル、Ｃ2〜Ｃ20−アルキニル、Ｃ5〜Ｃ8−シクロアルキル、Ｃ6〜Ｃ14−アリールおよび５員ないし１４員のヘテロアリールからなる群から選択され、
ここで、Ｃ1〜Ｃ20−アルキル、Ｃ2〜Ｃ20−アルケニルおよびＣ2〜Ｃ20−アルキニルは、Ｃ5〜Ｃ6−シクロアルキル、Ｃ6〜Ｃ10−アリール、５員ないし１０員のヘテロアリール、ＯＲg、ＯＣ（Ｏ）−Ｒg、Ｃ（Ｏ）−ＯＲg、Ｃ（Ｏ）−Ｒg、ＮＲgＲh、ＮＲg−Ｃ（Ｏ）Ｒh、Ｃ（Ｏ）−ＮＲgＲh、Ｎ［Ｃ（Ｏ）Ｒg］［Ｃ（Ｏ）Ｒh］、ＳＲg、ハロゲン、ＣＮおよびＮＯ2からなる群から選択される１個〜５個の置換基で置換されていてよく、
Ｃ5〜Ｃ8−シクロアルキルは、Ｃ1〜Ｃ10−アルキル、Ｃ2〜Ｃ10−アルケニル、Ｃ2〜Ｃ10−アルキニル、Ｃ5〜Ｃ6−シクロアルキル、Ｃ6〜Ｃ10−アリール、５員ないし１０員のヘテロアリール、ＯＲg、ＯＣ（Ｏ）−Ｒg、Ｃ（Ｏ）−ＯＲg、Ｃ（Ｏ）−Ｒg、ＮＲgＲh、ＮＲg−Ｃ（Ｏ）Ｒh、Ｃ（Ｏ）−ＮＲgＲh、Ｎ［Ｃ（Ｏ）Ｒg］［Ｃ（Ｏ）Ｒh］、ＳＲg、ハロゲン、ＣＮおよびＮＯ2からなる群から選択される１個〜５個の置換基で置換されていてよく、
Ｃ6〜Ｃ14−アリールおよび５員ないし１４員のヘテロアリールは、Ｃ1〜Ｃ10−アルキル、Ｃ2〜Ｃ10−アルケニル、Ｃ2〜Ｃ10−アルキニル、Ｃ5〜Ｃ6−シクロアルキル、Ｃ6〜Ｃ10−アリール、５員ないし１０員のヘテロアリール、ＯＲg、ＯＣ（Ｏ）−Ｒg、Ｃ（Ｏ）−ＯＲg、Ｃ（Ｏ）−Ｒg、ＮＲgＲh、ＮＲg−Ｃ（Ｏ）Ｒh、Ｃ（Ｏ）−ＮＲgＲh、Ｎ［Ｃ（Ｏ）Ｒg］［Ｃ（Ｏ）Ｒh］、ＳＲg、ハロゲン、ＣＮおよびＮＯ2からなる群から独立して選択される１個〜５個の置換基で置換されていてよく、
ここで、ＲgおよびＲhは、独立して、Ｈ、Ｃ1〜Ｃ10−アルキル、Ｃ2〜Ｃ10−アルケニルおよびＣ2〜Ｃ10−アルキニルからなる群から選択され、
ここで、Ｃ1〜Ｃ10−アルキル、Ｃ2〜Ｃ10−アルケニルおよびＣ2〜Ｃ10−アルキニルは、ハロゲン、ＣＮおよびＮＯ2からなる群から選択される１個〜５個の置換基で置換されていてよく、かつ
Ａ、Ｂ、Ｌ1、Ｌ2、ｎおよびｍは、請求項１で定義した通りである、前記ポリマー。
【請求項３】
請求項１に記載のポリマーであって、前記式中、
Ｘ1はＳであり、かつＸ2およびＸ3はＮＲ1であり、
ここで、Ｒ1は、それぞれの場合に、Ｃ1〜Ｃ100−アルキル、Ｃ2〜Ｃ100−アルケニルおよびＣ2〜Ｃ100−アルキニルからなる群から選択され、
ここで、Ｃ1〜Ｃ100−アルキル、Ｃ2〜Ｃ100−アルケニルおよびＣ2〜Ｃ100−アルキニルは、Ｃ5〜Ｃ8−シクロアルキル、Ｃ6〜Ｃ14−アリール、５員ないし１４員のヘテロアリール、ＯＲa、ＯＣ（Ｏ）−Ｒa、Ｃ（Ｏ）−ＯＲa、Ｃ（Ｏ）−Ｒa、ＮＲa−Ｃ（Ｏ）Ｒb、Ｃ（Ｏ）−ＮＲaＲb、ＳＲa、Ｓｉ（ＲSia）（ＲSib）（ＲSic）、−Ｏ−Ｓｉ（ＲSia）（ＲSib）（ＲSic）、ハロゲンおよびＣＮからなる群から独立して選択される１個〜４０個の置換基で置換されていてよく、かつＣ1〜Ｃ100−アルキル、Ｃ2〜Ｃ100−アルケニルおよびＣ2〜Ｃ100−アルキニルの少なくとも２個のＣＨ2基であるが隣接していないＣＨ2基は、ＯまたはＳによって置き換えられてよく、
ここで、ＲaおよびＲbは、独立して、Ｈ、Ｃ1〜Ｃ60−アルキル、Ｃ2〜Ｃ60−アルケニル、Ｃ2〜Ｃ60−アルキニル、Ｃ5〜Ｃ8−シクロアルキル、Ｃ6〜Ｃ14−アリールおよび５員ないし１４員のヘテロアリールからなる群から選択され、
ＲSia、ＲSibおよびＲSicは、独立して、Ｈ、Ｃ1〜Ｃ60−アルキル、Ｃ2〜Ｃ60−アルケニル、Ｃ2〜Ｃ60−アルキニル、Ｃ5〜Ｃ8−シクロアルキル、Ｃ6〜Ｃ14−アリールおよび−［Ｏ−ＳｉＲSidＲSie］o−ＲSifからなる群から選択され、
ここで、ｏは、１から５０までの整数であり、
ＲSid、ＲSieおよびＲSifは、独立して、Ｈ、Ｃ1〜Ｃ60−アルキル、Ｃ2〜Ｃ60−アルケニル、Ｃ2〜Ｃ60−アルキニル、Ｃ5〜Ｃ8−シクロアルキル、Ｃ6〜Ｃ14−アリールおよび−［Ｏ−ＳｉＲSigＲSih］p−ＲSiiからなる群から選択され、
ここで、ｐは、１から５０までの整数であり、
ＲSig、ＲSihおよびＲSiiは、独立して、Ｈ、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリールおよびＯ−Ｓｉ（ＣＨ3）3からなる群から選択され、
Ｒ5、Ｒ6、Ｒ50、Ｒ60、Ｒ500およびＲ600は、独立して、Ｈ、Ｃ1〜Ｃ60−アルキル、Ｃ2〜Ｃ60−アルケニル、Ｃ2〜Ｃ60−アルキニル、Ｃ5〜Ｃ8−シクロアルキル、Ｃ6〜Ｃ14−アリールおよび５員ないし１４員のヘテロアリールからなる群から選択され、
Ｃ1〜Ｃ60−アルキル、Ｃ2〜Ｃ60−アルケニルおよびＣ2〜Ｃ60−アルキニルは、Ｃ5〜Ｃ6−シクロアルキル、Ｃ6〜Ｃ10−アリール、ＯＲc、ＯＣ（Ｏ）−Ｒc、Ｃ（Ｏ）−ＯＲc、Ｃ（Ｏ）−Ｒc、ＮＲc−Ｃ（Ｏ）Ｒd、Ｃ（Ｏ）−ＮＲcＲd、ＳＲc、Ｓｉ（ＲSij）（ＲSik）（ＲSil）、−Ｏ−Ｓｉ（ＲSij）（ＲSik）（ＲSil）、ハロゲンおよびＣＮからなる群から選択される１個〜２０個の置換基で置換されていてよく、かつＣ1〜Ｃ60−アルキル、Ｃ2〜Ｃ60−アルケニルおよびＣ2〜Ｃ60−アルキニルの少なくとも２個のＣＨ2基であるが隣接していないＣＨ2基は、ＯまたはＳによって置き換えられてよく、
Ｃ5〜Ｃ8−シクロアルキルは、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリール、ＯＲc、ＯＣ（Ｏ）−Ｒc、Ｃ（Ｏ）−ＯＲc、Ｃ（Ｏ）−Ｒc、ＮＲc−Ｃ（Ｏ）Ｒd、Ｃ（Ｏ）−ＮＲcＲd、ＳＲc、Ｓｉ（ＲSij）（ＲSik）（ＲSil）、−Ｏ−Ｓｉ（ＲSij）（ＲSik）（ＲSil）、ハロゲンおよびＣＮからなる群から選択される１個〜５個の置換基で置換されていてよく、かつＣ5〜Ｃ8−シクロアルキルの１個または２個のＣＨ2基であるが隣接していないＣＨ2基は、Ｏ、Ｓ、ＯＣ（Ｏ）、ＣＯ、ＮＲcまたはＮＲc−ＣＯによって置き換えられてよく、
Ｃ6〜Ｃ14−アリールおよび５員ないし１４員のヘテロアリールは、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリール、ＯＲc、ＯＣ（Ｏ）−Ｒc、Ｃ（Ｏ）−ＯＲc、Ｃ（Ｏ）−Ｒc、ＮＲc−Ｃ（Ｏ）Ｒd、Ｃ（Ｏ）−ＮＲcＲd、ＳＲc、Ｓｉ（ＲSij）（ＲSik）（ＲSil）、−Ｏ−Ｓｉ（ＲSij）（ＲSik）（ＲSil）、ハロゲンおよびＣＮからなる群から独立して選択される１個〜５個の置換基で置換されていてよく、
ここで、ＲcおよびＲdは、独立して、Ｈ、Ｃ1〜Ｃ30−アルキル、Ｃ2〜Ｃ30−アルケニルおよびＣ2〜Ｃ30−アルキニルからなる群から選択され、
ＲSij、ＲSikおよびＲSilは、独立して、Ｈ、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリールおよび−［Ｏ−ＳｉＲSimＲSin］q−ＲSioからなる群から選択され、
ここで、ｑは、１から５０までの整数であり、
ＲSim、ＲSinおよびＲSioは、独立して、Ｈ、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリールおよび−［Ｏ−ＳｉＲSipＲSiq］r−ＲSirからなる群から選択され、
ここで、ｒは、１から５０までの整数であり、
ＲSip、ＲSiqおよびＲSirは、独立して、Ｈ、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリールおよびＯ−Ｓｉ（ＣＨ3）3からなる群から選択され、
Ｒ7、Ｒ8、Ｒ70、Ｒ80、Ｒ700およびＲ800は、独立して、Ｈ、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリールおよび５員ないし１０員のヘテロアリールからなる群から選択され、
Ｃ1〜Ｃ30−アルキル、Ｃ2〜Ｃ30−アルケニルおよびＣ2〜Ｃ30−アルキニルは、ハロゲンおよびＣＮからなる群から選択される１個〜１０個の置換基で置換されていてよく、
Ｒ2は、それぞれの場合に、Ｃ1〜Ｃ30−アルキルおよびハロゲンからなる群から選択され、
ここで、Ｃ1〜Ｃ30−アルキルは、Ｃ5〜Ｃ8−シクロアルキル、Ｃ6〜Ｃ14−アリール、５員ないし１４員のヘテロアリール、ＯＲe、ＯＣ（Ｏ）−Ｒe、Ｃ（Ｏ）−ＯＲe、Ｃ（Ｏ）−Ｒe、ＮＲeＲf、ＮＲe−Ｃ（Ｏ）Ｒf、Ｃ（Ｏ）−ＮＲeＲf、Ｎ［Ｃ（Ｏ）Ｒe］［Ｃ（Ｏ）Ｒf］、ＳＲe、ハロゲン、ＣＮ、ＳｉＲSisＲSitＲSiuおよびＮＯ2からなる群から独立して選択される１個〜１０個の置換基で置換されていてよく、かつＣ1〜Ｃ30−アルキルの少なくとも２個のＣＨ2基であるが隣接していないＣＨ2基は、ＯまたはＳによって置き換えられてよく、
ここで、ＲSis、ＲSitおよびＲSiuは、互いに独立して、Ｈ、Ｃ1〜Ｃ20−アルキル、Ｃ2〜Ｃ20−アルケニル、Ｃ2〜Ｃ20−アルキニル、Ｃ5〜Ｃ6−シクロアルキル、フェニルおよびＯ−Ｓｉ（ＣＨ3）3からなる群から選択され、
ＲeおよびＲfは、独立して、Ｈ、Ｃ1〜Ｃ20−アルキル、Ｃ2〜Ｃ20−アルケニル、Ｃ2〜Ｃ20−アルキニル、Ｃ5〜Ｃ8−シクロアルキル、Ｃ6〜Ｃ14−アリールおよび５員ないし１４員のヘテロアリールからなる群から選択され、
ここで、Ｃ1〜Ｃ20−アルキル、Ｃ2〜Ｃ20−アルケニルおよびＣ2〜Ｃ20−アルキニルは、Ｃ5〜Ｃ6−シクロアルキル、Ｃ6〜Ｃ10−アリール、５員ないし１０員のヘテロアリール、ＯＲg、ＯＣ（Ｏ）−Ｒg、Ｃ（Ｏ）−ＯＲg、Ｃ（Ｏ）−Ｒg、ＮＲgＲh、ＮＲg−Ｃ（Ｏ）Ｒh、Ｃ（Ｏ）−ＮＲgＲh、Ｎ［Ｃ（Ｏ）Ｒg］［Ｃ（Ｏ）Ｒh］、ＳＲg、ハロゲン、ＣＮおよびＮＯ2からなる群から選択される１個〜５個の置換基で置換されていてよく、
Ｃ5〜Ｃ8−シクロアルキルは、Ｃ1〜Ｃ10−アルキル、Ｃ2〜Ｃ10−アルケニル、Ｃ2〜Ｃ10−アルキニル、Ｃ5〜Ｃ6−シクロアルキル、Ｃ6〜Ｃ10−アリール、５員ないし１０員のヘテロアリール、ＯＲg、ＯＣ（Ｏ）−Ｒg、Ｃ（Ｏ）−ＯＲg、Ｃ（Ｏ）−Ｒg、ＮＲgＲh、ＮＲg−Ｃ（Ｏ）Ｒh、Ｃ（Ｏ）−ＮＲgＲh、Ｎ［Ｃ（Ｏ）Ｒg］［Ｃ（Ｏ）Ｒh］、ＳＲg、ハロゲン、ＣＮおよびＮＯ2からなる群から選択される１個〜５個の置換基で置換されていてよく、
Ｃ6〜Ｃ14−アリールおよび５員ないし１４員のヘテロアリールは、Ｃ1〜Ｃ10−アルキル、Ｃ2〜Ｃ10−アルケニル、Ｃ2〜Ｃ10−アルキニル、Ｃ5〜Ｃ6−シクロアルキル、Ｃ6〜Ｃ10−アリール、５員ないし１０員のヘテロアリール、ＯＲg、ＯＣ（Ｏ）−Ｒg、Ｃ（Ｏ）−ＯＲg、Ｃ（Ｏ）−Ｒg、ＮＲgＲh、ＮＲg−Ｃ（Ｏ）Ｒh、Ｃ（Ｏ）−ＮＲgＲh、Ｎ［Ｃ（Ｏ）Ｒg］［Ｃ（Ｏ）Ｒh］、ＳＲg、ハロゲン、ＣＮおよびＮＯ2からなる群から独立して選択される１個〜５個の置換基で置換されていてよく、
ここで、ＲgおよびＲhは、独立して、Ｈ、Ｃ1〜Ｃ10−アルキル、Ｃ2〜Ｃ10−アルケニルおよびＣ2〜Ｃ10−アルキニルからなる群から選択され、
ここで、Ｃ1〜Ｃ10−アルキル、Ｃ2〜Ｃ10−アルケニルおよびＣ2〜Ｃ10−アルキニルは、ハロゲン、ＣＮおよびＮＯ2からなる群から選択される１個〜５個の置換基で置換されていてよく、かつ
Ａ、Ｂ、Ｌ1、Ｌ2、ｎおよびｍは、請求項１で定義した通りである、前記ポリマー。
【請求項４】
請求項２または３に記載のポリマーであって、前記式中、
Ａは、
【化６】
2017523281.tif 000100
であり、
Ｘ4は、ＳまたはＮＲ1であり、かつ
ここで、Ａ１は、１個の置換基Ｒ2で置換されていてよく、
Ｂは、
【化７】
2017523281.tif 000101
からなる群から選択され、
ここで、Ｘ5およびＸ6は、互いに独立して、ＳまたはＮＲ1であり、かつ
Ｂ１、Ｂ２およびＢ３は、１個〜３個の置換基Ｒ2で置換されていてよく、
Ｒ1は、それぞれの場合に、Ｃ1〜Ｃ50−アルキル、Ｃ2〜Ｃ50−アルケニルおよびＣ2〜Ｃ50−アルキニルからなる群から選択され、
ここで、Ｃ1〜Ｃ50−アルキル、Ｃ2〜Ｃ50−アルケニルおよびＣ2〜Ｃ50−アルキニルは、Ｃ5〜Ｃ6−シクロアルキル、Ｃ6〜Ｃ10−アリール、５員ないし１０員のヘテロアリール、ＯＲa、ＳＲa、Ｓｉ（ＲSia）（ＲSib）（ＲSic）、−Ｏ−Ｓｉ（ＲSia）（ＲSib）（ＲSic）、ハロゲンおよびＣＮからなる群から独立して選択される１個〜２０個の置換基で置換されていてよく、かつＣ1〜Ｃ50−アルキル、Ｃ2〜Ｃ50−アルケニルおよびＣ2〜Ｃ50−アルキニルの少なくとも２個のＣＨ2基であるが隣接していないＣＨ2基は、ＯまたはＳによって置き換えられてよく、
ここで、ＲaおよびＲbは、独立して、Ｈ、Ｃ1〜Ｃ30−アルキル、Ｃ2〜Ｃ30−アルケニル、Ｃ2〜Ｃ30−アルキニル、Ｃ5〜Ｃ6−シクロアルキルおよびＣ6〜Ｃ10−アリールからなる群から選択され、
ＲSia、ＲSibおよびＲSicは、独立して、Ｈ、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリールおよび−［Ｏ−ＳｉＲSidＲSie］o−ＲSifからなる群から選択され、
ここで、ｏは、１から５０までの整数であり、
ＲSid、ＲSieおよびＲSifは、独立して、Ｈ、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリールおよび−［Ｏ−ＳｉＲSigＲSih］p−ＲSiiからなる群から選択され、
ここで、ｐは、１から５０までの整数であり、
ＲSig、ＲSihおよびＲSiiは、独立して、Ｈ、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリールおよびＯ−Ｓｉ（ＣＨ3）3からなる群から選択され、
Ｒ5、Ｒ6、Ｒ50、Ｒ60、Ｒ500およびＲ600は、独立して、Ｈ、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリールおよび５員ないし１０員のヘテロアリールからなる群から選択され、
Ｃ1〜Ｃ30−アルキル、Ｃ2〜Ｃ30−アルケニルおよびＣ2〜Ｃ30−アルキニルは、ハロゲンおよびＣＮからなる群から選択される１個〜１０個の置換基で置換されていてよく、
Ｒ2は、それぞれの場合に、非置換のＣ1〜Ｃ30−アルキルおよびハロゲンからなる群から選択され、かつ
Ｌ1、Ｌ2、ｎおよびｍは、請求項１で定義した通りである、前記ポリマー。
【請求項５】
請求項２または３に記載のポリマーであって、前記式中、
Ａは、
【化８】
2017523281.tif 000102
であり、
ここで、Ｘ4は、ＳまたはＮＲ1であり、かつ
Ａ１は、１個の置換基Ｒ2で置換されていてよく、
Ｂは、
【化９】
2017523281.tif 000103
であり、
ここで、Ｘ5およびＸ6は、互いに独立して、ＳまたはＮＲ1であり、かつ
Ｂ２は、１個の置換基Ｒ2で置換されていてよく、
Ｒ1は、それぞれの場合に、Ｃ1〜Ｃ36−アルキル、Ｃ2〜Ｃ36−アルケニルおよびＣ2〜Ｃ36−アルキニルからなる群から選択され、
ここで、Ｃ1〜Ｃ36−アルキル、Ｃ2〜Ｃ36−アルケニルおよびＣ2〜Ｃ36−アルキニルは、Ｃ5〜Ｃ6−シクロアルキル、Ｃ6〜Ｃ10−アリール、５員ないし１０員のヘテロアリール、ＯＲa、ＳＲa、Ｓｉ（ＲSia）（ＲSib）（ＲSic）、−Ｏ−Ｓｉ（ＲSia）（ＲSib）（ＲSic）、ハロゲンおよびＣＮからなる群から独立して選択される１個〜２０個の置換基で置換されていてよく、かつＣ1〜Ｃ36−アルキル、Ｃ2〜Ｃ36−アルケニルおよびＣ2〜Ｃ36−アルキニルの少なくとも２個のＣＨ2基であるが隣接していないＣＨ2基は、ＯまたはＳによって置き換えられてよく、
ここで、ＲaおよびＲbは、独立して、Ｈ、Ｃ1〜Ｃ20−アルキル、Ｃ2〜Ｃ20−アルケニル、Ｃ2〜Ｃ20−アルキニル、Ｃ5〜Ｃ6−シクロアルキルおよびＣ6〜Ｃ10−アリールからなる群から選択され、
ＲSia、ＲSibおよびＲSicは、独立して、Ｈ、Ｃ1〜Ｃ20−アルキル、Ｃ2〜Ｃ20−アルケニル、Ｃ2〜Ｃ20−アルキニル、Ｃ5〜Ｃ6−シクロアルキル、Ｃ6〜Ｃ10−アリールおよび−［Ｏ−ＳｉＲSidＲSie］o−ＲSifからなる群から選択され、
ここで、ｏは、１から５０までの整数であり、
ＲSid、ＲSieおよびＲSifは、独立して、Ｈ、Ｃ1〜Ｃ30−アルキル、Ｃ2〜Ｃ20−アルケニル、Ｃ2〜Ｃ20−アルキニル、Ｃ5〜Ｃ6−シクロアルキル、Ｃ6〜Ｃ10−アリールおよび−［Ｏ−ＳｉＲSigＲSih］p−ＲSiiからなる群から選択され、
ここで、ｐは、１から５０までの整数であり、
ＲSig、ＲSihおよびＲSiiは、独立して、Ｈ、Ｃ1〜Ｃ30−アルキル、Ｃ2〜Ｃ20−アルケニル、Ｃ2〜Ｃ20−アルキニル、Ｃ5〜Ｃ6−シクロアルキル、Ｃ6〜Ｃ10−アリールおよびＯ−Ｓｉ（ＣＨ3）3からなる群から選択され、
Ｒ5、Ｒ6、Ｒ50、Ｒ60、Ｒ500およびＲ600は、独立して、Ｈ、Ｃ1〜Ｃ20−アルキル、Ｃ2〜Ｃ20−アルケニル、Ｃ2〜Ｃ20−アルキニル、Ｃ5〜Ｃ6−シクロアルキル、Ｃ6〜Ｃ10−アリールおよび５員ないし１０員のヘテロアリールからなる群から選択され、
Ｃ1〜Ｃ20−アルキル、Ｃ2〜Ｃ20−アルケニルおよびＣ2〜Ｃ20−アルキニルは、ハロゲンおよびＣＮからなる群から選択される１個〜１０個の置換基で置換されていてよく、
Ｒ2は、それぞれの場合に、非置換のＣ1〜Ｃ30−アルキルおよびハロゲンからなる群から選択され、かつ
Ｌ1、Ｌ2、ｎおよびｍは、請求項１で定義した通りである、前記ポリマー。
【請求項６】
請求項２または３に記載のポリマーであって、前記式中、
Ａは、
【化１０】
2017523281.tif 000104
であり、
Ｘ4は、Ｓであり、かつ
ここで、Ａ１は、置換されておらず、
Ｂは、
【化１１】
2017523281.tif 000105
であり、
ここで、Ｘ5およびＸ6は、Ｓであり、かつ
Ｂ２は、置換されておらず、
Ｒ1は、それぞれの場合に、非置換のＣ1〜Ｃ36−アルキルであり、かつ
Ｌ1、Ｌ2、ｎおよびｍは、請求項１で定義した通りである、前記ポリマー。
【請求項７】
請求項４、５または６に記載のポリマーであって、前記式中、
Ｌ1およびＬ2は、互いに独立して、それぞれの場合に、５員ないし２０員のヘテロアリーレン、および
【化１２】
2017523281.tif 000106
からなる群から選択され、
ここで、５員ないし２０員のヘテロアリーレンは、Ｃ1〜Ｃ30−アルキル、Ｃ2〜Ｃ30−アルケニル、Ｃ2〜Ｃ30−アルキニル、Ｃ5〜Ｃ12−シクロアルキル、Ｃ6〜Ｃ18−アリール、５員ないし２０員のヘテロアリール、ＯＲ31、ＯＣ（Ｏ）−Ｒ31、Ｃ（Ｏ）−ＯＲ31、Ｃ（Ｏ）−Ｒ31、ＮＲ31Ｒ32、ＮＲ31−Ｃ（Ｏ）Ｒ32、Ｃ（Ｏ）−ＮＲ31Ｒ32、ＳＲ31、ハロゲン、ＣＮ、ＳｉＲSivＲSiwＲSixおよびＯＨからなる群からそれぞれの場合に選択される１個〜６個の置換基Ｒ3で置換されていてよく、かつ
ここで、
【化１３】
2017523281.tif 000107
は、Ｃ1〜Ｃ30−アルキル、Ｃ2〜Ｃ30−アルケニル、Ｃ2〜Ｃ30−アルキニル、Ｃ5〜Ｃ12−シクロアルキル、Ｃ6〜Ｃ18−アリールおよび５員ないし２０員のヘテロアリール、Ｃ（Ｏ）−Ｒ41、Ｃ（Ｏ）−ＮＲ41Ｒ42、Ｃ（Ｏ）−ＯＲ41およびＣＮからなる群からそれぞれの場合に選択される１個または２個の置換基Ｒ4で置換されていてよく、
ここで、Ｒ31、Ｒ32、Ｒ41およびＲ42は、互いに独立して、それぞれの場合に、Ｈ、Ｃ1〜Ｃ30−アルキル、Ｃ2〜Ｃ30−アルケニル、Ｃ2〜Ｃ30−アルキニル、Ｃ5〜Ｃ12−シクロアルキル、Ｃ6〜Ｃ18−アリールおよび５員ないし２０員のヘテロアリールからなる群から選択され、かつ
ここで、Ｃ1〜Ｃ30−アルキル、Ｃ2〜Ｃ30−アルケニルおよびＣ2〜Ｃ30−アルキニルは、Ｃ5〜Ｃ8−シクロアルキル、Ｃ6〜Ｃ14−アリール、５員ないし１４員のヘテロアリール、ＯＲi、ＯＣ（Ｏ）−Ｒj、Ｃ（Ｏ）−ＯＲi、Ｃ（Ｏ）−Ｒi、ＮＲiＲj、ＮＲi−Ｃ（Ｏ）Ｒj、Ｃ（Ｏ）−ＮＲiＲj、Ｎ［Ｃ（Ｏ）Ｒi］［Ｃ（Ｏ）Ｒj］、ＳＲi、ハロゲン、ＣＮ、ＳｉＲSivＲSiwＲSixおよびＮＯ2からなる群から独立して選択される１個〜１０個の置換基で置換されていてよく、かつＣ1〜Ｃ30−アルキル、Ｃ2〜Ｃ30−アルケニルおよびＣ2〜Ｃ30−アルキニルの少なくとも２個のＣＨ2基であるが隣接していないＣＨ2基は、ＯまたはＳによって置き換えられてよく、
Ｃ5〜Ｃ12−シクロアルキルは、Ｃ1〜Ｃ20−アルキル、Ｃ2〜Ｃ20−アルケニル、Ｃ2〜Ｃ20−アルキニル、Ｃ5〜Ｃ8−シクロアルキル、Ｃ6〜Ｃ14−アリール、５員ないし１４員のヘテロアリール、ＯＲi、ＯＣ（Ｏ）−Ｒj、Ｃ（Ｏ）−ＯＲi、Ｃ（Ｏ）−Ｒi、ＮＲiＲj、ＮＲi−Ｃ（Ｏ）Ｒj、Ｃ（Ｏ）−ＮＲiＲj、Ｎ［Ｃ（Ｏ）Ｒi］［Ｃ（Ｏ）Ｒj］、ＳＲi、ハロゲン、ＣＮ、ＳｉＲSivＲSiwＲSixおよびＮＯ2からなる群から独立して選択される１個〜６個の置換基で置換されていてよく、かつＣ5〜Ｃ12−シクロアルキルの１個または２個のＣＨ2基であるが隣接していないＣＨ2基は、Ｏ、Ｓ、ＯＣ（Ｏ）、ＣＯ、ＮＲiまたはＮＲi−ＣＯによって置き換えられてよく、
Ｃ6〜Ｃ18−アリールおよび５員ないし２０員のヘテロアリールは、Ｃ1〜Ｃ20−アルキル、Ｃ2〜Ｃ20−アルケニル、Ｃ2〜Ｃ20−アルキニル、Ｃ5〜Ｃ8−シクロアルキル、Ｃ6〜Ｃ14−アリール、５員ないし１４員のヘテロアリール、ＯＲi、ＯＣ（Ｏ）−Ｒj、Ｃ（Ｏ）−ＯＲi、Ｃ（Ｏ）−Ｒi、ＮＲiＲj、ＮＲi−Ｃ（Ｏ）Ｒj、Ｃ（Ｏ）−ＮＲiＲj、Ｎ［Ｃ（Ｏ）Ｒi］［Ｃ（Ｏ）Ｒj］、ＳＲi、ハロゲン、ＣＮ、ＳｉＲSivＲSiwＲSixおよびＮＯ2からなる群から独立して選択される１個〜６個の置換基で置換されていてよく、
ここで、ＲSiv、ＲSiwおよびＲSixは、互いに独立して、Ｈ、Ｃ1〜Ｃ20−アルキル、Ｃ2〜Ｃ20−アルケニル、Ｃ2〜Ｃ20−アルキニル、Ｃ5〜Ｃ6−シクロアルキル、フェニルおよびＯ−Ｓｉ（ＣＨ3）3からなる群から選択され、
ＲiおよびＲjは、独立して、Ｈ、Ｃ1〜Ｃ20−アルキル、Ｃ2〜Ｃ20−アルケニル、Ｃ2〜Ｃ20−アルキニル、Ｃ5〜Ｃ8−シクロアルキル、Ｃ6〜Ｃ14−アリールおよび５員ないし１４員のヘテロアリールからなる群から選択され、
ここで、Ｃ1〜Ｃ20−アルキル、Ｃ2〜Ｃ20−アルケニルおよびＣ2〜Ｃ20−アルキニルは、Ｃ5〜Ｃ6−シクロアルキル、Ｃ6〜Ｃ10−アリール、５員ないし１０員のヘテロアリール、ＯＲk、ＯＣ（Ｏ）−Ｒl、Ｃ（Ｏ）−ＯＲk、Ｃ（Ｏ）−Ｒk、ＮＲkＲl、ＮＲk−Ｃ（Ｏ）Ｒl、Ｃ（Ｏ）−ＮＲkＲl、Ｎ［Ｃ（Ｏ）Ｒk］［Ｃ（Ｏ）Ｒl］、ＳＲk、ハロゲン、ＣＮおよびＮＯ2からなる群から選択される１個〜５個の置換基で置換されていてよく、
Ｃ5〜Ｃ8−シクロアルキルは、Ｃ1〜Ｃ10−アルキル、Ｃ2〜Ｃ10−アルケニル、Ｃ2〜Ｃ10−アルキニル、Ｃ5〜Ｃ6−シクロアルキル、Ｃ6〜Ｃ10−アリール、５員ないし１０員のヘテロアリール、ＯＲk、ＯＣ（Ｏ）−Ｒl、Ｃ（Ｏ）−ＯＲk、Ｃ（Ｏ）−Ｒk、ＮＲkＲl、ＮＲk−Ｃ（Ｏ）Ｒl、Ｃ（Ｏ）−ＮＲkＲl、Ｎ［Ｃ（Ｏ）Ｒk］［Ｃ（Ｏ）Ｒl］、ＳＲk、ハロゲン、ＣＮおよびＮＯ2からなる群から選択される１個〜５個の置換基で置換されていてよく、
Ｃ6〜Ｃ14−アリールおよび５員ないし１４員のヘテロアリールは、Ｃ1〜Ｃ10−アルキル、Ｃ2〜Ｃ10−アルケニル、Ｃ2〜Ｃ10−アルキニル、Ｃ5〜Ｃ6−シクロアルキル、Ｃ6〜Ｃ10−アリール、５員ないし１０員のヘテロアリール、ＯＲk、ＯＣ（Ｏ）−Ｒl、Ｃ（Ｏ）−ＯＲk、Ｃ（Ｏ）−Ｒk、ＮＲkＲl、ＮＲk−Ｃ（Ｏ）Ｒl、Ｃ（Ｏ）−ＮＲkＲl、Ｎ［Ｃ（Ｏ）Ｒk］［Ｃ（Ｏ）Ｒl］、ＳＲk、ハロゲン、ＣＮおよびＮＯ2からなる群から独立して選択される１個〜５個の置換基で置換されていてよく、
ここで、ＲkおよびＲlは、独立して、Ｈ、Ｃ1〜Ｃ10−アルキル、Ｃ2〜Ｃ10−アルケニルおよびＣ2〜Ｃ10−アルキニルからなる群から選択され、
ここで、Ｃ1〜Ｃ10−アルキル、Ｃ2〜Ｃ10−アルケニルおよびＣ2〜Ｃ10−アルキニルは、ハロゲン、ＣＮおよびＮＯ2からなる群から選択される１個〜５個の置換基で置換されていてよく、かつ
ｎおよびｍは、請求項１で定義した通りである、前記ポリマー。
【請求項８】
請求項４、５または６に記載のポリマーであって、前記式中、
Ｌ1およびＬ2は、互いに独立して、それぞれの場合に、５員ないし２０員のヘテロアリーレン、および
【化１４】
2017523281.tif 000108
からなる群から選択され、
ここで、５員ないし２０員のヘテロアリーレンは、
【化１５】
2017523281.tif 000109
【化１６】
2017523281.tif 000110
からなる群から選択され、
ここで、Ｒ104およびＲ105は、独立して、それぞれの場合に、Ｈ、Ｃ1〜Ｃ20−アルキル、Ｃ2〜Ｃ20−アルケニル、Ｃ2〜Ｃ20−アルキニル、Ｃ5〜Ｃ8−シクロアルキル、Ｃ6〜Ｃ14−アリールおよび５員ないし１４員のヘテロアリールからなる群から選択され、またはＲ104およびＲ105は、同じ原子に結合される場合に、それらが結合される原子と一緒になって、５員ないし１２員の環系を形成し、
ここで、Ｃ1〜Ｃ20−アルキル、Ｃ2〜Ｃ20−アルケニルおよびＣ2〜Ｃ20−アルキニルは、Ｃ5〜Ｃ6−シクロアルキル、Ｃ6〜Ｃ10−アリール、５員ないし１０員のヘテロアリール、ＯＲs、ＯＣ（Ｏ）−Ｒt、Ｃ（Ｏ）−ＯＲs、Ｃ（Ｏ）−Ｒs、ＮＲsＲt、ＮＲs−Ｃ（Ｏ）Ｒt、Ｃ（Ｏ）−ＮＲsＲt、Ｎ［Ｃ（Ｏ）Ｒs］［Ｃ（Ｏ）Ｒt］、ＳＲs、ハロゲン、ＣＮおよびＮＯ2からなる群から選択される１個〜５個の置換基で置換されていてよく、
Ｃ5〜Ｃ8−シクロアルキルは、Ｃ1〜Ｃ10−アルキル、Ｃ2〜Ｃ10−アルケニル、Ｃ2〜Ｃ10−アルキニル、Ｃ5〜Ｃ6−シクロアルキル、Ｃ6〜Ｃ10−アリール、５員ないし１０員のヘテロアリール、ＯＲs、ＯＣ（Ｏ）−Ｒt、Ｃ（Ｏ）−ＯＲs、Ｃ（Ｏ）−Ｒs、ＮＲsＲt、ＮＲs−Ｃ（Ｏ）Ｒt、Ｃ（Ｏ）−ＮＲsＲt、Ｎ［Ｃ（Ｏ）Ｒs］［Ｃ（Ｏ）Ｒt］、ＳＲs、ハロゲン、ＣＮおよびＮＯ2からなる群から選択される１個〜５個の置換基で置換されていてよく、
Ｃ6〜Ｃ14−アリールおよび５員ないし１４員のヘテロアリールは、Ｃ1〜Ｃ10−アルキル、Ｃ2〜Ｃ10−アルケニル、Ｃ2〜Ｃ10−アルキニル、Ｃ5〜Ｃ6−シクロアルキル、Ｃ6〜Ｃ10−アリール、５員ないし１０員のヘテロアリール、ＯＲs、ＯＣ（Ｏ）−Ｒt、Ｃ（Ｏ）−ＯＲs、Ｃ（Ｏ）−Ｒs、ＮＲsＲt、ＮＲs−Ｃ（Ｏ）Ｒt、Ｃ（Ｏ）−ＮＲsＲt、Ｎ［Ｃ（Ｏ）Ｒs］［Ｃ（Ｏ）Ｒt］、ＳＲs、ハロゲン、ＣＮおよびＮＯ2からなる群から独立して選択される１個〜５個の置換基で置換されていてよく、
５員ないし１２員の環系は、Ｃ1〜Ｃ10−アルキル、Ｃ2〜Ｃ10−アルケニル、Ｃ2〜Ｃ10−アルキニル、Ｃ5〜Ｃ6−シクロアルキル、Ｃ6〜Ｃ10−アリール、５員ないし１０員のヘテロアリール、ＯＲs、ＯＣ（Ｏ）−Ｒt、Ｃ（Ｏ）−ＯＲs、Ｃ（Ｏ）−Ｒs、ＮＲsＲt、ＮＲs−Ｃ（Ｏ）Ｒt、Ｃ（Ｏ）−ＮＲsＲt、Ｎ［Ｃ（Ｏ）Ｒs］［Ｃ（Ｏ）Ｒt］、ＳＲs、ハロゲン、ＣＮおよびＮＯ2からなる群から選択される１個〜５個の置換基で置換されていてよく、
ここで、ＲsおよびＲtは、独立して、Ｈ、Ｃ1〜Ｃ10−アルキル、Ｃ2〜Ｃ10−アルケニルおよびＣ2〜Ｃ10−アルキニルからなる群から選択され、
ここで、Ｃ1〜Ｃ10−アルキル、Ｃ2〜Ｃ10−アルケニルおよびＣ2〜Ｃ10−アルキニルは、ハロゲン、ＣＮおよびＮＯ2からなる群から選択される１個〜５個の置換基で置換されていてよく、
ここで、５員ないし２０員のヘテロアリーレンは、Ｃ1〜Ｃ30−アルキルおよびハロゲンからなる群からそれぞれの場合に選択される１個〜６個の置換基Ｒ3で置換されていてよく、かつ
ここで、
【化１７】
2017523281.tif 000111
は、Ｃ1〜Ｃ30−アルキル、Ｃ（Ｏ）−Ｒ41、Ｃ（Ｏ）−ＯＲ41およびＣＮからなる群からそれぞれの場合に選択される１個または２個の置換基Ｒ4で置換されていてよく、
ここで、Ｒ41は、それぞれの場合に、Ｃ1〜Ｃ30−アルキルであり、かつ
ｎおよびｍは、請求項１で定義した通りである、前記ポリマー。
【請求項９】
請求項４、５または６に記載のポリマーであって、前記式中、
Ｌ1およびＬ2は、互いに独立して、それぞれの場合に、５員ないし２０員のヘテロアリーレンであり、
ここで、５員ないし２０員のヘテロアリーレンは、
【化１８】
2017523281.tif 000112
からなる群から選択され、
ここで、５員ないし２０員のヘテロアリーレンは、非置換である、前記ポリマー。
【請求項１０】
請求項７、８または９に記載のポリマーであって、前記式中、
ｎは、０、１または２であり、かつ
ｍは、０、１または２である、前記ポリマー。
【請求項１１】
請求項１に記載のポリマーであって、その式中、ｎが０である式（１−Ｉ）：
【化１９】
2017523281.tif 000113
［式中、Ｘ1、Ｘ2、Ｘ3、Ａ、Ｂ、Ｌ2およびｍは、請求項１に定義される通りである］のポリマーの製造方法において、
式（２）：
【化２０】
2017523281.tif 000114
［式中、Ｙは、それぞれの場合に、Ｉ、Ｂｒ、ＣｌまたはＯ−Ｓ（Ｏ）2ＣＦ3であり、かつＸ1、Ｘ2、Ｘ3、ＡおよびＢは、式（１−Ｉ）の化合物について定義した通りである］の化合物を、
ｍモル当量の式（３）：
【化２１】
2017523281.tif 000115
［式中、Ｌ2は、式（１−Ｉ）の化合物について定義した通りであり、かつ
ＺaおよびＺbは、独立して、Ｂ（ＯＺ1）（ＯＺ2）、ＳｎＺ1Ｚ2Ｚ3、
【化２２】
2017523281.tif 000116
からなる群から選択され、
ここで、Ｚ1、Ｚ2、Ｚ3、Ｚ4、Ｚ5およびＺ6は、互いに独立して、それぞれの場合に、ＨまたはＣ1〜Ｃ4−アルキルである］の化合物で処理するステップを含む、前記製造方法。
【請求項１２】
式（２）：
【化２３】
2017523281.tif 000117
［式中、Ｘ1、Ｘ2、Ｘ3、ＡおよびＢは、請求項１に定義される通りであり、かつ
Ｙは、それぞれの場合に、Ｉ、Ｂｒ、ＣｌまたはＯ−Ｓ（Ｏ）2ＣＦ3である］
の中間体。
【請求項１３】
請求項１から１０までのいずれか１項に記載のポリマーを含む電子デバイス。
【請求項１４】
前記電子デバイスは、有機電界効果トランジスタである、請求項１３に記載の電子デバイス。
【請求項１５】
請求項１から１０までのいずれか１項に記載のポリマーの半導体材料としての使用。
【発明の詳細な説明】
【技術分野】
【０００１】
本発明は、ポリマー、これらのポリマーの製造方法、中間体、これらのポリマーを含む電子デバイス、およびこれらのポリマーの半導体材料としての使用に関する。
【０００２】
有機半導体材料は、電子デバイス、例えば有機光起電デバイス（ＯＰＶ）、有機電界効果トランジスタ（ＯＦＥＴ）、有機発光ダイオード（ＯＬＥＤ）、有機フォトダイオード（ＯＰＤ）および有機エレクトロクロミックデバイス（ＥＣＤ）において使用することができる。
【０００３】
有機半導体材料はスピンコート法のような液体加工技術と適合可能であることが望ましい。それというのも、液体加工技術は、加工性の観点から使いやすく、こうして低価格の有機半導体材料ベースの電子デバイスの製造を可能にするからである。更に、液体加工技術は、プラスチック基板とも適合可能であり、こうして軽量かつ機械的にフレキシブルな有機半導体材料ベースの電子デバイスの製造を可能にする。
【０００４】
有機光起電デバイス（ＯＰＶ）、有機電界効果トランジスタ（ＯＦＥＴ）および有機フォトダイオード（ＯＰＤ）で利用するためには、更に、有機半導体材料が高い電荷キャリア移動度を示すことが望まれる。
【０００５】
有機光起電デバイス（ＯＰＶ）および有機フォトダイオード（ＯＰＤ）で利用するためには、有機半導体材料は、可視光および近赤外光に強い吸収も示すべきである。
【０００６】
半導体材料としてのイソインジゴ型の化合物の電子デバイスにおける使用は当該技術分野で知られている。
【０００７】
国際公開第２００９／０５３２９１号パンフレット（ＷＯ  ２００９／０５３２９１）は、以下の単位
【化１】
2017523281.tif 000003
を含む半導体ポリマーおよびこれらのポリマーを含む有機電界効果トランジスタを記載している。
【０００８】
本発明の課題は、有機半導体材料を提供することであった。
【０００９】
前記課題は、請求項１のポリマー、請求項１１の方法、請求項１２の中間体ならびに請求項１３の電子デバイスおよび請求項１５の使用によって解決される。
【００１０】
本発明のポリマーは、式：
【化２】
2017523281.tif 000004
［式中、
Ｘ1、Ｘ2およびＸ3は、互いに独立して、Ｏ、ＳまたはＮＲ1であり、
Ａは、
【化３】
2017523281.tif 000005
からなる群から選択され、
Ｂは、
【化４】
2017523281.tif 000006
からなる群から選択され、
ここで、Ｘ4、Ｘ5およびＸ6は、互いに独立して、Ｏ、ＳまたはＮＲ1であり、
Ａ１、Ａ２、Ａ３、Ｂ１、Ｂ２、Ｂ３、Ｂ４、Ｂ５、Ｂ６またはＢ７は、１個〜３個の置換基Ｒ2で置換されていてよく、
Ｒ1は、それぞれの場合に、Ｈ、Ｃ1〜Ｃ100−アルキル、Ｃ2〜Ｃ100−アルケニル、Ｃ2〜Ｃ100−アルキニル、Ｃ5〜Ｃ12−シクロアルキル、Ｃ6〜Ｃ18−アリール、５員ないし２０員のヘテロアリール、Ｃ（Ｏ）−Ｃ1〜Ｃ100−アルキル、Ｃ（Ｏ）−Ｃ5〜Ｃ12−シクロアルキルおよびＣ（Ｏ）−ＯＣ1〜Ｃ100−アルキルからなる群から選択され、
ここで、Ｃ1〜Ｃ100−アルキル、Ｃ2〜Ｃ100−アルケニルおよびＣ2〜Ｃ100−アルキニルは、Ｃ5〜Ｃ8−シクロアルキル、Ｃ6〜Ｃ14−アリール、５員ないし１４員のヘテロアリール、ＯＲa、ＯＣ（Ｏ）−Ｒa、Ｃ（Ｏ）−ＯＲa、Ｃ（Ｏ）−Ｒa、ＮＲaＲb、ＮＲa−Ｃ（Ｏ）Ｒb、Ｃ（Ｏ）−ＮＲaＲb、Ｎ［Ｃ（Ｏ）Ｒa］［Ｃ（Ｏ）Ｒb］、ＳＲa、Ｓｉ（ＲSia）（ＲSib）（ＲSic）、−Ｏ−Ｓｉ（ＲSia）（ＲSib）（ＲSic）、ハロゲン、ＣＮおよびＮＯ2からなる群から独立して選択される１個〜４０個の置換基で置換されていてよく、かつＣ1〜Ｃ100−アルキル、Ｃ2〜Ｃ100−アルケニルおよびＣ2〜Ｃ100−アルキニルの少なくとも２個のＣＨ2基であるが隣接していないＣＨ2基は、ＯまたはＳによって置き換えられてよく、
Ｃ5〜Ｃ12−シクロアルキルは、Ｃ1〜Ｃ60−アルキル、Ｃ2〜Ｃ60−アルケニル、Ｃ2〜Ｃ60−アルキニル、Ｃ5〜Ｃ8−シクロアルキル、Ｃ6〜Ｃ14−アリール、５員ないし１４員のヘテロアリール、ＯＲa、ＯＣ（Ｏ）−Ｒa、Ｃ（Ｏ）−ＯＲa、Ｃ（Ｏ）−Ｒa、ＮＲaＲb、ＮＲa−Ｃ（Ｏ）Ｒb、Ｃ（Ｏ）−ＮＲaＲb、Ｎ［Ｃ（Ｏ）Ｒa］［Ｃ（Ｏ）Ｒb］、ＳＲa、Ｓｉ（ＲSia）（ＲSib）（ＲSic）、−Ｏ−Ｓｉ（ＲSia）（ＲSib）（ＲSic）、ハロゲン、ＣＮおよびＮＯ2からなる群から独立して選択される１個〜６個の置換基で置換されていてよく、かつＣ5〜Ｃ12−シクロアルキルの１個または２個のＣＨ2基であるが隣接していないＣＨ2基は、Ｏ、Ｓ、ＯＣ（Ｏ）、ＣＯ、ＮＲaまたはＮＲa−ＣＯによって置き換えられてよく、
Ｃ6〜Ｃ18−アリールおよび５員ないし２０員のヘテロアリールは、Ｃ1〜Ｃ60−アルキル、Ｃ2〜Ｃ60−アルケニル、Ｃ2〜Ｃ60−アルキニル、Ｃ5〜Ｃ8−シクロアルキル、Ｃ6〜Ｃ14−アリール、５員ないし１４員のヘテロアリール、ＯＲa、ＯＣ（Ｏ）−Ｒa、Ｃ（Ｏ）−ＯＲa、Ｃ（Ｏ）−Ｒa、ＮＲaＲb、ＮＲa−Ｃ（Ｏ）Ｒb、Ｃ（Ｏ）−ＮＲaＲb、Ｎ［Ｃ（Ｏ）Ｒa］［Ｃ（Ｏ）Ｒb］、ＳＲa、Ｓｉ（ＲSia）（ＲSib）（ＲSic）、−Ｏ−Ｓｉ（ＲSia）（ＲSib）（ＲSic）、ハロゲン、ＣＮおよびＮＯ2からなる群から独立して選択される１個〜６個の置換基で置換されていてよく、
ここで、ＲaおよびＲbは、独立して、Ｈ、Ｃ1〜Ｃ60−アルキル、Ｃ2〜Ｃ60−アルケニル、Ｃ2〜Ｃ60−アルキニル、Ｃ5〜Ｃ8−シクロアルキル、Ｃ6〜Ｃ14−アリールおよび５員ないし１４員のヘテロアリールからなる群から選択され、
ＲSia、ＲSibおよびＲSicは、独立して、Ｈ、Ｃ1〜Ｃ60−アルキル、Ｃ2〜Ｃ60−アルケニル、Ｃ2〜Ｃ60−アルキニル、Ｃ5〜Ｃ8−シクロアルキル、Ｃ6〜Ｃ14−アリール、５員ないし１４員のヘテロアリール、Ｏ−Ｃ1〜Ｃ60−アルキル、Ｏ−Ｃ2〜Ｃ60−アルケニル、Ｏ−Ｃ2〜Ｃ60−アルキニル、Ｏ−Ｃ5〜Ｃ8−シクロアルキル、Ｏ−Ｃ6〜Ｃ14−アリール、Ｏ−５員ないし１４員のヘテロアリール、−［Ｏ−ＳｉＲSidＲSie］o−ＲSif、ＮＲ5Ｒ6、ハロゲンおよびＯ−Ｃ（Ｏ）−Ｒ5からなる群から選択され、
ここで、ｏは、１から５０までの整数であり、
ＲSid、ＲSieおよびＲSifは、独立して、Ｈ、Ｃ1〜Ｃ60−アルキル、Ｃ2〜Ｃ60−アルケニル、Ｃ2〜Ｃ60−アルキニル、Ｃ5〜Ｃ8−シクロアルキル、Ｃ6〜Ｃ14−アリール、５員ないし１４員のヘテロアリール、Ｏ−Ｃ1〜Ｃ60−アルキル、Ｏ−Ｃ2〜Ｃ60−アルケニル、Ｏ−Ｃ2〜Ｃ60−アルキニル、Ｏ−Ｃ5〜Ｃ8−シクロアルキル、Ｏ−Ｃ6〜Ｃ14−アリール、Ｏ−５員ないし１４員のヘテロアリール、−［Ｏ−ＳｉＲSigＲSih］p−ＲSii、ＮＲ50Ｒ60、ハロゲンおよびＯ−Ｃ（Ｏ）−Ｒ50からなる群から選択され、
ここで、ｐは、１から５０までの整数であり、
ＲSig、ＲSihおよびＲSiiは、独立して、Ｈ、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリール、５員ないし１０員のヘテロアリール、Ｏ−Ｃ1〜Ｃ30−アルキル、Ｏ−Ｃ2〜Ｃ30−アルケニル、Ｏ−Ｃ2〜Ｃ30−アルキニル、Ｏ−Ｃ5〜Ｃ6−シクロアルキル、Ｏ−Ｃ6〜Ｃ10−アリール、Ｏ−５員ないし１０員のヘテロアリール、Ｏ−Ｓｉ（ＣＨ3）3、ＮＲ500Ｒ600、ハロゲンおよびＯ−Ｃ（Ｏ）−Ｒ500からなる群から選択され、
Ｒ5、Ｒ6、Ｒ50、Ｒ60、Ｒ500およびＲ600は、独立して、Ｈ、Ｃ1〜Ｃ60−アルキル、Ｃ2〜Ｃ60−アルケニル、Ｃ2〜Ｃ60−アルキニル、Ｃ5〜Ｃ8−シクロアルキル、Ｃ6〜Ｃ14−アリールおよび５員ないし１４員のヘテロアリールからなる群から選択され、
Ｃ1〜Ｃ60−アルキル、Ｃ2〜Ｃ60−アルケニルおよびＣ2〜Ｃ60−アルキニルは、Ｃ5〜Ｃ6−シクロアルキル、Ｃ6〜Ｃ10−アリール、ＯＲc、ＯＣ（Ｏ）−Ｒc、Ｃ（Ｏ）−ＯＲc、Ｃ（Ｏ）−Ｒc、ＮＲcＲd、ＮＲc−Ｃ（Ｏ）Ｒd、Ｃ（Ｏ）−ＮＲcＲd、Ｎ［Ｃ（Ｏ）Ｒc］［Ｃ（Ｏ）Ｒd］、ＳＲc、Ｓｉ（ＲSij）（ＲSik）（ＲSil）、−Ｏ−Ｓｉ（ＲSij）（ＲSik）（ＲSil）、ハロゲン、ＣＮおよびＮＯ2からなる群から選択される１個〜２０個の置換基で置換されていてよく、かつＣ1〜Ｃ60−アルキル、Ｃ2〜Ｃ60−アルケニルおよびＣ2〜Ｃ60−アルキニルの少なくとも２個のＣＨ2基であるが隣接していないＣＨ2基は、ＯまたはＳによって置き換えられてよく、
Ｃ5〜Ｃ8−シクロアルキルは、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリール、ＯＲc、ＯＣ（Ｏ）−Ｒc、Ｃ（Ｏ）−ＯＲc、Ｃ（Ｏ）−Ｒc、ＮＲcＲd、ＮＲc−Ｃ（Ｏ）Ｒd、Ｃ（Ｏ）−ＮＲcＲd、Ｎ［Ｃ（Ｏ）Ｒc］［Ｃ（Ｏ）Ｒd］、ＳＲc、Ｓｉ（ＲSij）（ＲSik）（ＲSil）、−Ｏ−Ｓｉ（ＲSij）（ＲSik）（ＲSil）、ハロゲン、ＣＮおよびＮＯ2からなる群から選択される１個〜５個の置換基で置換されていてよく、かつＣ5〜Ｃ8−シクロアルキルの１個または２個のＣＨ2基であるが隣接していないＣＨ2基は、Ｏ、Ｓ、ＯＣ（Ｏ）、ＣＯ、ＮＲcまたはＮＲc−ＣＯによって置き換えられてよく、
Ｃ6〜Ｃ14−アリールおよび５員ないし１４員のヘテロアリールは、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリール、ＯＲc、ＯＣ（Ｏ）−Ｒc、Ｃ（Ｏ）−ＯＲc、Ｃ（Ｏ）−Ｒc、ＮＲcＲd、ＮＲc−Ｃ（Ｏ）Ｒd、Ｃ（Ｏ）−ＮＲcＲd、Ｎ［Ｃ（Ｏ）Ｒc］［Ｃ（Ｏ）Ｒd］、ＳＲc、Ｓｉ（ＲSij）（ＲSik）（ＲSil）、−Ｏ−Ｓｉ（ＲSij）（ＲSik）（ＲSil）、ハロゲン、ＣＮおよびＮＯ2からなる群から独立して選択される１個〜５個の置換基で置換されていてよく、
ここで、ＲcおよびＲdは、独立して、Ｈ、Ｃ1〜Ｃ30−アルキル、Ｃ2〜Ｃ30−アルケニルおよびＣ2〜Ｃ30−アルキニルからなる群から選択され、
ＲSij、ＲSikおよびＲSilは、独立して、Ｈ、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリール、５員ないし１０員のヘテロアリール、Ｏ−Ｃ1〜Ｃ30−アルキル、Ｏ−Ｃ2〜Ｃ30−アルケニル、Ｏ−Ｃ2〜Ｃ30−アルキニル、Ｏ−Ｃ5〜Ｃ6−シクロアルキル、Ｏ−Ｃ6〜Ｃ10−アリール、Ｏ−５員ないし１０員のヘテロアリール、−［Ｏ−ＳｉＲSimＲSin］q−ＲSio、ＮＲ7Ｒ8、ハロゲンおよびＯ−Ｃ（Ｏ）−Ｒ7からなる群から選択され、
ここで、ｑは、１から５０までの整数であり、
ＲSim、ＲSinおよびＲSioは、独立して、Ｈ、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリール、５員ないし１０員のヘテロアリール、Ｏ−Ｃ1〜Ｃ30−アルキル、Ｏ−Ｃ2〜Ｃ30−アルケニル、Ｏ−Ｃ2〜Ｃ30−アルキニル、Ｏ−Ｃ5〜Ｃ6−シクロアルキル、Ｏ−Ｃ6〜Ｃ10−アリール、Ｏ−５員ないし１０員のヘテロアリール、−［Ｏ−ＳｉＲSipＲSiq］r−ＲSir、ＮＲ70Ｒ80、ハロゲンおよびＯ−Ｃ（Ｏ）−Ｒ70からなる群から選択され、
ここで、ｒは、１から５０までの整数であり、
ＲSip、ＲSiqおよびＲSirは、独立して、Ｈ、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリール、５員ないし１０員のヘテロアリール、Ｏ−Ｃ1〜Ｃ30−アルキル、Ｏ−Ｃ2〜Ｃ30−アルケニル、Ｏ−Ｃ2〜Ｃ30−アルキニル、Ｏ−Ｃ5〜Ｃ6−シクロアルキル、Ｏ−Ｃ6〜Ｃ10−アリール、Ｏ−５員ないし１０員のヘテロアリール、Ｏ−Ｓｉ（ＣＨ3）3、ＮＲ700Ｒ800、ハロゲンおよびＯ−Ｃ（Ｏ）−Ｒ700からなる群から選択され、
Ｒ7、Ｒ8、Ｒ70、Ｒ80、Ｒ700およびＲ800は、独立して、Ｈ、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリールおよび５員ないし１０員のヘテロアリールからなる群から選択され、
Ｃ1〜Ｃ30−アルキル、Ｃ2〜Ｃ30−アルケニルおよびＣ2〜Ｃ30−アルキニルは、ハロゲン、ＣＮおよびＮＯ2からなる群から選択される１個〜１０個の置換基で置換されていてよく、
Ｒ2は、それぞれの場合に、Ｃ1〜Ｃ30−アルキル、Ｃ2〜Ｃ30−アルケニル、Ｃ2〜Ｃ30−アルキニル、Ｃ5〜Ｃ12−シクロアルキル、Ｃ6〜Ｃ18−アリール、５員ないし２０員のヘテロアリール、ＯＲ21、ＯＣ（Ｏ）−Ｒ21、Ｃ（Ｏ）−ＯＲ21、Ｃ（Ｏ）−Ｒ21、ＮＲ21Ｒ22、ＮＲ21−Ｃ（Ｏ）Ｒ22、Ｃ（Ｏ）−ＮＲ21Ｒ22、Ｎ［Ｃ（Ｏ）Ｒ21］［Ｃ（Ｏ）Ｒ22］、ＳＲ21、ハロゲン、ＣＮ、ＳｉＲSisＲSitＲSiuおよびＯＨからなる群から選択され、
ここで、Ｒ21およびＲ22は、独立して、Ｈ、Ｃ1〜Ｃ30−アルキル、Ｃ2〜Ｃ30−アルケニル、Ｃ2〜Ｃ30−アルキニル、Ｃ5〜Ｃ12−シクロアルキル、Ｃ6〜Ｃ18−アリールおよび５員ないし２０員のヘテロアリールからなる群から選択され、かつ
Ｃ1〜Ｃ30−アルキル、Ｃ2〜Ｃ30−アルケニルおよびＣ2〜Ｃ30−アルキニルは、Ｃ5〜Ｃ8−シクロアルキル、Ｃ6〜Ｃ14−アリール、５員ないし１４員のヘテロアリール、ＯＲe、ＯＣ（Ｏ）−Ｒe、Ｃ（Ｏ）−ＯＲe、Ｃ（Ｏ）−Ｒe、ＮＲeＲf、ＮＲe−Ｃ（Ｏ）Ｒf、Ｃ（Ｏ）−ＮＲeＲf、Ｎ［Ｃ（Ｏ）Ｒe］［Ｃ（Ｏ）Ｒf］、ＳＲe、ハロゲン、ＣＮ、Ｓｉ（ＲSis）（ＲSit）（ＲSiu）およびＮＯ2からなる群から独立して選択される１個〜１０個の置換基で置換されていてよく、かつＣ1〜Ｃ30−アルキル、Ｃ2〜Ｃ30−アルケニルおよびＣ2〜Ｃ30−アルキニルの少なくとも２個のＣＨ2基であるが隣接していないＣＨ2基は、ＯまたはＳによって置き換えられてよく、
Ｃ5〜Ｃ12−シクロアルキルは、Ｃ1〜Ｃ20−アルキル、Ｃ2〜Ｃ20−アルケニルおよびＣ2〜Ｃ20−アルキニル、Ｃ5〜Ｃ8−シクロアルキル、Ｃ6〜Ｃ14−アリール、５員ないし１４員のヘテロアリール、ＯＲe、ＯＣ（Ｏ）−Ｒe、Ｃ（Ｏ）−ＯＲe、Ｃ（Ｏ）−Ｒe、ＮＲeＲf、ＮＲe−Ｃ（Ｏ）Ｒf、Ｃ（Ｏ）−ＮＲeＲf、Ｎ［Ｃ（Ｏ）Ｒe］［Ｃ（Ｏ）Ｒf］、ＳＲe、ハロゲン、ＣＮ、ＳｉＲSisＲSitＲSiuおよびＮＯ2からなる群から独立して選択される１個〜６個の置換基で置換されていてよく、かつＣ5〜Ｃ12−シクロアルキルの１個または２個のＣＨ2基であるが隣接していないＣＨ2基は、Ｏ、Ｓ、ＯＣ（Ｏ）、ＣＯ、ＮＲeまたはＮＲe−ＣＯによって置き換えられてよく、
Ｃ  6〜Ｃ18−アリールおよび５員ないし２０員のヘテロアリールは、Ｃ1〜Ｃ20−アルキル、Ｃ2〜Ｃ20−アルケニル、Ｃ2〜Ｃ20−アルキニル、Ｃ5〜Ｃ8−シクロアルキル、Ｃ6〜Ｃ14−アリール、５員ないし１４員のヘテロアリール、ＯＲe、ＯＣ（Ｏ）−Ｒe、Ｃ（Ｏ）−ＯＲe、Ｃ（Ｏ）−Ｒe、ＮＲeＲf、ＮＲe−Ｃ（Ｏ）Ｒf、Ｃ（Ｏ）−ＮＲeＲf、Ｎ［Ｃ（Ｏ）Ｒe］［Ｃ（Ｏ）Ｒf］、ＳＲe、ハロゲン、ＣＮ、ＳｉＲSisＲSitＲSiuおよびＮＯ2からなる群から独立して選択される１個〜６個の置換基で置換されていてよく、
ここで、ＲSis、ＲSitおよびＲSiuは、互いに独立して、Ｈ、Ｃ1〜Ｃ20−アルキル、Ｃ2〜Ｃ20−アルケニル、Ｃ2〜Ｃ20−アルキニル、Ｃ5〜Ｃ6−シクロアルキル、フェニルおよびＯ−Ｓｉ（ＣＨ3）3からなる群から選択され、
ＲeおよびＲfは、独立して、Ｈ、Ｃ1〜Ｃ20−アルキル、Ｃ2〜Ｃ20−アルケニル、Ｃ2〜Ｃ20−アルキニル、Ｃ5〜Ｃ8−シクロアルキル、Ｃ6〜Ｃ14−アリールおよび５員ないし１４員のヘテロアリールからなる群から選択され、
ここで、Ｃ1〜Ｃ20−アルキル、Ｃ2〜Ｃ20−アルケニルおよびＣ2〜Ｃ20−アルキニルは、Ｃ5〜Ｃ6−シクロアルキル、Ｃ6〜Ｃ10−アリール、５員ないし１０員のヘテロアリール、ＯＲg、ＯＣ（Ｏ）−Ｒg、Ｃ（Ｏ）−ＯＲg、Ｃ（Ｏ）−Ｒg、ＮＲgＲh、ＮＲg−Ｃ（Ｏ）Ｒh、Ｃ（Ｏ）−ＮＲgＲh、Ｎ［Ｃ（Ｏ）Ｒg］［Ｃ（Ｏ）Ｒh］、ＳＲg、ハロゲン、ＣＮおよびＮＯ2からなる群から選択される１個〜５個の置換基で置換されていてよく、
Ｃ5〜Ｃ8−シクロアルキルは、Ｃ1〜Ｃ10−アルキル、Ｃ2〜Ｃ10−アルケニル、Ｃ2〜Ｃ10−アルキニル、Ｃ5〜Ｃ6−シクロアルキル、Ｃ6〜Ｃ10−アリール、５員ないし１０員のヘテロアリール、ＯＲg、ＯＣ（Ｏ）−Ｒg、Ｃ（Ｏ）−ＯＲg、Ｃ（Ｏ）−Ｒg、ＮＲgＲh、ＮＲg−Ｃ（Ｏ）Ｒh、Ｃ（Ｏ）−ＮＲgＲh、Ｎ［Ｃ（Ｏ）Ｒg］［Ｃ（Ｏ）Ｒh］、ＳＲg、ハロゲン、ＣＮおよびＮＯ2からなる群から独立して選択される１個〜５個の置換基で置換されていてよく、
Ｃ6〜Ｃ14−アリールおよび５員ないし１４員のヘテロアリールは、Ｃ1〜Ｃ10−アルキル、Ｃ2〜Ｃ10−アルケニル、Ｃ2〜Ｃ10−アルキニル、Ｃ5〜Ｃ6−シクロアルキル、Ｃ6〜Ｃ10−アリール、５員ないし１０員のヘテロアリール、ＯＲg、ＯＣ（Ｏ）−Ｒg、Ｃ（Ｏ）−ＯＲg、Ｃ（Ｏ）−Ｒg、ＮＲgＲh、ＮＲg−Ｃ（Ｏ）Ｒh、Ｃ（Ｏ）−ＮＲgＲh、Ｎ［Ｃ（Ｏ）Ｒg］［Ｃ（Ｏ）Ｒh］、ＳＲg、ハロゲン、ＣＮおよびＮＯ2からなる群から独立して選択される１個〜５個の置換基で置換されていてよく、
ここで、ＲgおよびＲhは、独立して、Ｈ、Ｃ1〜Ｃ10−アルキル、Ｃ2〜Ｃ10−アルケニルおよびＣ2〜Ｃ10−アルキニルからなる群から選択され、
ここで、Ｃ1〜Ｃ10−アルキル、Ｃ2〜Ｃ10−アルケニルおよびＣ2〜Ｃ10−アルキニルは、ハロゲン、ＣＮおよびＮＯ2からなる群から選択される１個〜５個の置換基で置換されていてよく、
ｎは、０、１、２または３であり、
ｍは、０、１、２または３であり、かつ
Ｌ1およびＬ2は、互いに独立して、それぞれの場合に、Ｃ6〜Ｃ18−アリーレン、５員ないし２０員のヘテロアリーレン、
【化５】
2017523281.tif 000007
からなる群から選択され、
ここで、Ｃ6〜Ｃ18−アリーレンおよび５員ないし２０員のヘテロアリーレンは、Ｃ1〜Ｃ30−アルキル、Ｃ2〜Ｃ30−アルケニル、Ｃ2〜Ｃ30−アルキニル、Ｃ5〜Ｃ12−シクロアルキル、Ｃ6〜Ｃ18−アリール、５員ないし２０員のヘテロアリール、ＯＲ31、ＯＣ（Ｏ）−Ｒ31、Ｃ（Ｏ）−ＯＲ31、Ｃ（Ｏ）−Ｒ31、ＮＲ31Ｒ32、ＮＲ31−Ｃ（Ｏ）Ｒ32、Ｃ（Ｏ）−ＮＲ31Ｒ32、Ｎ［Ｃ（Ｏ）Ｒ31］［Ｃ（Ｏ）Ｒ32］、ＳＲ31、ハロゲン、ＣＮ、ＳｉＲSivＲSiwＲSixおよびＯＨからなる群からそれぞれの場合に選択される１個〜６個の置換基Ｒ3で置換されていてよく、かつ
ここで、
【化６】
2017523281.tif 000008
は、Ｃ1〜Ｃ30−アルキル、Ｃ2〜Ｃ30−アルケニル、Ｃ2〜Ｃ30−アルキニル、Ｃ5〜Ｃ12−シクロアルキル、Ｃ6〜Ｃ18−アリール、５員ないし２０員のヘテロアリール、Ｃ（Ｏ）−Ｒ41、Ｃ（Ｏ）−ＮＲ41Ｒ42、Ｃ（Ｏ）−ＯＲ41およびＣＮからなる群からそれぞれの場合に選択される１個または２個の置換基Ｒ4で置換されていてよく、
ここで、Ｒ31、Ｒ32、Ｒ41およびＲ42は、互いに独立して、それぞれの場合に、Ｈ、Ｃ1〜Ｃ30−アルキル、Ｃ2〜Ｃ30−アルケニル、Ｃ2〜Ｃ30−アルキニル、Ｃ5〜Ｃ12−シクロアルキル、Ｃ6〜Ｃ18−アリールおよび５員ないし２０員のヘテロアリールからなる群から選択され、かつ
ここで、Ｃ1〜Ｃ30−アルキル、Ｃ2〜Ｃ30−アルケニルおよびＣ2〜Ｃ30−アルキニルは、Ｃ5〜Ｃ8−シクロアルキル、Ｃ6〜Ｃ14−アリール、５員ないし１４員のヘテロアリール、ＯＲi、ＯＣ（Ｏ）−Ｒj、Ｃ（Ｏ）−ＯＲi、Ｃ（Ｏ）−Ｒi、ＮＲiＲj、ＮＲi−Ｃ（Ｏ）Ｒj、Ｃ（Ｏ）−ＮＲiＲj、Ｎ［Ｃ（Ｏ）Ｒi］［Ｃ（Ｏ）Ｒj］、ＳＲi、ハロゲン、ＣＮ、ＳｉＲSivＲSiwＲSixおよびＮＯ2からなる群から独立して選択される１個〜１０個の置換基で置換されていてよく、かつＣ1〜Ｃ30−アルキル、Ｃ2〜Ｃ30−アルケニルおよびＣ2〜Ｃ30−アルキニルの少なくとも２個のＣＨ2基であるが隣接していないＣＨ2基は、ＯまたはＳによって置き換えられてよく、
Ｃ5〜Ｃ12−シクロアルキルは、Ｃ1〜Ｃ20−アルキル、Ｃ2〜Ｃ20−アルケニル、Ｃ2〜Ｃ20−アルキニル、Ｃ5〜Ｃ8−シクロアルキル、Ｃ6〜Ｃ14−アリール、５員ないし１４員のヘテロアリール、ＯＲi、ＯＣ（Ｏ）−Ｒj、Ｃ（Ｏ）−ＯＲi、Ｃ（Ｏ）−Ｒi、ＮＲiＲj、ＮＲi−Ｃ（Ｏ）Ｒj、Ｃ（Ｏ）−ＮＲiＲj、Ｎ［Ｃ（Ｏ）Ｒi］［Ｃ（Ｏ）Ｒj］、ＳＲi、ハロゲン、ＣＮ、ＳｉＲSivＲSiwＲSixおよびＮＯ2からなる群から独立して選択される１個〜６個の置換基で置換されていてよく、かつＣ5〜Ｃ12−シクロアルキルの１個または２個のＣＨ2基であるが隣接していないＣＨ2基は、Ｏ、Ｓ、ＯＣ（Ｏ）、ＣＯ、ＮＲiまたはＮＲi−ＣＯによって置き換えられてよく、
Ｃ6〜Ｃ18−アリールおよび５員ないし２０員のヘテロアリールは、Ｃ1〜Ｃ20−アルキル、Ｃ2〜Ｃ20−アルケニル、Ｃ2〜Ｃ20−アルキニル、Ｃ5〜Ｃ8−シクロアルキル、Ｃ6〜Ｃ14−アリール、５員ないし１４員のヘテロアリール、ＯＲi、ＯＣ（Ｏ）−Ｒj、Ｃ（Ｏ）−ＯＲi、Ｃ（Ｏ）−Ｒi、ＮＲiＲj、ＮＲi−Ｃ（Ｏ）Ｒj、Ｃ（Ｏ）−ＮＲiＲj、Ｎ［Ｃ（Ｏ）Ｒi］［Ｃ（Ｏ）Ｒj］、ＳＲi、ハロゲン、ＣＮ、ＳｉＲSivＲSiwＲSixおよびＮＯ2からなる群から独立して選択される１個〜６個の置換基で置換されていてよく、
ここで、ＲSiv、ＲSiwおよびＲSixは、互いに独立して、Ｈ、Ｃ1〜Ｃ20−アルキル、Ｃ2〜Ｃ20−アルケニル、Ｃ2〜Ｃ20−アルキニル、Ｃ5〜Ｃ6−シクロアルキル、フェニルおよびＯ−Ｓｉ（ＣＨ3）3からなる群から選択され、
ＲiおよびＲjは、独立して、Ｈ、Ｃ1〜Ｃ20−アルキル、Ｃ2〜Ｃ20−アルケニル、Ｃ2〜Ｃ20−アルキニル、Ｃ5〜Ｃ8−シクロアルキル、Ｃ6〜Ｃ14−アリールおよび５員ないし１４員のヘテロアリールからなる群から選択され、
ここで、Ｃ1〜Ｃ20−アルキル、Ｃ2〜Ｃ20−アルケニルおよびＣ2〜Ｃ20−アルキニルは、Ｃ5〜Ｃ6−シクロアルキル、Ｃ6〜Ｃ10−アリール、５員ないし１０員のヘテロアリール、ＯＲk、ＯＣ（Ｏ）−Ｒl、Ｃ（Ｏ）−ＯＲk、Ｃ（Ｏ）−Ｒk、ＮＲkＲl、ＮＲk−Ｃ（Ｏ）Ｒl、Ｃ（Ｏ）−ＮＲkＲl、Ｎ［Ｃ（Ｏ）Ｒk］［Ｃ（Ｏ）Ｒl］、ＳＲk、ハロゲン、ＣＮおよびＮＯ2からなる群から選択される１個〜５個の置換基で置換されていてよく、
Ｃ5〜Ｃ8−シクロアルキルは、Ｃ1〜Ｃ10−アルキル、Ｃ2〜Ｃ10−アルケニル、Ｃ2〜Ｃ10−アルキニル、Ｃ5〜Ｃ6−シクロアルキル、Ｃ6〜Ｃ10−アリール、５員ないし１０員のヘテロアリール、ＯＲk、ＯＣ（Ｏ）−Ｒl、Ｃ（Ｏ）−ＯＲk、Ｃ（Ｏ）−Ｒk、ＮＲkＲl、ＮＲk−Ｃ（Ｏ）Ｒl、Ｃ（Ｏ）−ＮＲkＲl、Ｎ［Ｃ（Ｏ）Ｒk］［Ｃ（Ｏ）Ｒl］、ＳＲk、ハロゲン、ＣＮおよびＮＯ2からなる群から選択される１個〜５個の置換基で置換されていてよく、
Ｃ6〜Ｃ14−アリールおよび５員ないし１４員のヘテロアリールは、Ｃ1〜Ｃ10−アルキル、Ｃ2〜Ｃ10−アルケニル、Ｃ2〜Ｃ10−アルキニル、Ｃ5〜Ｃ6−シクロアルキル、Ｃ6〜Ｃ10−アリール、５員ないし１０員のヘテロアリール、ＯＲk、ＯＣ（Ｏ）−Ｒl、Ｃ（Ｏ）−ＯＲk、Ｃ（Ｏ）−Ｒk、ＮＲkＲl、ＮＲk−Ｃ（Ｏ）Ｒl、Ｃ（Ｏ）−ＮＲkＲl、Ｎ［Ｃ（Ｏ）Ｒk］［Ｃ（Ｏ）Ｒl］、ＳＲk、ハロゲン、ＣＮおよびＮＯ2からなる群から独立して選択される１個〜５個の置換基で置換されていてよく、
ここで、ＲkおよびＲlは、独立して、Ｈ、Ｃ1〜Ｃ10−アルキル、Ｃ2〜Ｃ10−アルケニルおよびＣ2〜Ｃ10−アルキニルからなる群から選択され、
ここで、Ｃ1〜Ｃ10−アルキル、Ｃ2〜Ｃ10−アルケニルおよびＣ2〜Ｃ10−アルキニルは、ハロゲン、ＣＮおよびＮＯ2からなる群から選択される１個〜５個の置換基で置換されていてよい］の少なくとも１つの単位を含む。
【００１１】
ハロゲンは、Ｆ、Ｃｌ、ＢｒおよびＩであってよい。
【００１２】
Ｃ1〜Ｃ4−アルキル、Ｃ1〜Ｃ10−アルキル、Ｃ1〜Ｃ20−アルキル、Ｃ1〜Ｃ30−アルキル、Ｃ1〜Ｃ36−アルキル、Ｃ1〜Ｃ50−アルキル、Ｃ1〜Ｃ60−アルキルおよびＣ1〜Ｃ100−アルキルは、分枝鎖状または非分枝鎖状であってよい。Ｃ1〜Ｃ4−アルキルの例は、メチル、エチル、ｎ−プロピル、イソプロピル、ｎ−ブチル、ｓ−ブチル、イソブチルおよびｔ−ブチルである。Ｃ1〜Ｃ10−アルキルの例は、Ｃ1〜Ｃ4−アルキル、ｎ−ペンチル、ネオペンチル、イソペンチル、ｎ−（１−エチル）プロピル、ｎ−ヘキシル、ｎ−ヘプチル、ｎ−オクチル、ｎ−（２−エチル）ヘキシル、ｎ−ノニルおよびｎ−デシルである。Ｃ1〜Ｃ20−アルキルの例は、Ｃ1〜Ｃ10−アルキルおよびｎ−ウンデシル、ｎ−ドデシル、ｎ−ウンデシル、ｎ−ドデシル、ｎ−トリデシル、ｎ−テトラデシル、ｎ−ペンタデシル、ｎ−ヘキサデシル、ｎ−ヘプタデシル、ｎ−オクタデシル、ｎ−ノナデシルおよびｎ−イコシル（Ｃ20）である。Ｃ1〜Ｃ30−アルキル、Ｃ1〜Ｃ36−アルキル、Ｃ1〜Ｃ50−アルキル、Ｃ1〜Ｃ60−アルキルおよびＣ1〜Ｃ100−アルキルの例は、Ｃ1〜Ｃ20−アルキルおよびｎ−ドコシル（Ｃ22）、ｎ−テトラコシル（Ｃ24）、ｎ−ヘキサコシル（Ｃ26）、ｎ−オクタコシル（Ｃ28）およびｎ−トリアコンチル（Ｃ30）である。
【００１３】
Ｃ2〜Ｃ10−アルケニル、Ｃ2〜Ｃ20−アルケニル、Ｃ2〜Ｃ30−アルケニル、Ｃ2〜Ｃ60−アルケニルおよびＣ2〜Ｃ100−アルケニルは、分枝鎖状または非分枝鎖状であってよい。Ｃ1〜Ｃ20−アルケニルの例は、ビニル、プロペニル、シス−２−ブテニル、トランス−２−ブテニル、３−ブテニル、シス−２−ペンテニル、トランス−２−ペンテニル、シス−３−ペンテニル、トランス−３−ペンテニル、４−ペンテニル、２−メチル−３−ブテニル、ヘキセニル、ヘプテニル、オクテニル、ノネニルおよびドセニルである。Ｃ2〜Ｃ20−アルケニル、Ｃ2〜Ｃ60−アルケニルおよびＣ2〜Ｃ100−アルケニルの例は、Ｃ2〜Ｃ10−アルケニルおよびリノレイル（Ｃ18）、リノレニル（Ｃ18）、オレイル（Ｃ18）およびアラキドニル（Ｃ20）である。Ｃ2〜Ｃ30−アルケニルの例は、Ｃ2〜Ｃ20−アルケニルおよびエルシル（Ｃ22）である。
【００１４】
Ｃ2〜Ｃ10−アルキニル、Ｃ2〜Ｃ20−アルキニル、Ｃ2〜Ｃ30−アルキニル、Ｃ2〜Ｃ60−アルキニルおよびＣ2〜Ｃ100−アルキニルは、分枝鎖状または非分枝鎖状であってよい。Ｃ2〜Ｃ10−アルキニルの例は、エチニル、２−プロピニル、２−ブチニル、３−ブチニル、ペンチニル、ヘキシニル、ヘプチニル、オクチニル、ノニニルおよびデシニルである。Ｃ2〜Ｃ20−アルキニル、Ｃ2〜Ｃ30−アルケニル、Ｃ2〜Ｃ60−アルキニルおよびＣ2〜Ｃ100−アルキニルの例は、ウンデシニル、ドデシニル、ウンデシニル、ドデシニル、トリデシニル、テトラデシニル、ペンタデシニル、ヘキサデシニル、ヘプタデシニル、オクタデシニル、ノナデシニルおよびイコシニル（Ｃ20）である。
【００１５】
Ｃ5〜Ｃ6−シクロアルキルの例は、シクロペンチルおよびシクロヘキシルである。Ｃ5〜Ｃ8−シクロアルキルの例は、Ｃ5〜Ｃ6−シクロアルキルおよびシクロヘプチルおよびシクロオクチルである。Ｃ5〜Ｃ12−シクロアルキルは、Ｃ5〜Ｃ8−シクロアルキルおよびシクロノニル、シクロデシル、シクロウンデシルおよびシクロドデシルである。
【００１６】
Ｃ6〜Ｃ10−アリールの例は、フェニル、
【化７】
2017523281.tif 000009
である。
【００１７】
Ｃ6〜Ｃ14−アリールの例は、Ｃ6〜Ｃ10−アリールならびに
【化８】
2017523281.tif 000010
である。
【００１８】
Ｃ6〜Ｃ18−アリールの例は、Ｃ6〜Ｃ14−アリールならびに
【化９】
2017523281.tif 000011
である。
【００１９】
５員ないし１０員のヘテロアリールは、５員ないし１０員の単環式または多環式の、例えば二環式、三環式または四環式の環系であって、少なくとも１個の複素芳香族環を含むとともに、＝Ｏによって置換されていてよい非芳香族環を含んでもよい、前記環系である。
【００２０】
５員ないし１４員のヘテロアリールは、５員ないし１４員の単環式または多環式の、例えば二環式、三環式または四環式の環系であって、少なくとも１個の複素芳香族環を含むとともに、＝Ｏによって置換されていてよい非芳香族環を含んでもよい、前記環系である。
【００２１】
５員ないし２０員のヘテロアリールは、５員ないし２０員の単環式または多環式の、例えば二環式、三環式または四環式の環系であって、少なくとも１個の複素芳香族環を含むとともに、＝Ｏによって置換されていてよい非芳香族環を含んでもよい、前記環系である。
【００２２】
５員ないし１０員のヘテロアリールの例は、
【化１０】
2017523281.tif 000012
【００２３】
【化１１】
2017523281.tif 000013
であり、
５員ないし１４員のヘテロアリールの例は、前記５員ないし１０員のヘテロアリールについて示した例ならびに
【化１２】
2017523281.tif 000014
【００２４】
【化１３】
2017523281.tif 000015
であり、
５員ないし２０員のヘテロアリールの例は、前記５員ないし１４員のヘテロアリールについて示した例ならびに
【化１４】
2017523281.tif 000016
【００２５】
【化１５】
2017523281.tif 000017
であり、
ここで、Ｒ100およびＲ101は、独立して、それぞれの場合に、Ｈ、Ｃ1〜Ｃ20−アルキル、Ｃ2〜Ｃ20−アルケニル、Ｃ2〜Ｃ20−アルキニル、Ｃ5〜Ｃ8−シクロアルキル、Ｃ6〜Ｃ14−アリールおよび５員ないし１４員のヘテロアリールからなる群から選択され、またはＲ100およびＲ101は、同じ原子に結合される場合に、それらが結合される原子と一緒になって、５員ないし１２員の環系を形成し、
ここで、Ｃ1〜Ｃ20−アルキル、Ｃ2〜Ｃ20−アルケニルおよびＣ2〜Ｃ20−アルキニルは、Ｃ5〜Ｃ6−シクロアルキル、Ｃ6〜Ｃ10−アリール、５員ないし１０員のヘテロアリール、ＯＲq、ＯＣ（Ｏ）−Ｒq、Ｃ（Ｏ）−ＯＲq、Ｃ（Ｏ）−Ｒq、ＮＲqＲr、ＮＲq−Ｃ（Ｏ）Ｒr、Ｃ（Ｏ）−ＮＲqＲr、Ｎ［Ｃ（Ｏ）Ｒq］［Ｃ（Ｏ）Ｒr］、ＳＲq、ハロゲン、ＣＮおよびＮＯ2からなる群から選択される１個〜５個の置換基で置換されていてよく、
Ｃ5〜Ｃ8−シクロアルキルは、Ｃ1〜Ｃ10−アルキル、Ｃ2〜Ｃ10−アルケニル、Ｃ2〜Ｃ10−アルキニル、Ｃ5〜Ｃ6−シクロアルキル、Ｃ6〜Ｃ10−アリール、５員ないし１０員のヘテロアリール、ＯＲq、ＯＣ（Ｏ）−Ｒq、Ｃ（Ｏ）−ＯＲq、Ｃ（Ｏ）−Ｒq、ＮＲqＲr、ＮＲq−Ｃ（Ｏ）Ｒr、Ｃ（Ｏ）−ＮＲqＲr、Ｎ［Ｃ（Ｏ）Ｒq］［Ｃ（Ｏ）Ｒr］、ＳＲq、ハロゲン、ＣＮおよびＮＯ2からなる群から選択される１個〜５個の置換基で置換されていてよく、
Ｃ6〜Ｃ14−アリールおよび５員ないし１４員のヘテロアリールは、Ｃ1〜Ｃ10−アルキル、Ｃ2〜Ｃ10−アルケニル、Ｃ2〜Ｃ10−アルキニル、Ｃ5〜Ｃ6−シクロアルキル、Ｃ6〜Ｃ10−アリール、５員ないし１０員のヘテロアリール、ＯＲq、ＯＣ（Ｏ）−Ｒq、Ｃ（Ｏ）−ＯＲq、Ｃ（Ｏ）−Ｒq、ＮＲqＲr、ＮＲq−Ｃ（Ｏ）Ｒr、Ｃ（Ｏ）−ＮＲqＲr、Ｎ［Ｃ（Ｏ）Ｒq］［Ｃ（Ｏ）Ｒr］、ＳＲq、ハロゲン、ＣＮおよびＮＯ2からなる群から独立して選択される１個〜５個の置換基で置換されていてよく、
５員ないし１２員の環系は、Ｃ1〜Ｃ10−アルキル、Ｃ2〜Ｃ10−アルケニル、Ｃ2〜Ｃ10−アルキニル、Ｃ5〜Ｃ6−シクロアルキル、Ｃ6〜Ｃ10−アリール、５員ないし１０員のヘテロアリール、ＯＲq、ＯＣ（Ｏ）−Ｒq、Ｃ（Ｏ）−ＯＲq、Ｃ（Ｏ）−Ｒq、ＮＲqＲr、ＮＲq−Ｃ（Ｏ）Ｒr、Ｃ（Ｏ）−ＮＲqＲr、Ｎ［Ｃ（Ｏ）Ｒq］［Ｃ（Ｏ）Ｒr］、ＳＲq、ハロゲン、ＣＮおよびＮＯ2からなる群から選択される１個〜５個の置換基で置換されていてよく、
ここで、ＲqおよびＲrは、独立して、Ｈ、Ｃ1〜Ｃ10−アルキル、Ｃ2〜Ｃ10−アルケニルおよびＣ2〜Ｃ10−アルキニルからなる群から選択され、
ここで、Ｃ1〜Ｃ10−アルキル、Ｃ2〜Ｃ10−アルケニルおよびＣ2〜Ｃ10−アルキニルは、ハロゲン、ＣＮおよびＮＯ2からなる群から選択される１個〜５個の置換基で置換されていてよい。
【００２６】
Ｃ6〜Ｃ18−アリーレンは、６員ないし１８員の単環式または多環式の、例えば二環式、三環式または四環式の環系であって、少なくとも１個の炭素芳香族環を含むとともに、＝Ｏによって置換されていてよい非芳香族環を含んでもよい、前記環系である。
【００２７】
Ｃ6〜Ｃ18−アリーレンの例は、
【化１６】
2017523281.tif 000018
［式中、
Ｒ102およびＲ103は、独立して、それぞれの場合に、Ｈ、Ｃ1〜Ｃ20−アルキル、Ｃ2〜Ｃ20−アルケニル、Ｃ2〜Ｃ20−アルキニル、Ｃ5〜Ｃ8−シクロアルキル、Ｃ6〜Ｃ14−アリールおよび５員ないし１４員のヘテロアリールからなる群から選択され、またはＲ102およびＲ103は、同じ原子に結合される場合に、それらが結合される原子と一緒になって、５員ないし１２員の環系を形成し、
ここで、Ｃ1〜Ｃ20−アルキル、Ｃ2〜Ｃ20−アルケニルおよびＣ2〜Ｃ20−アルキニルは、Ｃ5〜Ｃ6−シクロアルキル、Ｃ6〜Ｃ10−アリール、５員ないし１０員のヘテロアリール、ＯＲs、ＯＣ（Ｏ）−Ｒt、Ｃ（Ｏ）−ＯＲs、Ｃ（Ｏ）−Ｒs、ＮＲsＲt、ＮＲs−Ｃ（Ｏ）Ｒt、Ｃ（Ｏ）−ＮＲsＲt、Ｎ［Ｃ（Ｏ）Ｒs］［Ｃ（Ｏ）Ｒt］、ＳＲs、ハロゲン、ＣＮおよびＮＯ2からなる群から選択される１個〜５個の置換基で置換されていてよく、
Ｃ5〜Ｃ8−シクロアルキルは、Ｃ1〜Ｃ10−アルキル、Ｃ2〜Ｃ10−アルケニル、Ｃ2〜Ｃ10−アルキニル、Ｃ5〜Ｃ6−シクロアルキル、Ｃ6〜Ｃ10−アリール、５員ないし１０員のヘテロアリール、ＯＲs、ＯＣ（Ｏ）−Ｒt、Ｃ（Ｏ）−ＯＲs、Ｃ（Ｏ）−Ｒs、ＮＲsＲt、ＮＲs−Ｃ（Ｏ）Ｒt、Ｃ（Ｏ）−ＮＲsＲt、Ｎ［Ｃ（Ｏ）Ｒs］［Ｃ（Ｏ）Ｒt］、ＳＲs、ハロゲン、ＣＮおよびＮＯ2からなる群から選択される１個〜５個の置換基で置換されていてよく、
Ｃ6〜Ｃ14−アリールおよび５員ないし１４員のヘテロアリールは、Ｃ1〜Ｃ10−アルキル、Ｃ2〜Ｃ10−アルケニル、Ｃ2〜Ｃ10−アルキニル、Ｃ5〜Ｃ6−シクロアルキル、Ｃ6〜Ｃ10−アリール、５員ないし１０員のヘテロアリール、ＯＲs、ＯＣ（Ｏ）−Ｒt、Ｃ（Ｏ）−ＯＲs、Ｃ（Ｏ）−Ｒs、ＮＲsＲt、ＮＲs−Ｃ（Ｏ）Ｒt、Ｃ（Ｏ）−ＮＲsＲt、Ｎ［Ｃ（Ｏ）Ｒs］［Ｃ（Ｏ）Ｒt］、ＳＲs、ハロゲン、ＣＮおよびＮＯ2からなる群から独立して選択される１個〜５個の置換基で置換されていてよく、
５員ないし１２員の環系は、Ｃ1〜Ｃ10−アルキル、Ｃ2〜Ｃ10−アルケニル、Ｃ2〜Ｃ10−アルキニル、Ｃ5〜Ｃ6−シクロアルキル、Ｃ6〜Ｃ10−アリール、５員ないし１０員のヘテロアリール、ＯＲs、ＯＣ（Ｏ）−Ｒt、Ｃ（Ｏ）−ＯＲs、Ｃ（Ｏ）−Ｒs、ＮＲsＲt、ＮＲs−Ｃ（Ｏ）Ｒt、Ｃ（Ｏ）−ＮＲsＲt、Ｎ［Ｃ（Ｏ）Ｒs］［Ｃ（Ｏ）Ｒt］、ＳＲs、ハロゲン、ＣＮおよびＮＯ2からなる群から選択される１個〜５個の置換基で置換されていてよく、
ここで、ＲsおよびＲtは、独立して、Ｈ、Ｃ1〜Ｃ10−アルキル、Ｃ2〜Ｃ10−アルケニルおよびＣ2〜Ｃ10−アルキニルからなる群から選択され、
ここで、Ｃ1〜Ｃ10−アルキル、Ｃ2〜Ｃ10−アルケニルおよびＣ2〜Ｃ10−アルキニルは、ハロゲン、ＣＮおよびＮＯ2からなる群から選択される１個〜５個の置換基で置換されていてよい］である。
【００２８】
５員ないし２０員のヘテロアリーレンは、５員ないし２０員の単環式または多環式の、例えば二環式、三環式または四環式の環系であって、少なくとも１個の複素芳香族環を含むとともに、＝Ｏによって置換されていてよい非芳香族環を含んでもよい、前記環系である。
【００２９】
５員ないし２０員のヘテロアリーレンの例は、
【化１７】
2017523281.tif 000019
【００３０】
【化１８】
2017523281.tif 000020
【００３１】
【化１９】
2017523281.tif 000021
【００３２】
【化２０】
2017523281.tif 000022
［式中、
Ｒ104およびＲ105は、独立して、それぞれの場合に、Ｈ、Ｃ1〜Ｃ20−アルキル、Ｃ2〜Ｃ20−アルケニル、Ｃ2〜Ｃ20−アルキニル、Ｃ5〜Ｃ8−シクロアルキル、Ｃ6〜Ｃ14−アリールおよび５員ないし１４員のヘテロアリールからなる群から選択され、またはＲ104およびＲ105は、同じ原子に結合される場合に、それらが結合される原子と一緒になって、５員ないし１２員の環系を形成し、
ここで、Ｃ1〜Ｃ20−アルキル、Ｃ2〜Ｃ20−アルケニルおよびＣ2〜Ｃ20−アルキニルは、Ｃ5〜Ｃ6−シクロアルキル、Ｃ6〜Ｃ10−アリール、５員ないし１０員のヘテロアリール、ＯＲs、ＯＣ（Ｏ）−Ｒt、Ｃ（Ｏ）−ＯＲs、Ｃ（Ｏ）−Ｒs、ＮＲsＲt、ＮＲs−Ｃ（Ｏ）Ｒt、Ｃ（Ｏ）−ＮＲsＲt、Ｎ［Ｃ（Ｏ）Ｒs］［Ｃ（Ｏ）Ｒt］、ＳＲs、ハロゲン、ＣＮおよびＮＯ2からなる群から選択される１個〜５個の置換基で置換されていてよく、
Ｃ5〜Ｃ8−シクロアルキルは、Ｃ1〜Ｃ10−アルキル、Ｃ2〜Ｃ10−アルケニル、Ｃ2〜Ｃ10−アルキニル、Ｃ5〜Ｃ6−シクロアルキル、Ｃ6〜Ｃ10−アリール、５員ないし１０員のヘテロアリール、ＯＲs、ＯＣ（Ｏ）−Ｒt、Ｃ（Ｏ）−ＯＲs、Ｃ（Ｏ）−Ｒs、ＮＲsＲt、ＮＲs−Ｃ（Ｏ）Ｒt、Ｃ（Ｏ）−ＮＲsＲt、Ｎ［Ｃ（Ｏ）Ｒs］［Ｃ（Ｏ）Ｒt］、ＳＲs、ハロゲン、ＣＮおよびＮＯ2からなる群から選択される１個〜５個の置換基で置換されていてよく、
Ｃ6〜Ｃ14−アリールおよび５員ないし１４員のヘテロアリールは、Ｃ1〜Ｃ10−アルキル、Ｃ2〜Ｃ10−アルケニル、Ｃ2〜Ｃ10−アルキニル、Ｃ5〜Ｃ6−シクロアルキル、Ｃ6〜Ｃ10−アリール、５員ないし１０員のヘテロアリール、ＯＲs、ＯＣ（Ｏ）−Ｒt、Ｃ（Ｏ）−ＯＲs、Ｃ（Ｏ）−Ｒs、ＮＲsＲt、ＮＲs−Ｃ（Ｏ）Ｒt、Ｃ（Ｏ）−ＮＲsＲt、Ｎ［Ｃ（Ｏ）Ｒs］［Ｃ（Ｏ）Ｒt］、ＳＲs、ハロゲン、ＣＮおよびＮＯ2からなる群から独立して選択される１個〜５個の置換基で置換されていてよく、
５員ないし１２員の環系は、Ｃ1〜Ｃ10−アルキル、Ｃ2〜Ｃ10−アルケニル、Ｃ2〜Ｃ10−アルキニル、Ｃ5〜Ｃ6−シクロアルキル、Ｃ6〜Ｃ10−アリール、５員ないし１０員のヘテロアリール、ＯＲs、ＯＣ（Ｏ）−Ｒt、Ｃ（Ｏ）−ＯＲs、Ｃ（Ｏ）−Ｒs、ＮＲsＲt、ＮＲs−Ｃ（Ｏ）Ｒt、Ｃ（Ｏ）−ＮＲsＲt、Ｎ［Ｃ（Ｏ）Ｒs］［Ｃ（Ｏ）Ｒt］、ＳＲs、ハロゲン、ＣＮおよびＮＯ2からなる群から選択される１個〜５個の置換基で置換されていてよく、
ここで、ＲsおよびＲtは、独立して、Ｈ、Ｃ1〜Ｃ10−アルキル、Ｃ2〜Ｃ10−アルケニルおよびＣ2〜Ｃ10−アルキニルからなる群から選択され、
ここで、Ｃ1〜Ｃ10−アルキル、Ｃ2〜Ｃ10−アルケニルおよびＣ2〜Ｃ10−アルキニルは、ハロゲン、ＣＮおよびＮＯ2からなる群から選択される１個〜５個の置換基で置換されていてよい］である。
【００３３】
前記５員ないし１２員の環系は、Ｒ100およびＲ101あるいはＲ102およびＲ103あるいはＲ104およびＲ105が結合される原子に加えて、ＣＨ2、Ｏ、ＳおよびＮＲuからなる群から選択される環員を含んでよく、ここで、Ｒuは、それぞれの場合に、Ｈ、Ｃ1〜Ｃ10−アルキル、Ｃ2〜Ｃ10−アルケニルおよびＣ2〜Ｃ10−アルキニルからなる群から選択される。
【００３４】
好ましくは、本発明のポリマーは、該ポリマーの質量に対して、少なくとも６０質量％の式（Ｉ）の単位を含む。
【００３５】
より好ましくは、本発明のポリマーは、該ポリマーの質量に対して、少なくとも８０質量％の式（Ｉ）の単位を含む。
【００３６】
最も好ましくは、本発明のポリマーは、本質的に式（Ｉ）の単位からなる。
【００３７】
好ましくは、Ｘ1、Ｘ2およびＸ3は、互いに独立して、ＳまたはＮＲ1である。
【００３８】
より好ましくは、Ｘ1はＳであり、かつＸ2およびＸ3はＮＲ1である。
【００３９】
好ましくは、Ａは、
【化２１】
2017523281.tif 000023
［式中、Ｘ4は、ＳまたはＮＲ1であり、かつ
Ａ１は、１個の置換基Ｒ2で置換されていてよい］である。
【００４０】
より好ましくは、Ａは、
【化２２】
2017523281.tif 000024
［式中、Ｘ4は、Ｓであり、かつ
Ａ１は、置換されていない］である。
【００４１】
好ましくは、Ｂは、
【化２３】
2017523281.tif 000025
［式中、Ｘ5およびＸ6は、互いに独立して、ＳまたはＮＲ1であり、かつ
Ｂ１、Ｂ２およびＢ３は、１個〜３個の置換基Ｒ2で置換されていてよい］からなる群から選択される。
【００４２】
より好ましくは、Ｂは、
【化２４】
2017523281.tif 000026
［式中、Ｘ5およびＸ6は、互いに独立して、ＳまたはＮＲ1であり、かつ
Ｂ２は、１個の置換基Ｒ2で置換されていてよい］である。
【００４３】
最も好ましくは、Ｂは、
【化２５】
2017523281.tif 000027
［式中、Ｘ5およびＸ6は、Ｓであり、かつ
Ｂ２は、置換されていない］である。
【００４４】
好ましくは、Ｒ1は、それぞれの場合に、Ｈ、Ｃ1〜Ｃ100−アルキル、Ｃ2〜Ｃ100−アルケニル、Ｃ2〜Ｃ100−アルキニル、Ｃ5〜Ｃ12−シクロアルキル、Ｃ6〜Ｃ18−アリールおよび５員ないし２０員のヘテロアリールからなる群から選択され、
ここで、Ｃ1〜Ｃ100−アルキル、Ｃ2〜Ｃ100−アルケニルおよびＣ2〜Ｃ100−アルキニルは、Ｃ5〜Ｃ8−シクロアルキル、Ｃ6〜Ｃ14−アリール、５員ないし１４員のヘテロアリール、ＯＲa、ＯＣ（Ｏ）−Ｒa、Ｃ（Ｏ）−ＯＲa、Ｃ（Ｏ）−Ｒa、ＮＲa−Ｃ（Ｏ）Ｒb、Ｃ（Ｏ）−ＮＲaＲb、ＳＲa、Ｓｉ（ＲSia）（ＲSib）（ＲSic）、−Ｏ−Ｓｉ（ＲSia）（ＲSib）（ＲSic）、ハロゲンおよびＣＮからなる群から独立して選択される１個〜４０個の置換基で置換されていてよく、かつＣ1〜Ｃ100−アルキル、Ｃ2〜Ｃ100−アルケニルおよびＣ2〜Ｃ100−アルキニルの少なくとも２個のＣＨ2基であるが隣接していないＣＨ2基は、ＯまたはＳによって置き換えられてよく、
Ｃ5〜Ｃ12−シクロアルキルは、Ｃ1〜Ｃ60−アルキル、Ｃ2〜Ｃ60−アルケニル、Ｃ2〜Ｃ60−アルキニル、Ｃ5〜Ｃ8−シクロアルキル、Ｃ6〜Ｃ14−アリール、５員ないし１４員のヘテロアリール、ＯＲa、ＯＣ（Ｏ）−Ｒa、Ｃ（Ｏ）−ＯＲa、Ｃ（Ｏ）−Ｒa、ＮＲa−Ｃ（Ｏ）Ｒb、Ｃ（Ｏ）−ＮＲaＲb、ＳＲa、Ｓｉ（ＲSia）（ＲSib）（ＲSic）、−Ｏ−Ｓｉ（ＲSia）（ＲSib）（ＲSic）、ハロゲンおよびＣＮからなる群から独立して選択される１個〜６個の置換基で置換されていてよく、かつＣ5〜Ｃ12−シクロアルキルの１個または２個のＣＨ2基であるが隣接していないＣＨ2基は、Ｏ、Ｓ、ＯＣ（Ｏ）、ＣＯ、ＮＲaまたはＮＲa−ＣＯによって置き換えられてよく、
Ｃ6〜Ｃ18−アリールおよび５員ないし２０員のヘテロアリールは、Ｃ1〜Ｃ60−アルキル、Ｃ2〜Ｃ60−アルケニル、Ｃ2〜Ｃ60−アルキニル、Ｃ5〜Ｃ8−シクロアルキル、Ｃ6〜Ｃ14−アリール、５員ないし１４員のヘテロアリール、ＯＲa、ＯＣ（Ｏ）−Ｒa、Ｃ（Ｏ）−ＯＲa、Ｃ（Ｏ）−Ｒa、ＮＲa−Ｃ（Ｏ）Ｒb、Ｃ（Ｏ）−ＮＲaＲb、ＳＲa、Ｓｉ（ＲSia）（ＲSib）（ＲSic）、−Ｏ−Ｓｉ（ＲSia）（ＲSib）（ＲSic）、ハロゲンおよびＣＮからなる群から独立して選択される１個〜６個の置換基で置換されていてよく、
ここで、ＲaおよびＲbは、独立して、Ｈ、Ｃ1〜Ｃ60−アルキル、Ｃ2〜Ｃ60−アルケニル、Ｃ2〜Ｃ60−アルキニル、Ｃ5〜Ｃ8−シクロアルキル、Ｃ6〜Ｃ14−アリールおよび５員ないし１４員のヘテロアリールからなる群から選択され、
ＲSia、ＲSibおよびＲSicは、独立して、Ｈ、Ｃ1〜Ｃ60−アルキル、Ｃ2〜Ｃ60−アルケニル、Ｃ2〜Ｃ60−アルキニル、Ｃ5〜Ｃ8−シクロアルキル、Ｃ6〜Ｃ14−アリール、５員ないし１４員のヘテロアリール、Ｏ−Ｃ1〜Ｃ60−アルキル、Ｏ−Ｃ2〜Ｃ60−アルケニル、Ｏ−Ｃ2〜Ｃ60−アルキニル、Ｏ−Ｃ5〜Ｃ8−シクロアルキルおよび−［Ｏ−ＳｉＲSidＲSie］o−ＲSifからなる群から選択され、
ここで、ｏは、１から５０までの整数であり、
ＲSid、ＲSieおよびＲSifは、独立して、Ｈ、Ｃ1〜Ｃ60−アルキル、Ｃ2〜Ｃ60−アルケニル、Ｃ2〜Ｃ60−アルキニル、Ｃ5〜Ｃ8−シクロアルキル、Ｃ6〜Ｃ14−アリールおよび−［Ｏ−ＳｉＲSigＲSih］p−ＲSiiからなる群から選択され、
ここで、ｐは、１から５０までの整数であり、
ＲSig、ＲSihおよびＲSiiは、独立して、Ｈ、Ｃ1〜Ｃ30−アルキル、Ｃ2〜Ｃ30−アルケニル、Ｃ2〜Ｃ30−アルキニル、Ｃ5〜Ｃ8−シクロアルキル、Ｃ6〜Ｃ10−アリールおよびＯ−Ｓｉ（ＣＨ3）3からなる群から選択され、
Ｒ5、Ｒ6、Ｒ50、Ｒ60、Ｒ500およびＲ600は、独立して、Ｈ、Ｃ1〜Ｃ60−アルキル、Ｃ2〜Ｃ60−アルケニル、Ｃ2〜Ｃ60−アルキニル、Ｃ5〜Ｃ8−シクロアルキル、Ｃ6〜Ｃ14−アリールおよび５員ないし１４員のヘテロアリールからなる群から選択され、
Ｃ1〜Ｃ60−アルキル、Ｃ2〜Ｃ60−アルケニルおよびＣ2〜Ｃ60−アルキニルは、Ｃ5〜Ｃ6−シクロアルキル、Ｃ6〜Ｃ10−アリール、ＯＲc、ＯＣ（Ｏ）−Ｒc、Ｃ（Ｏ）−ＯＲc、Ｃ（Ｏ）−Ｒc、ＮＲc−Ｃ（Ｏ）Ｒd、Ｃ（Ｏ）−ＮＲcＲd、ＳＲc、Ｓｉ（ＲSij）（ＲSik）（ＲSil）、−Ｏ−Ｓｉ（ＲSij）（ＲSik）（ＲSil）、ハロゲンおよびＣＮからなる群から独立して選択される１個〜２０個の置換基で置換されていてよく、かつＣ1〜Ｃ60−アルキル、Ｃ2〜Ｃ60−アルケニルおよびＣ2〜Ｃ60−アルキニルの少なくとも２個のＣＨ2基であるが隣接していないＣＨ2基は、ＯまたはＳによって置き換えられてよく、
Ｃ5〜Ｃ8−シクロアルキルは、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリール、ＯＲc、ＯＣ（Ｏ）−Ｒc、Ｃ（Ｏ）−ＯＲc、Ｃ（Ｏ）−Ｒc、ＮＲc−Ｃ（Ｏ）Ｒd、Ｃ（Ｏ）−ＮＲcＲd、ＳＲc、Ｓｉ（ＲSij）（ＲSik）（ＲSil）、−Ｏ−Ｓｉ（ＲSij）（ＲSik）（ＲSil）、ハロゲンおよびＣＮからなる群から選択される１個〜５個の置換基で置換されていてよく、かつＣ5〜Ｃ8−シクロアルキルの１個または２個のＣＨ2基であるが隣接していないＣＨ2基は、Ｏ、Ｓ、ＯＣ（Ｏ）、ＣＯ、ＮＲcまたはＮＲc−ＣＯによって置き換えられてよく、
Ｃ6〜Ｃ14−アリールおよび５員ないし１４員のヘテロアリールは、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリール、ＯＲc、ＯＣ（Ｏ）−Ｒc、Ｃ（Ｏ）−ＯＲc、Ｃ（Ｏ）−Ｒc、ＮＲc−Ｃ（Ｏ）Ｒd、Ｃ（Ｏ）−ＮＲcＲd、ＳＲc、Ｓｉ（ＲSij）（ＲSik）（ＲSil）、−Ｏ−Ｓｉ（ＲSij）（ＲSik）（ＲSil）、ハロゲンおよびＣＮからなる群から独立して選択される１個〜５個の置換基で置換されていてよく、
ここで、ＲcおよびＲdは、独立して、Ｈ、Ｃ1〜Ｃ30−アルキル、Ｃ2〜Ｃ30−アルケニルおよびＣ2〜Ｃ30−アルキニルからなる群から選択され、
ＲSij、ＲSikおよびＲSilは、独立して、Ｈ、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリールおよび−［Ｏ−ＳｉＲSimＲSin］q−ＲSioからなる群から選択され、
ここで、ｑは、１から５０までの整数であり、
ＲSim、ＲSinおよびＲSioは、独立して、Ｈ、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリール、５員ないし１０員のヘテロアリール、Ｏ−Ｃ1〜Ｃ30−アルキル、Ｏ−Ｃ2〜Ｃ30−アルケニル、Ｏ−Ｃ2〜Ｃ30−アルキニル、Ｏ−Ｃ5〜Ｃ6−シクロアルキル、Ｏ−Ｃ6〜Ｃ10−アリール、Ｏ−５員ないし１０員のヘテロアリール、−［Ｏ−ＳｉＲSipＲSiq］r−ＲSir、ＮＲ70Ｒ80、ハロゲンおよびＯ−Ｃ（Ｏ）−Ｒ70からなる群から選択され、
ここで、ｒは、１から５０までの整数であり、
ＲSip、ＲSiqおよびＲSirは、独立して、Ｈ、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリール、５員ないし１０員のヘテロアリール、Ｏ−Ｃ1〜Ｃ30−アルキル、Ｏ−Ｃ2〜Ｃ30−アルケニル、Ｏ−Ｃ2〜Ｃ30−アルキニル、Ｏ−Ｃ5〜Ｃ6−シクロアルキル、Ｏ−Ｃ6〜Ｃ10−アリール、Ｏ−５員ないし１０員のヘテロアリール、Ｏ−Ｓｉ（ＣＨ3）3、ＮＲ700Ｒ800、ハロゲンおよびＯ−Ｃ（Ｏ）−Ｒ700からなる群から選択され、
Ｒ7、Ｒ8、Ｒ70、Ｒ80、Ｒ700およびＲ800は、独立して、Ｈ、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリールおよび５員ないし１０員のヘテロアリールからなる群から選択され、
Ｃ1〜Ｃ30−アルキル、Ｃ2〜Ｃ30−アルケニルおよびＣ2〜Ｃ30−アルキニルは、ハロゲンおよびＣＮからなる群から選択される１個〜１０個の置換基で置換されていてよい。
【００４５】
より好ましくは、Ｒ1は、それぞれの場合に、Ｃ1〜Ｃ100−アルキル、Ｃ2〜Ｃ100−アルケニルおよびＣ2〜Ｃ100−アルキニルからなる群から選択され、
ここで、Ｃ1〜Ｃ100−アルキル、Ｃ2〜Ｃ100−アルケニルおよびＣ2〜Ｃ100−アルキニルは、Ｃ5〜Ｃ8−シクロアルキル、Ｃ6〜Ｃ14−アリール、５員ないし１４員のヘテロアリール、ＯＲa、ＯＣ（Ｏ）−Ｒa、Ｃ（Ｏ）−ＯＲa、Ｃ（Ｏ）−Ｒa、ＮＲa−Ｃ（Ｏ）Ｒb、Ｃ（Ｏ）−ＮＲaＲb、ＳＲa、Ｓｉ（ＲSia）（ＲSib）（ＲSic）、−Ｏ−Ｓｉ（ＲSia）（ＲSib）（ＲSic）、ハロゲンおよびＣＮからなる群から独立して選択される１個〜４０個の置換基で置換されていてよく、かつＣ1〜Ｃ100−アルキル、Ｃ2〜Ｃ100−アルケニルおよびＣ2〜Ｃ100−アルキニルの少なくとも２個のＣＨ2基であるが隣接していないＣＨ2基は、ＯまたはＳによって置き換えられてよく、
ここで、ＲaおよびＲbは、独立して、Ｈ、Ｃ1〜Ｃ60−アルキル、Ｃ2〜Ｃ60−アルケニル、Ｃ2〜Ｃ60−アルキニル、Ｃ5〜Ｃ8−シクロアルキル、Ｃ6〜Ｃ14−アリールおよび５員ないし１４員のヘテロアリールからなる群から選択され、
ＲSia、ＲSibおよびＲSicは、独立して、Ｈ、Ｃ1〜Ｃ60−アルキル、Ｃ2〜Ｃ60−アルケニル、Ｃ2〜Ｃ60−アルキニル、Ｃ5〜Ｃ8−シクロアルキル、Ｃ6〜Ｃ14−アリールおよび−［Ｏ−ＳｉＲSidＲSie］o−ＲSifからなる群から選択され、
ここで、ｏは、１から５０までの整数であり、
ＲSid、ＲSieおよびＲSifは、独立して、Ｈ、Ｃ1〜Ｃ60−アルキル、Ｃ2〜Ｃ60−アルケニル、Ｃ2〜Ｃ60−アルキニル、Ｃ5〜Ｃ8−シクロアルキル、Ｃ6〜Ｃ14−アリールおよび−［Ｏ−ＳｉＲSigＲSih］p−ＲSiiからなる群から選択され、
ここで、ｐは、１から５０までの整数であり、
ＲSig、ＲSihおよびＲSiiは、独立して、Ｈ、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリールおよびＯ−Ｓｉ（ＣＨ3）3からなる群から選択され、
Ｒ5、Ｒ6、Ｒ50、Ｒ60、Ｒ500およびＲ600は、独立して、Ｈ、Ｃ1〜Ｃ60−アルキル、Ｃ2〜Ｃ60−アルケニル、Ｃ2〜Ｃ60−アルキニル、Ｃ5〜Ｃ8−シクロアルキル、Ｃ6〜Ｃ14−アリールおよび５員ないし１４員のヘテロアリールからなる群から選択され、
Ｃ1〜Ｃ60−アルキル、Ｃ2〜Ｃ60−アルケニルおよびＣ2〜Ｃ60−アルキニルは、Ｃ5〜Ｃ6−シクロアルキル、Ｃ6〜Ｃ10−アリール、ＯＲc、ＯＣ（Ｏ）−Ｒc、Ｃ（Ｏ）−ＯＲc、Ｃ（Ｏ）−Ｒc、ＮＲc−Ｃ（Ｏ）Ｒd、Ｃ（Ｏ）−ＮＲcＲd、ＳＲc、Ｓｉ（ＲSij）（ＲSik）（ＲSil）、−Ｏ−Ｓｉ（ＲSij）（ＲSik）（ＲSil）、ハロゲンおよびＣＮからなる群から選択される１個〜２０個の置換基で置換されていてよく、かつＣ1〜Ｃ60−アルキル、Ｃ2〜Ｃ60−アルケニルおよびＣ2〜Ｃ60−アルキニルの少なくとも２個のＣＨ2基であるが隣接していないＣＨ2基は、ＯまたはＳによって置き換えられてよく、
Ｃ5〜Ｃ8−シクロアルキルは、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリール、ＯＲc、ＯＣ（Ｏ）−Ｒc、Ｃ（Ｏ）−ＯＲc、Ｃ（Ｏ）−Ｒc、ＮＲc−Ｃ（Ｏ）Ｒd、Ｃ（Ｏ）−ＮＲcＲd、ＳＲc、Ｓｉ（ＲSij）（ＲSik）（ＲSil）、−Ｏ−Ｓｉ（ＲSij）（ＲSik）（ＲSil）、ハロゲンおよびＣＮからなる群から選択される１個〜５個の置換基で置換されていてよく、かつＣ5〜Ｃ8−シクロアルキルの１個または２個のＣＨ2基であるが隣接していないＣＨ2基は、Ｏ、Ｓ、ＯＣ（Ｏ）、ＣＯ、ＮＲcまたはＮＲc−ＣＯによって置き換えられてよく、
Ｃ6〜Ｃ14−アリールおよび５員ないし１４員のヘテロアリールは、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリール、ＯＲc、ＯＣ（Ｏ）−Ｒc、Ｃ（Ｏ）−ＯＲc、Ｃ（Ｏ）−Ｒc、ＮＲc−Ｃ（Ｏ）Ｒd、Ｃ（Ｏ）−ＮＲcＲd、ＳＲc、Ｓｉ（ＲSij）（ＲSik）（ＲSil）、−Ｏ−Ｓｉ（ＲSij）（ＲSik）（ＲSil）、ハロゲンおよびＣＮからなる群から独立して選択される１個〜５個の置換基で置換されていてよく、
ここで、ＲcおよびＲdは、独立して、Ｈ、Ｃ1〜Ｃ30−アルキル、Ｃ2〜Ｃ30−アルケニルおよびＣ2〜Ｃ30−アルキニルからなる群から選択され、
ＲSij、ＲSikおよびＲSilは、独立して、Ｈ、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリールおよび−［Ｏ−ＳｉＲSimＲSin］q−ＲSioからなる群から選択され、ここで、ｑは、１から５０までの整数であり、
ＲSim、ＲSinおよびＲSioは、独立して、Ｈ、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリールおよび−［Ｏ−ＳｉＲSipＲSiq］r−ＲSirからなる群から選択され、
ここで、ｒは、１から５０までの整数であり、
ＲSip、ＲSiqおよびＲSirは、独立して、Ｈ、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリールおよびＯ−Ｓｉ（ＣＨ3）3からなる群から選択され、
Ｒ7、Ｒ8、Ｒ70、Ｒ80、Ｒ700およびＲ800は、独立して、Ｈ、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリールおよび５員ないし１０員のヘテロアリールからなる群から選択され、
Ｃ1〜Ｃ30−アルキル、Ｃ2〜Ｃ30−アルケニルおよびＣ2〜Ｃ30−アルキニルは、ハロゲンおよびＣＮからなる群から選択される１個〜１０個の置換基で置換されていてよい。
【００４６】
更により好ましくは、Ｒ1は、それぞれの場合に、Ｃ1〜Ｃ50−アルキル、Ｃ2〜Ｃ50−アルケニルおよびＣ2〜Ｃ50−アルキニルからなる群から選択され、
ここで、Ｃ1〜Ｃ50−アルキル、Ｃ2〜Ｃ50−アルケニルおよびＣ2〜Ｃ50−アルキニルは、Ｃ5〜Ｃ6−シクロアルキル、Ｃ6〜Ｃ10−アリール、５員ないし１０員のヘテロアリール、ＯＲa、ＳＲa、Ｓｉ（ＲSia）（ＲSib）（ＲSic）、−Ｏ−Ｓｉ（ＲSia）（ＲSib）（ＲSic）、ハロゲンおよびＣＮからなる群から独立して選択される１個〜２０個の置換基で置換されていてよく、かつＣ1〜Ｃ50−アルキル、Ｃ2〜Ｃ50−アルケニルおよびＣ2〜Ｃ50−アルキニルの少なくとも２個のＣＨ2基であるが隣接していないＣＨ2基は、ＯまたはＳによって置き換えられてよく、
ここで、ＲaおよびＲbは、独立して、Ｈ、Ｃ1〜Ｃ30−アルキル、Ｃ2〜Ｃ30−アルケニル、Ｃ2〜Ｃ30−アルキニル、Ｃ5〜Ｃ6−シクロアルキルおよびＣ6〜Ｃ10−アリールからなる群から選択され、
ＲSia、ＲSibおよびＲSicは、独立して、Ｈ、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリールおよび−［Ｏ−ＳｉＲSidＲSie］o−ＲSifからなる群から選択され、
ここで、ｏは、１から５０までの整数であり、
ＲSid、ＲSieおよびＲSifは、独立して、Ｈ、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリールおよび−［Ｏ−ＳｉＲSigＲSih］p−ＲSiiからなる群から選択され、
ここで、ｐは、１から５０までの整数であり、
ＲSig、ＲSihおよびＲSiiは、独立して、Ｈ、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリールおよびＯ−Ｓｉ（ＣＨ3）3からなる群から選択され、
Ｒ5、Ｒ6、Ｒ50、Ｒ60、Ｒ500およびＲ600は、独立して、Ｈ、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリールおよび５員ないし１０員のヘテロアリールからなる群から選択され、
Ｃ1〜Ｃ30−アルキル、Ｃ2〜Ｃ30−アルケニルおよびＣ2〜Ｃ30−アルキニルは、ハロゲンおよびＣＮからなる群から選択される１個〜１０個の置換基で置換されていてよい。
【００４７】
最も好ましくは、Ｒ1は、それぞれの場合に、Ｃ1〜Ｃ36−アルキル、Ｃ2〜Ｃ36−アルケニルおよびＣ2〜Ｃ36−アルキニルからなる群から選択され、
ここで、Ｃ1〜Ｃ36−アルキル、Ｃ2〜Ｃ36−アルケニルおよびＣ2〜Ｃ36−アルキニルは、Ｃ5〜Ｃ6−シクロアルキル、Ｃ6〜Ｃ10−アリール、５員ないし１０員のヘテロアリール、ＯＲa、ＳＲa、Ｓｉ（ＲSia）（ＲSib）（ＲSic）、−Ｏ−Ｓｉ（ＲSia）（ＲSib）（ＲSic）、ハロゲンおよびＣＮからなる群から独立して選択される１個〜２０個の置換基で置換されていてよく、かつＣ1〜Ｃ36−アルキル、Ｃ2〜Ｃ36−アルケニルおよびＣ2〜Ｃ36−アルキニルの少なくとも２個のＣＨ2基であるが隣接していないＣＨ2基は、ＯまたはＳによって置き換えられてよく、
ここで、ＲaおよびＲbは、独立して、Ｈ、Ｃ1〜Ｃ20−アルキル、Ｃ2〜Ｃ20−アルケニル、Ｃ2〜Ｃ20−アルキニル、Ｃ5〜Ｃ6−シクロアルキルおよびＣ6〜Ｃ10−アリールからなる群から選択され、
ＲSia、ＲSibおよびＲSicは、独立して、Ｈ、Ｃ1〜Ｃ20−アルキル、Ｃ2〜Ｃ20−アルケニル、Ｃ2〜Ｃ20−アルキニル、Ｃ5〜Ｃ6−シクロアルキル、Ｃ6〜Ｃ10−アリールおよび−［Ｏ−ＳｉＲSidＲSie］o−ＲSifからなる群から選択され、
ここで、ｏは、１から５０までの整数であり、
ＲSid、ＲSieおよびＲSifは、独立して、Ｈ、Ｃ1〜Ｃ30−アルキル、Ｃ2〜Ｃ20−アルケニル、Ｃ2〜Ｃ20−アルキニル、Ｃ5〜Ｃ6−シクロアルキル、Ｃ6〜Ｃ10−アリールおよび−［Ｏ−ＳｉＲSigＲSih］p−ＲSiiからなる群から選択され、
ここで、ｐは、１から５０までの整数であり、
ＲSig、ＲSihおよびＲSiiは、独立して、Ｈ、Ｃ1〜Ｃ30−アルキル、Ｃ2〜Ｃ20−アルケニル、Ｃ2〜Ｃ20−アルキニル、Ｃ5〜Ｃ6−シクロアルキル、Ｃ6〜Ｃ10−アリールおよびＯ−Ｓｉ（ＣＨ3）3からなる群から選択され、
Ｒ5、Ｒ6、Ｒ50、Ｒ60、Ｒ500およびＲ600は、独立して、Ｈ、Ｃ1〜Ｃ20−アルキル、Ｃ2〜Ｃ20−アルケニル、Ｃ2〜Ｃ20−アルキニル、Ｃ5〜Ｃ6−シクロアルキル、Ｃ6〜Ｃ10−アリールおよび５員ないし１０員のヘテロアリールからなる群から選択され、
Ｃ1〜Ｃ20−アルキル、Ｃ2〜Ｃ20−アルケニルおよびＣ2〜Ｃ20−アルキニルは、ハロゲンおよびＣＮからなる群から選択される１個〜１０個の置換基で置換されていてよい。
【００４８】
特に、Ｒ1は、それぞれの場合に、非置換のＣ1〜Ｃ36−アルキルである。
【００４９】
好ましくは、Ｒ2は、それぞれの場合に、Ｃ1〜Ｃ30−アルキルおよびハロゲンからなる群から選択され、
ここで、Ｃ1〜Ｃ30−アルキルは、Ｃ5〜Ｃ8−シクロアルキル、Ｃ6〜Ｃ14−アリール、５員ないし１４員のヘテロアリール、ＯＲe、ＯＣ（Ｏ）−Ｒe、Ｃ（Ｏ）−ＯＲe、Ｃ（Ｏ）−Ｒe、ＮＲeＲf、ＮＲe−Ｃ（Ｏ）Ｒf、Ｃ（Ｏ）−ＮＲeＲf、Ｎ［Ｃ（Ｏ）Ｒe］［Ｃ（Ｏ）Ｒf］、ＳＲe、ハロゲン、ＣＮ、ＳｉＲSisＲSitＲSiuおよびＮＯ2からなる群から独立して選択される１個〜１０個の置換基で置換されていてよく、かつＣ1〜Ｃ30−アルキルの少なくとも２個のＣＨ2基であるが隣接していないＣＨ2基は、ＯまたはＳによって置き換えられてよく、
ここで、ＲSis、ＲSitおよびＲSiuは、互いに独立して、Ｈ、Ｃ1〜Ｃ20−アルキル、Ｃ2〜Ｃ20−アルケニル、Ｃ2〜Ｃ20−アルキニル、Ｃ5〜Ｃ6−シクロアルキル、フェニルおよびＯ−Ｓｉ（ＣＨ3）3からなる群から選択され、
ＲeおよびＲfは、独立して、Ｈ、Ｃ1〜Ｃ20−アルキル、Ｃ2〜Ｃ20−アルケニル、Ｃ2〜Ｃ20−アルキニル、Ｃ5〜Ｃ8−シクロアルキル、Ｃ6〜Ｃ14−アリールおよび５員ないし１４員のヘテロアリールからなる群から選択され、
ここで、Ｃ1〜Ｃ20−アルキル、Ｃ2〜Ｃ20−アルケニルおよびＣ2〜Ｃ20−アルキニルは、Ｃ5〜Ｃ6−シクロアルキル、Ｃ6〜Ｃ10−アリール、５員ないし１０員のヘテロアリール、ＯＲg、ＯＣ（Ｏ）−Ｒg、Ｃ（Ｏ）−ＯＲg、Ｃ（Ｏ）−Ｒg、ＮＲgＲh、ＮＲg−Ｃ（Ｏ）Ｒh、Ｃ（Ｏ）−ＮＲgＲh、Ｎ［Ｃ（Ｏ）Ｒg］［Ｃ（Ｏ）Ｒh］、ＳＲg、ハロゲン、ＣＮおよびＮＯ2からなる群から選択される１個〜５個の置換基で置換されていてよく、
Ｃ5〜Ｃ8−シクロアルキルは、Ｃ1〜Ｃ10−アルキル、Ｃ2〜Ｃ10−アルケニル、Ｃ2〜Ｃ10−アルキニル、Ｃ5〜Ｃ6−シクロアルキル、Ｃ6〜Ｃ10−アリール、５員ないし１０員のヘテロアリール、ＯＲg、ＯＣ（Ｏ）−Ｒg、Ｃ（Ｏ）−ＯＲg、Ｃ（Ｏ）−Ｒg、ＮＲgＲh、ＮＲg−Ｃ（Ｏ）Ｒh、Ｃ（Ｏ）−ＮＲgＲh、Ｎ［Ｃ（Ｏ）Ｒg］［Ｃ（Ｏ）Ｒh］、ＳＲg、ハロゲン、ＣＮおよびＮＯ2からなる群から選択される１個〜５個の置換基で置換されていてよく、
Ｃ6〜Ｃ14−アリールおよび５員ないし１４員のヘテロアリールは、Ｃ1〜Ｃ10−アルキル、Ｃ2〜Ｃ10−アルケニル、Ｃ2〜Ｃ10−アルキニル、Ｃ5〜Ｃ6−シクロアルキル、Ｃ6〜Ｃ10−アリール、５員ないし１０員のヘテロアリール、ＯＲg、ＯＣ（Ｏ）−Ｒg、Ｃ（Ｏ）−ＯＲg、Ｃ（Ｏ）−Ｒg、ＮＲgＲh、ＮＲg−Ｃ（Ｏ）Ｒh、Ｃ（Ｏ）−ＮＲgＲh、Ｎ［Ｃ（Ｏ）Ｒg］［Ｃ（Ｏ）Ｒh］、ＳＲg、ハロゲン、ＣＮおよびＮＯ2からなる群から独立して選択される１個〜５個の置換基で置換されていてよく、
ここで、ＲgおよびＲhは、独立して、Ｈ、Ｃ1〜Ｃ10−アルキル、Ｃ2〜Ｃ10−アルケニルおよびＣ2〜Ｃ10−アルキニルからなる群から選択され、
ここで、Ｃ1〜Ｃ10−アルキル、Ｃ2〜Ｃ10−アルケニルおよびＣ2〜Ｃ10−アルキニルは、ハロゲン、ＣＮおよびＮＯ2からなる群から選択される１個〜５個の置換基で置換されていてよい。
【００５０】
より好ましくは、Ｒ2は、それぞれの場合に、非置換のＣ1〜Ｃ30−アルキルおよびハロゲンからなる群から選択される。
【００５１】
好ましくは、ｎは、０、１または２である。より好ましくは、ｎは、０または１である。最も好ましくは、ｎは、０である。
【００５２】
好ましくは、ｍは、０、１または２である。
【００５３】
好ましくは、Ｌ1およびＬ2は、互いに独立して、それぞれの場合に、Ｃ6〜Ｃ18−アリーレン、５員ないし２０員のヘテロアリーレン、および
【化２６】
2017523281.tif 000028
からなる群から選択され、
ここで、Ｃ6〜Ｃ18−アリーレンおよび５員ないし２０員のヘテロアリーレンは、Ｃ1〜Ｃ30−アルキル、Ｃ2〜Ｃ30−アルケニル、Ｃ2〜Ｃ30−アルキニル、Ｃ5〜Ｃ12−シクロアルキル、Ｃ6〜Ｃ18−アリールおよび５員ないし２０員のヘテロアリール、ＯＲ31、ＯＣ（Ｏ）−Ｒ31、Ｃ（Ｏ）−ＯＲ31、Ｃ（Ｏ）−Ｒ31、ＮＲ31Ｒ32、ＮＲ31−Ｃ（Ｏ）Ｒ32、Ｃ（Ｏ）−ＮＲ31Ｒ32、ＳＲ31、ハロゲン、ＣＮ、ＳｉＲSivＲSiwＲSixおよびＯＨからなる群からそれぞれの場合に選択される１個〜６個の置換基Ｒ3で置換されていてよく、かつ
ここで、
【化２７】
2017523281.tif 000029
は、Ｃ1〜Ｃ30−アルキル、Ｃ2〜Ｃ30−アルケニル、Ｃ2〜Ｃ30−アルキニル、Ｃ5〜Ｃ12−シクロアルキル、Ｃ6〜Ｃ18−アリールおよび５員ないし２０員のヘテロアリール、Ｃ（Ｏ）−Ｒ41、Ｃ（Ｏ）−ＮＲ41Ｒ42、Ｃ（Ｏ）−ＯＲ41およびＣＮからなる群からそれぞれの場合に選択される１個または２個の置換基Ｒ4で置換されていてよく、
ここで、Ｒ31、Ｒ32、Ｒ41およびＲ42は、互いに独立して、それぞれの場合に、Ｈ、Ｃ1〜Ｃ30−アルキル、Ｃ2〜Ｃ30−アルケニル、Ｃ2〜Ｃ30−アルキニル、Ｃ5〜Ｃ12−シクロアルキル、Ｃ6〜Ｃ18−アリールおよび５員ないし２０員のヘテロアリールからなる群から選択され、かつ
ここで、Ｃ1〜Ｃ30−アルキル、Ｃ2〜Ｃ30−アルケニルおよびＣ2〜Ｃ30−アルキニルは、Ｃ5〜Ｃ8−シクロアルキル、Ｃ6〜Ｃ14−アリール、５員ないし１４員のヘテロアリール、ＯＲi、ＯＣ（Ｏ）−Ｒj、Ｃ（Ｏ）−ＯＲi、Ｃ（Ｏ）−Ｒi、ＮＲiＲj、ＮＲi−Ｃ（Ｏ）Ｒj、Ｃ（Ｏ）−ＮＲiＲj、Ｎ［Ｃ（Ｏ）Ｒi］［Ｃ（Ｏ）Ｒj］、ＳＲi、ハロゲン、ＣＮ、ＳｉＲSivＲSiwＲSixおよびＮＯ2からなる群から独立して選択される１個〜１０個の置換基で置換されていてよく、かつＣ1〜Ｃ30−アルキル、Ｃ2〜Ｃ30−アルケニルおよびＣ2〜Ｃ30−アルキニルの少なくとも２個のＣＨ2基であるが隣接していないＣＨ2基は、ＯまたはＳによって置き換えられてよく、
Ｃ5〜Ｃ12−シクロアルキルは、Ｃ1〜Ｃ20−アルキル、Ｃ2〜Ｃ20−アルケニルおよびＣ2〜Ｃ20−アルキニル、Ｃ5〜Ｃ8−シクロアルキル、Ｃ6〜Ｃ14−アリール、５員ないし１４員のヘテロアリール、ＯＲi、ＯＣ（Ｏ）−Ｒj、Ｃ（Ｏ）−ＯＲi、Ｃ（Ｏ）−Ｒi、ＮＲiＲj、ＮＲi−Ｃ（Ｏ）Ｒj、Ｃ（Ｏ）−ＮＲiＲj、Ｎ［Ｃ（Ｏ）Ｒi］［Ｃ（Ｏ）Ｒj］、ＳＲi、ハロゲン、ＣＮ、ＳｉＲSivＲSiwＲSixおよびＮＯ2からなる群から独立して選択される１個〜６個の置換基で置換されていてよく、かつＣ5〜Ｃ12−シクロアルキルの１個または２個のＣＨ2基であるが隣接していないＣＨ2基は、Ｏ、Ｓ、ＯＣ（Ｏ）、ＣＯ、ＮＲiまたはＮＲi−ＣＯによって置き換えられてよく、
Ｃ6〜Ｃ18−アリールおよび５員ないし２０員のヘテロアリールは、Ｃ1〜Ｃ20−アルキル、Ｃ2〜Ｃ20−アルケニル、Ｃ2〜Ｃ20−アルキニル、Ｃ5〜Ｃ8−シクロアルキル、Ｃ6〜Ｃ14−アリール、５員ないし１４員のヘテロアリール、ＯＲi、ＯＣ（Ｏ）−Ｒj、Ｃ（Ｏ）−ＯＲi、Ｃ（Ｏ）−Ｒi、ＮＲiＲj、ＮＲi−Ｃ（Ｏ）Ｒj、Ｃ（Ｏ）−ＮＲiＲj、Ｎ［Ｃ（Ｏ）Ｒi］［Ｃ（Ｏ）Ｒj］、ＳＲi、ハロゲン、ＣＮ、ＳｉＲSivＲSiwＲSixおよびＮＯ2からなる群から独立して選択される１個〜６個の置換基で置換されていてよく、
ここで、ＲSiv、ＲSiwおよびＲSixは、互いに独立して、Ｈ、Ｃ1〜Ｃ20−アルキル、Ｃ2〜Ｃ20−アルケニル、Ｃ2〜Ｃ20−アルキニル、Ｃ5〜Ｃ6−シクロアルキル、フェニルおよびＯ−Ｓｉ（ＣＨ3）3からなる群から選択され、
ＲiおよびＲjは、独立して、Ｈ、Ｃ1〜Ｃ20−アルキル、Ｃ2〜Ｃ20−アルケニル、Ｃ2〜Ｃ20−アルキニル、Ｃ5〜Ｃ8−シクロアルキル、Ｃ6〜Ｃ14−アリールおよび５員ないし１４員のヘテロアリールからなる群から選択され、
ここで、Ｃ1〜Ｃ20−アルキル、Ｃ2〜Ｃ20−アルケニルおよびＣ2〜Ｃ20−アルキニルは、Ｃ5〜Ｃ6−シクロアルキル、Ｃ6〜Ｃ10−アリール、５員ないし１０員のヘテロアリール、ＯＲk、ＯＣ（Ｏ）−Ｒl、Ｃ（Ｏ）−ＯＲk、Ｃ（Ｏ）−Ｒk、ＮＲkＲl、ＮＲk−Ｃ（Ｏ）Ｒl、Ｃ（Ｏ）−ＮＲkＲl、Ｎ［Ｃ（Ｏ）Ｒk］［Ｃ（Ｏ）Ｒl］、ＳＲk、ハロゲン、ＣＮおよびＮＯ2からなる群から選択される１個〜５個の置換基で置換されていてよく、
Ｃ5〜Ｃ8−シクロアルキルは、Ｃ1〜Ｃ10−アルキル、Ｃ2〜Ｃ10−アルケニル、Ｃ2〜Ｃ10−アルキニル、Ｃ5〜Ｃ6−シクロアルキル、Ｃ6〜Ｃ10−アリール、５員ないし１０員のヘテロアリール、ＯＲk、ＯＣ（Ｏ）−Ｒl、Ｃ（Ｏ）−ＯＲk、Ｃ（Ｏ）−Ｒk、ＮＲkＲl、ＮＲk−Ｃ（Ｏ）Ｒl、Ｃ（Ｏ）−ＮＲkＲl、Ｎ［Ｃ（Ｏ）Ｒk］［Ｃ（Ｏ）Ｒl］、ＳＲk、ハロゲン、ＣＮおよびＮＯ2からなる群から選択される１個〜５個の置換基で置換されていてよく、
Ｃ6〜Ｃ14−アリールおよび５員ないし１４員のヘテロアリールは、Ｃ1〜Ｃ10−アルキル、Ｃ2〜Ｃ10−アルケニル、Ｃ2〜Ｃ10−アルキニル、Ｃ5〜Ｃ6−シクロアルキル、Ｃ6〜Ｃ10−アリール、５員ないし１０員のヘテロアリール、ＯＲk、ＯＣ（Ｏ）−Ｒl、Ｃ（Ｏ）−ＯＲk、Ｃ（Ｏ）−Ｒk、ＮＲkＲl、ＮＲk−Ｃ（Ｏ）Ｒl、Ｃ（Ｏ）−ＮＲkＲl、Ｎ［Ｃ（Ｏ）Ｒk］［Ｃ（Ｏ）Ｒl］、ＳＲk、ハロゲン、ＣＮおよびＮＯ2からなる群から独立して選択される１個〜５個の置換基で置換されていてよく、
ここで、ＲkおよびＲlは、独立して、Ｈ、Ｃ1〜Ｃ10−アルキル、Ｃ2〜Ｃ10−アルケニルおよびＣ2〜Ｃ10−アルキニルからなる群から選択され、
ここで、Ｃ1〜Ｃ10−アルキル、Ｃ2〜Ｃ10−アルケニルおよびＣ2〜Ｃ10−アルキニルは、ハロゲン、ＣＮおよびＮＯ2からなる群から選択される１個〜５個の置換基で置換されていてよい。
【００５４】
より好ましくは、Ｌ1およびＬ2は、互いに独立して、それぞれの場合に、５員ないし２０員のヘテロアリーレン、および
【化２８】
2017523281.tif 000030
からなる群から選択され、
ここで、５員ないし２０員のヘテロアリーレンは、Ｃ1〜Ｃ30−アルキル、Ｃ2〜Ｃ30−アルケニル、Ｃ2〜Ｃ30−アルキニル、Ｃ5〜Ｃ12−シクロアルキル、Ｃ6〜Ｃ18−アリールおよび５員ないし２０員のヘテロアリール、ＯＲ31、ＯＣ（Ｏ）−Ｒ31、Ｃ（Ｏ）−ＯＲ31、Ｃ（Ｏ）−Ｒ31、ＮＲ31Ｒ32、ＮＲ31−Ｃ（Ｏ）Ｒ32、Ｃ（Ｏ）−ＮＲ31Ｒ32、ＳＲ31、ハロゲン、ＣＮ、ＳｉＲSivＲSiwＲSixおよびＯＨからなる群からそれぞれの場合に選択される１個〜６個の置換基Ｒ3で置換されていてよく、かつ
ここで、
【化２９】
2017523281.tif 000031
は、Ｃ1〜Ｃ30−アルキル、Ｃ2〜Ｃ30−アルケニル、Ｃ2〜Ｃ30−アルキニル、Ｃ5〜Ｃ12−シクロアルキル、Ｃ6〜Ｃ18−アリールおよび５員ないし２０員のヘテロアリール、Ｃ（Ｏ）−Ｒ41、Ｃ（Ｏ）−ＮＲ41Ｒ42、Ｃ（Ｏ）−ＯＲ41およびＣＮからなる群からそれぞれの場合に選択される１個または２個の置換基Ｒ4で置換されていてよく、
ここで、Ｒ31、Ｒ32、Ｒ41およびＲ42は、互いに独立して、それぞれの場合に、Ｈ、Ｃ1〜Ｃ30−アルキル、Ｃ2〜Ｃ30−アルケニル、Ｃ2〜Ｃ30−アルキニル、Ｃ5〜Ｃ12−シクロアルキル、Ｃ6〜Ｃ18−アリールおよび５員ないし２０員のヘテロアリールからなる群から選択され、かつ
ここで、Ｃ1〜Ｃ30−アルキル、Ｃ2〜Ｃ30−アルケニルおよびＣ2〜Ｃ30−アルキニルは、Ｃ5〜Ｃ8−シクロアルキル、Ｃ6〜Ｃ14−アリール、５員ないし１４員のヘテロアリール、ＯＲi、ＯＣ（Ｏ）−Ｒj、Ｃ（Ｏ）−ＯＲi、Ｃ（Ｏ）−Ｒi、ＮＲiＲj、ＮＲi−Ｃ（Ｏ）Ｒj、Ｃ（Ｏ）−ＮＲiＲj、Ｎ［Ｃ（Ｏ）Ｒi］［Ｃ（Ｏ）Ｒj］、ＳＲi、ハロゲン、ＣＮ、ＳｉＲSivＲSiwＲSixおよびＮＯ2からなる群から独立して選択される１個〜１０個の置換基で置換されていてよく、かつＣ1〜Ｃ30−アルキル、Ｃ2〜Ｃ30−アルケニルおよびＣ2〜Ｃ30−アルキニルの少なくとも２個のＣＨ2基であるが隣接していないＣＨ2基は、ＯまたはＳによって置き換えられてよく、
Ｃ5〜Ｃ12−シクロアルキルは、Ｃ1〜Ｃ20−アルキル、Ｃ2〜Ｃ20−アルケニルおよびＣ2〜Ｃ20−アルキニル、Ｃ5〜Ｃ8−シクロアルキル、Ｃ6〜Ｃ14−アリール、５員ないし１４員のヘテロアリール、ＯＲi、ＯＣ（Ｏ）−Ｒj、Ｃ（Ｏ）−ＯＲi、Ｃ（Ｏ）−Ｒi、ＮＲiＲj、ＮＲi−Ｃ（Ｏ）Ｒj、Ｃ（Ｏ）−ＮＲiＲj、Ｎ［Ｃ（Ｏ）Ｒi］［Ｃ（Ｏ）Ｒj］、ＳＲi、ハロゲン、ＣＮ、ＳｉＲSivＲSiwＲSixおよびＮＯ2からなる群から独立して選択される１個〜６個の置換基で置換されていてよく、かつＣ5〜Ｃ12−シクロアルキルの１個または２個のＣＨ2基であるが隣接していないＣＨ2基は、Ｏ、Ｓ、ＯＣ（Ｏ）、ＣＯ、ＮＲiまたはＮＲi−ＣＯによって置き換えられてよく、
Ｃ6〜Ｃ18−アリールおよび５員ないし２０員のヘテロアリールは、Ｃ1〜Ｃ20−アルキル、Ｃ2〜Ｃ20−アルケニル、Ｃ2〜Ｃ20−アルキニル、Ｃ5〜Ｃ8−シクロアルキル、Ｃ6〜Ｃ14−アリール、５員ないし１４員のヘテロアリール、ＯＲi、ＯＣ（Ｏ）−Ｒj、Ｃ（Ｏ）−ＯＲi、Ｃ（Ｏ）−Ｒi、ＮＲiＲj、ＮＲi−Ｃ（Ｏ）Ｒj、Ｃ（Ｏ）−ＮＲiＲj、Ｎ［Ｃ（Ｏ）Ｒi］［Ｃ（Ｏ）Ｒj］、ＳＲi、ハロゲン、ＣＮ、ＳｉＲSivＲSiwＲSixおよびＮＯ2からなる群から独立して選択される１個〜６個の置換基で置換されていてよく、
ここで、ＲSiv、ＲSiwおよびＲSixは、互いに独立して、Ｈ、Ｃ1〜Ｃ20−アルキル、Ｃ2〜Ｃ20−アルケニル、Ｃ2〜Ｃ20−アルキニル、Ｃ5〜Ｃ6−シクロアルキル、フェニルおよびＯ−Ｓｉ（ＣＨ3）3からなる群から選択され、
ＲiおよびＲjは、独立して、Ｈ、Ｃ1〜Ｃ20−アルキル、Ｃ2〜Ｃ20−アルケニル、Ｃ2〜Ｃ20−アルキニル、Ｃ5〜Ｃ8−シクロアルキル、Ｃ6〜Ｃ14−アリールおよび５員ないし１４員のヘテロアリールからなる群から選択され、
ここで、Ｃ1〜Ｃ20−アルキル、Ｃ2〜Ｃ20−アルケニルおよびＣ2〜Ｃ20−アルキニルは、Ｃ5〜Ｃ6−シクロアルキル、Ｃ6〜Ｃ10−アリール、５員ないし１０員のヘテロアリール、ＯＲk、ＯＣ（Ｏ）−Ｒl、Ｃ（Ｏ）−ＯＲk、Ｃ（Ｏ）−Ｒk、ＮＲkＲl、ＮＲk−Ｃ（Ｏ）Ｒl、Ｃ（Ｏ）−ＮＲkＲl、Ｎ［Ｃ（Ｏ）Ｒk］［Ｃ（Ｏ）Ｒl］、ＳＲk、ハロゲン、ＣＮおよびＮＯ2からなる群から選択される１個〜５個の置換基で置換されていてよく、
Ｃ5〜Ｃ8−シクロアルキルは、Ｃ1〜Ｃ10−アルキル、Ｃ2〜Ｃ10−アルケニル、Ｃ2〜Ｃ10−アルキニル、Ｃ5〜Ｃ6−シクロアルキル、Ｃ6〜Ｃ10−アリール、５員ないし１０員のヘテロアリール、ＯＲk、ＯＣ（Ｏ）−Ｒl、Ｃ（Ｏ）−ＯＲk、Ｃ（Ｏ）−Ｒk、ＮＲkＲl、ＮＲk−Ｃ（Ｏ）Ｒl、Ｃ（Ｏ）−ＮＲkＲl、Ｎ［Ｃ（Ｏ）Ｒk］［Ｃ（Ｏ）Ｒl］、ＳＲk、ハロゲン、ＣＮおよびＮＯ2からなる群から選択される１個〜５個の置換基で置換されていてよく、
Ｃ6〜Ｃ14−アリールおよび５員ないし１４員のヘテロアリールは、Ｃ1〜Ｃ10−アルキル、Ｃ2〜Ｃ10−アルケニル、Ｃ2〜Ｃ10−アルキニル、Ｃ5〜Ｃ6−シクロアルキル、Ｃ6〜Ｃ10−アリール、５員ないし１０員のヘテロアリール、ＯＲk、ＯＣ（Ｏ）−Ｒl、Ｃ（Ｏ）−ＯＲk、Ｃ（Ｏ）−Ｒk、ＮＲkＲl、ＮＲk−Ｃ（Ｏ）Ｒl、Ｃ（Ｏ）−ＮＲkＲl、Ｎ［Ｃ（Ｏ）Ｒk］［Ｃ（Ｏ）Ｒl］、ＳＲk、ハロゲン、ＣＮおよびＮＯ2からなる群から独立して選択される１個〜５個の置換基で置換されていてよく、
ここで、ＲkおよびＲlは、独立して、Ｈ、Ｃ1〜Ｃ10−アルキル、Ｃ2〜Ｃ10−アルケニルおよびＣ2〜Ｃ10−アルキニルからなる群から選択され、
ここで、Ｃ1〜Ｃ10−アルキル、Ｃ2〜Ｃ10−アルケニルおよびＣ2〜Ｃ10−アルキニルは、ハロゲン、ＣＮおよびＮＯ2からなる群から選択される１個〜５個の置換基で置換されていてよい。
【００５５】
更により好ましくは、Ｌ1およびＬ2は、互いに独立して、それぞれの場合に、５員ないし２０員のヘテロアリーレン、および
【化３０】
2017523281.tif 000032
からなる群から選択され、
ここで、５員ないし２０員のヘテロアリーレンは、
【化３１】
2017523281.tif 000033
【００５６】
【化３２】
2017523281.tif 000034
からなる群から選択され、
ここで、Ｒ104およびＲ105は、独立して、それぞれの場合に、Ｈ、Ｃ1〜Ｃ20−アルキル、Ｃ2〜Ｃ20−アルケニル、Ｃ2〜Ｃ20−アルキニル、Ｃ5〜Ｃ8−シクロアルキル、Ｃ6〜Ｃ14−アリールおよび５員ないし１４員のヘテロアリールからなる群から選択され、またはＲ104およびＲ105は、同じ原子に結合される場合に、それらが結合される原子と一緒になって、５員ないし１２員の環系を形成し、
ここで、Ｃ1〜Ｃ20−アルキル、Ｃ2〜Ｃ20−アルケニルおよびＣ2〜Ｃ20−アルキニルは、Ｃ5〜Ｃ6−シクロアルキル、Ｃ6〜Ｃ10−アリール、５員ないし１０員のヘテロアリール、ＯＲs、ＯＣ（Ｏ）−Ｒt、Ｃ（Ｏ）−ＯＲs、Ｃ（Ｏ）−Ｒs、ＮＲsＲt、ＮＲs−Ｃ（Ｏ）Ｒt、Ｃ（Ｏ）−ＮＲsＲt、Ｎ［Ｃ（Ｏ）Ｒs］［Ｃ（Ｏ）Ｒt］、ＳＲs、ハロゲン、ＣＮおよびＮＯ2からなる群から選択される１個〜５個の置換基で置換されていてよく、
Ｃ5〜Ｃ8−シクロアルキルは、Ｃ1〜Ｃ10−アルキル、Ｃ2〜Ｃ10−アルケニル、Ｃ2〜Ｃ10−アルキニル、Ｃ5〜Ｃ6−シクロアルキル、Ｃ6〜Ｃ10−アリール、５員ないし１０員のヘテロアリール、ＯＲs、ＯＣ（Ｏ）−Ｒt、Ｃ（Ｏ）−ＯＲs、Ｃ（Ｏ）−Ｒs、ＮＲsＲt、ＮＲs−Ｃ（Ｏ）Ｒt、Ｃ（Ｏ）−ＮＲsＲt、Ｎ［Ｃ（Ｏ）Ｒs］［Ｃ（Ｏ）Ｒt］、ＳＲs、ハロゲン、ＣＮおよびＮＯ2からなる群から選択される１個〜５個の置換基で置換されていてよく、
Ｃ6〜Ｃ14−アリールおよび５員ないし１４員のヘテロアリールは、Ｃ1〜Ｃ10−アルキル、Ｃ2〜Ｃ10−アルケニル、Ｃ2〜Ｃ10−アルキニル、Ｃ5〜Ｃ6−シクロアルキル、Ｃ6〜Ｃ10−アリール、５員ないし１０員のヘテロアリール、ＯＲs、ＯＣ（Ｏ）−Ｒt、Ｃ（Ｏ）−ＯＲs、Ｃ（Ｏ）−Ｒs、ＮＲsＲt、ＮＲs−Ｃ（Ｏ）Ｒt、Ｃ（Ｏ）−ＮＲsＲt、Ｎ［Ｃ（Ｏ）Ｒs］［Ｃ（Ｏ）Ｒt］、ＳＲs、ハロゲン、ＣＮおよびＮＯ2からなる群から独立して選択される１個〜５個の置換基で置換されていてよく、
５員ないし１２員の環系は、Ｃ1〜Ｃ10−アルキル、Ｃ2〜Ｃ10−アルケニル、Ｃ2〜Ｃ10−アルキニル、Ｃ5〜Ｃ6−シクロアルキル、Ｃ6〜Ｃ10−アリール、５員ないし１０員のヘテロアリール、ＯＲs、ＯＣ（Ｏ）−Ｒt、Ｃ（Ｏ）−ＯＲs、Ｃ（Ｏ）−Ｒs、ＮＲsＲt、ＮＲs−Ｃ（Ｏ）Ｒt、Ｃ（Ｏ）−ＮＲsＲt、Ｎ［Ｃ（Ｏ）Ｒs］［Ｃ（Ｏ）Ｒt］、ＳＲs、ハロゲン、ＣＮおよびＮＯ2からなる群から選択される１個〜５個の置換基で置換されていてよく、
ここで、ＲsおよびＲtは、独立して、Ｈ、Ｃ1〜Ｃ10−アルキル、Ｃ2〜Ｃ10−アルケニルおよびＣ2〜Ｃ10−アルキニルからなる群から選択され、
ここで、Ｃ1〜Ｃ10−アルキル、Ｃ2〜Ｃ10−アルケニルおよびＣ2〜Ｃ10−アルキニルは、ハロゲン、ＣＮおよびＮＯ2からなる群から選択される１個〜５個の置換基で置換されていてよく、
ここで、５員ないし２０員のヘテロアリーレンは、Ｃ1〜Ｃ30−アルキルおよびハロゲンからなる群からそれぞれの場合に選択される１個〜６個の置換基Ｒ3で置換されていてよく、かつ
ここで、
【化３３】
2017523281.tif 000035
は、Ｃ1〜Ｃ30−アルキル、Ｃ（Ｏ）−Ｒ41、Ｃ（Ｏ）−ＯＲ41およびＣＮからなる群からそれぞれの場合に選択される１個または２個の置換基Ｒ4で置換されていてよく、ここで、Ｒ41は、それぞれの場合に、Ｃ1〜Ｃ30−アルキルである。
【００５７】
最も好ましくは、Ｌ1およびＬ2は、互いに独立して、それぞれの場合に、５員ないし２０員のヘテロアリーレンであり、
ここで、５員ないし２０員のヘテロアリーレンは、
【化３４】
2017523281.tif 000036
からなる群から選択され、
ここで、Ｒ104およびＲ105は、独立して、それぞれの場合に、ＨおよびＣ1〜Ｃ20−アルキルからなる群から選択され、
ここで、５員ないし２０員のヘテロアリーレンは、Ｃ1〜Ｃ30−アルキルおよびハロゲンからなる群からそれぞれの場合に選択される１個〜６個の置換基Ｒ3で置換されていてよい。
【００５８】
特に、Ｌ1およびＬ2は、互いに独立して、それぞれの場合に、５員ないし２０員のヘテロアリーレンであり、
ここで、５員ないし２０員のヘテロアリーレンは、
【化３５】
2017523281.tif 000037
からなる群から選択され、
ここで、５員ないし２０員のヘテロアリーレンは、非置換である。
【００５９】
式（１）の少なくとも１つの単位を含む好ましいポリマーにおいては、
Ｘ1、Ｘ2およびＸ3は、互いに独立して、Ｏ、ＳまたはＮＲ1であり、
Ａは、
【化３６】
2017523281.tif 000038
からなる群から選択され、
Ｂは、
【化３７】
2017523281.tif 000039
からなる群から選択され、
ここで、Ｘ4、Ｘ5およびＸ6は、互いに独立して、Ｏ、ＳまたはＮＲ1であり、
Ａ１、Ａ２、Ａ３、Ｂ１、Ｂ２、Ｂ３、Ｂ４、Ｂ５、Ｂ６またはＢ７は、１個〜３個の置換基Ｒ2で置換されていてよく、
Ｒ1は、それぞれの場合に、Ｃ1〜Ｃ100−アルキル、Ｃ2〜Ｃ100−アルケニルおよびＣ2〜Ｃ100−アルキニルからなる群から選択され、
ここで、Ｃ1〜Ｃ100−アルキル、Ｃ2〜Ｃ100−アルケニルおよびＣ2〜Ｃ100−アルキニルは、Ｃ5〜Ｃ8−シクロアルキル、Ｃ6〜Ｃ14−アリール、５員ないし１４員のヘテロアリール、ＯＲa、ＯＣ（Ｏ）−Ｒa、Ｃ（Ｏ）−ＯＲa、Ｃ（Ｏ）−Ｒa、ＮＲa−Ｃ（Ｏ）Ｒb、Ｃ（Ｏ）−ＮＲaＲb、ＳＲa、Ｓｉ（ＲSia）（ＲSib）（ＲSic）、−Ｏ−Ｓｉ（ＲSia）（ＲSib）（ＲSic）、ハロゲンおよびＣＮからなる群から独立して選択される１個〜４０個の置換基で置換されていてよく、かつＣ1〜Ｃ100−アルキル、Ｃ2〜Ｃ100−アルケニルおよびＣ2〜Ｃ100−アルキニルの少なくとも２個のＣＨ2基であるが隣接していないＣＨ2基は、ＯまたはＳによって置き換えられてよく、
ここで、ＲaおよびＲbは、独立して、Ｈ、Ｃ1〜Ｃ60−アルキル、Ｃ2〜Ｃ60−アルケニル、Ｃ2〜Ｃ60−アルキニル、Ｃ5〜Ｃ8−シクロアルキル、Ｃ6〜Ｃ14−アリールおよび５員ないし１４員のヘテロアリールからなる群から選択され、
ＲSia、ＲSibおよびＲSicは、独立して、Ｈ、Ｃ1〜Ｃ60−アルキル、Ｃ2〜Ｃ60−アルケニル、Ｃ2〜Ｃ60−アルキニル、Ｃ5〜Ｃ8−シクロアルキル、Ｃ6〜Ｃ14−アリールおよび−［Ｏ−ＳｉＲSidＲSie］o−ＲSifからなる群から選択され、
ここで、ｏは、１から５０までの整数であり、
ＲSid、ＲSieおよびＲSifは、独立して、Ｈ、Ｃ1〜Ｃ60−アルキル、Ｃ2〜Ｃ60−アルケニル、Ｃ2〜Ｃ60−アルキニル、Ｃ5〜Ｃ8−シクロアルキル、Ｃ6〜Ｃ14−アリールおよび−［Ｏ−ＳｉＲSigＲSih］p−ＲSiiからなる群から選択され、
ここで、ｐは、１から５０までの整数であり、
ＲSig、ＲSihおよびＲSiiは、独立して、Ｈ、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリールおよびＯ−Ｓｉ（ＣＨ3）3からなる群から選択され、
Ｒ5、Ｒ6、Ｒ50、Ｒ60、Ｒ500およびＲ600は、独立して、Ｈ、Ｃ1〜Ｃ60−アルキル、Ｃ2〜Ｃ60−アルケニル、Ｃ2〜Ｃ60−アルキニル、Ｃ5〜Ｃ8−シクロアルキル、Ｃ6〜Ｃ14−アリールおよび５員ないし１４員のヘテロアリールからなる群から選択され、
Ｃ1〜Ｃ60−アルキル、Ｃ2〜Ｃ60−アルケニルおよびＣ2〜Ｃ60−アルキニルは、Ｃ5〜Ｃ6−シクロアルキル、Ｃ6〜Ｃ10−アリール、ＯＲc、ＯＣ（Ｏ）−Ｒc、Ｃ（Ｏ）−ＯＲc、Ｃ（Ｏ）−Ｒc、ＮＲc−Ｃ（Ｏ）Ｒd、Ｃ（Ｏ）−ＮＲcＲd、ＳＲc、Ｓｉ（ＲSij）（ＲSik）（ＲSil）、−Ｏ−Ｓｉ（ＲSij）（ＲSik）（ＲSil）、ハロゲンおよびＣＮからなる群から選択される１個〜２０個の置換基で置換されていてよく、かつＣ1〜Ｃ60−アルキル、Ｃ2〜Ｃ60−アルケニルおよびＣ2〜Ｃ60−アルキニルの少なくとも２個のＣＨ2基であるが隣接していないＣＨ2基は、ＯまたはＳによって置き換えられてよく、
Ｃ5〜Ｃ8−シクロアルキルは、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリール、ＯＲc、ＯＣ（Ｏ）−Ｒc、Ｃ（Ｏ）−ＯＲc、Ｃ（Ｏ）−Ｒc、ＮＲc−Ｃ（Ｏ）Ｒd、Ｃ（Ｏ）−ＮＲcＲd、ＳＲc、Ｓｉ（ＲSij）（ＲSik）（ＲSil）、−Ｏ−Ｓｉ（ＲSij）（ＲSik）（ＲSil）、ハロゲンおよびＣＮからなる群から選択される１個〜５個の置換基で置換されていてよく、かつＣ5〜Ｃ8−シクロアルキルの１個または２個のＣＨ2基であるが隣接していないＣＨ2基は、Ｏ、Ｓ、ＯＣ（Ｏ）、ＣＯ、ＮＲcまたはＮＲc−ＣＯによって置き換えられてよく、
Ｃ6〜Ｃ14−アリールおよび５員ないし１４員のヘテロアリールは、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリール、ＯＲc、ＯＣ（Ｏ）−Ｒc、Ｃ（Ｏ）−ＯＲc、Ｃ（Ｏ）−Ｒc、ＮＲc−Ｃ（Ｏ）Ｒd、Ｃ（Ｏ）−ＮＲcＲd、ＳＲc、Ｓｉ（ＲSij）（ＲSik）（ＲSil）、−Ｏ−Ｓｉ（ＲSij）（ＲSik）（ＲSil）、ハロゲンおよびＣＮからなる群から独立して選択される１個〜５個の置換基で置換されていてよく、
ここで、ＲcおよびＲdは、独立して、Ｈ、Ｃ1〜Ｃ30−アルキル、Ｃ2〜Ｃ30−アルケニルおよびＣ2〜Ｃ30−アルキニルからなる群から選択され、
ＲSij、ＲSikおよびＲSilは、独立して、Ｈ、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリール、−［Ｏ−ＳｉＲSimＲSin］q−ＲSioからなる群から選択され、
ここで、ｑは、１から５０までの整数であり、
ＲSim、ＲSinおよびＲSioは、独立して、Ｈ、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリールおよび−［Ｏ−ＳｉＲSipＲSiq］r−ＲSirからなる群から選択され、
ここで、ｒは、１から５０までの整数であり、
ＲSip、ＲSiqおよびＲSirは、独立して、Ｈ、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリールおよびＯ−Ｓｉ（ＣＨ3）3からなる群から選択され、
Ｒ7、Ｒ8、Ｒ70、Ｒ80、Ｒ700およびＲ800は、独立して、Ｈ、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリールおよび５員ないし１０員のヘテロアリールからなる群から選択され、
Ｃ1〜Ｃ30−アルキル、Ｃ2〜Ｃ30−アルケニルおよびＣ2〜Ｃ30−アルキニルは、ハロゲンおよびＣＮからなる群から選択される１個〜１０個の置換基で置換されていてよく、
Ｒ2は、それぞれの場合に、Ｃ1〜Ｃ30−アルキルおよびハロゲンからなる群から選択され、
ここで、Ｃ1〜Ｃ30−アルキルは、Ｃ5〜Ｃ8−シクロアルキル、Ｃ6〜Ｃ14−アリール、５員ないし１４員のヘテロアリール、ＯＲe、ＯＣ（Ｏ）−Ｒe、Ｃ（Ｏ）−ＯＲe、Ｃ（Ｏ）−Ｒe、ＮＲeＲf、ＮＲe−Ｃ（Ｏ）Ｒf、Ｃ（Ｏ）−ＮＲeＲf、Ｎ［Ｃ（Ｏ）Ｒe］［Ｃ（Ｏ）Ｒf］、ＳＲe、ハロゲン、ＣＮ、ＳｉＲSisＲSitＲSiuおよびＮＯ2からなる群から独立して選択される１個〜１０個の置換基で置換されていてよく、かつＣ1〜Ｃ30−アルキルの少なくとも２個のＣＨ2基であるが隣接していないＣＨ2基は、ＯまたはＳによって置き換えられてよく、
ここで、ＲSis、ＲSitおよびＲSiuは、互いに独立して、Ｈ、Ｃ1〜Ｃ20−アルキル、Ｃ2〜Ｃ20−アルケニル、Ｃ2〜Ｃ20−アルキニル、Ｃ5〜Ｃ6−シクロアルキル、フェニルおよびＯ−Ｓｉ（ＣＨ3）3からなる群から選択され、
ＲeおよびＲfは、独立して、Ｈ、Ｃ1〜Ｃ20−アルキル、Ｃ2〜Ｃ20−アルケニル、Ｃ2〜Ｃ20−アルキニル、Ｃ5〜Ｃ8−シクロアルキル、Ｃ6〜Ｃ14−アリールおよび５員ないし１４員のヘテロアリールからなる群から選択され、
ここで、Ｃ1〜Ｃ20−アルキル、Ｃ2〜Ｃ20−アルケニルおよびＣ2〜Ｃ20−アルキニルは、Ｃ5〜Ｃ6−シクロアルキル、Ｃ6〜Ｃ10−アリール、５員ないし１０員のヘテロアリール、ＯＲg、ＯＣ（Ｏ）−Ｒg、Ｃ（Ｏ）−ＯＲg、Ｃ（Ｏ）−Ｒg、ＮＲgＲh、ＮＲg−Ｃ（Ｏ）Ｒh、Ｃ（Ｏ）−ＮＲgＲh、Ｎ［Ｃ（Ｏ）Ｒg］［Ｃ（Ｏ）Ｒh］、ＳＲg、ハロゲン、ＣＮおよびＮＯ2からなる群から選択される１個〜５個の置換基で置換されていてよく、
Ｃ5〜Ｃ8−シクロアルキルは、Ｃ1〜Ｃ10−アルキル、Ｃ2〜Ｃ10−アルケニル、Ｃ2〜Ｃ10−アルキニル、Ｃ5〜Ｃ6−シクロアルキル、Ｃ6〜Ｃ10−アリール、５員ないし１０員のヘテロアリール、ＯＲg、ＯＣ（Ｏ）−Ｒg、Ｃ（Ｏ）−ＯＲg、Ｃ（Ｏ）−Ｒg、ＮＲgＲh、ＮＲg−Ｃ（Ｏ）Ｒh、Ｃ（Ｏ）−ＮＲgＲh、Ｎ［Ｃ（Ｏ）Ｒg］［Ｃ（Ｏ）Ｒh］、ＳＲg、ハロゲン、ＣＮおよびＮＯ2からなる群から選択される１個〜５個の置換基で置換されていてよく、
Ｃ6〜Ｃ14−アリールおよび５員ないし１４員のヘテロアリールは、Ｃ1〜Ｃ10−アルキル、Ｃ2〜Ｃ10−アルケニル、Ｃ2〜Ｃ10−アルキニル、Ｃ5〜Ｃ6−シクロアルキル、Ｃ6〜Ｃ10−アリール、５員ないし１０員のヘテロアリール、ＯＲg、ＯＣ（Ｏ）−Ｒg、Ｃ（Ｏ）−ＯＲg、Ｃ（Ｏ）−Ｒg、ＮＲgＲh、ＮＲg−Ｃ（Ｏ）Ｒh、Ｃ（Ｏ）−ＮＲgＲh、Ｎ［Ｃ（Ｏ）Ｒg］［Ｃ（Ｏ）Ｒh］、ＳＲg、ハロゲン、ＣＮおよびＮＯ2からなる群から独立して選択される１個〜５個の置換基で置換されていてよく、
ここで、ＲgおよびＲhは、独立して、Ｈ、Ｃ1〜Ｃ10−アルキル、Ｃ2〜Ｃ10−アルケニルおよびＣ2〜Ｃ10−アルキニルからなる群から選択され、
ここで、Ｃ1〜Ｃ10−アルキル、Ｃ2〜Ｃ10−アルケニルおよびＣ2〜Ｃ10−アルキニルは、ハロゲン、ＣＮおよびＮＯ2からなる群から選択される１個〜５個の置換基で置換されていてよく、
ｎは、０、１、２または３であり、
ｍは、０、１、２または３であり、かつ
Ｌ1およびＬ2は、互いに独立して、それぞれの場合に、Ｃ6〜Ｃ18−アリーレン、５員ないし２０員のヘテロアリーレン、および
【化３８】
2017523281.tif 000040
からなる群から選択され、
ここで、Ｃ6〜Ｃ18−アリーレンおよび５員ないし２０員のヘテロアリーレンは、Ｃ1〜Ｃ30−アルキル、Ｃ2〜Ｃ30−アルケニル、Ｃ2〜Ｃ30−アルキニル、Ｃ5〜Ｃ12−シクロアルキル、Ｃ6〜Ｃ18−アリールおよび５員ないし２０員のヘテロアリール、ＯＲ31、ＯＣ（Ｏ）−Ｒ31、Ｃ（Ｏ）−ＯＲ31、Ｃ（Ｏ）−Ｒ31、ＮＲ31Ｒ32、ＮＲ31−Ｃ（Ｏ）Ｒ32、Ｃ（Ｏ）−ＮＲ31Ｒ32、ＳＲ31、ハロゲン、ＣＮ、ＳｉＲSivＲSiwＲSixおよびＯＨからなる群からそれぞれの場合に選択される１個〜６個の置換基Ｒ3で置換されていてよく、かつ
ここで、
【化３９】
2017523281.tif 000041
は、Ｃ1〜Ｃ30−アルキル、Ｃ2〜Ｃ30−アルケニル、Ｃ2〜Ｃ30−アルキニル、Ｃ5〜Ｃ12−シクロアルキル、Ｃ6〜Ｃ18−アリールおよび５員ないし２０員のヘテロアリール、Ｃ（Ｏ）−Ｒ41、Ｃ（Ｏ）−ＮＲ41Ｒ42、Ｃ（Ｏ）−ＯＲ41およびＣＮからなる群からそれぞれの場合に選択される１個または２個の置換基Ｒ4で置換されていてよく、
ここで、Ｒ31、Ｒ32、Ｒ41およびＲ42は、互いに独立して、それぞれの場合に、Ｈ、Ｃ1〜Ｃ30−アルキル、Ｃ2〜Ｃ30−アルケニル、Ｃ2〜Ｃ30−アルキニル、Ｃ5〜Ｃ12−シクロアルキル、Ｃ6〜Ｃ18−アリールおよび５員ないし２０員のヘテロアリールからなる群から選択され、かつ
ここで、Ｃ1〜Ｃ30−アルキル、Ｃ2〜Ｃ30−アルケニルおよびＣ2〜Ｃ30−アルキニルは、Ｃ5〜Ｃ8−シクロアルキル、Ｃ6〜Ｃ14−アリール、５員ないし１４員のヘテロアリール、ＯＲi、ＯＣ（Ｏ）−Ｒj、Ｃ（Ｏ）−ＯＲi、Ｃ（Ｏ）−Ｒi、ＮＲiＲj、ＮＲi−Ｃ（Ｏ）Ｒj、Ｃ（Ｏ）−ＮＲiＲj、Ｎ［Ｃ（Ｏ）Ｒi］［Ｃ（Ｏ）Ｒj］、ＳＲi、ハロゲン、ＣＮ、ＳｉＲSivＲSiwＲSixおよびＮＯ2からなる群から独立して選択される１個〜１０個の置換基で置換されていてよく、かつＣ1〜Ｃ30−アルキル、Ｃ2〜Ｃ30−アルケニルおよびＣ2〜Ｃ30−アルキニルの少なくとも２個のＣＨ2基であるが隣接していないＣＨ2基は、ＯまたはＳによって置き換えられてよく、
Ｃ5〜Ｃ12−シクロアルキルは、Ｃ1〜Ｃ20−アルキル、Ｃ2〜Ｃ20−アルケニルおよびＣ2〜Ｃ20−アルキニル、Ｃ5〜Ｃ8−シクロアルキル、Ｃ6〜Ｃ14−アリール、５員ないし１４員のヘテロアリール、ＯＲi、ＯＣ（Ｏ）−Ｒj、Ｃ（Ｏ）−ＯＲi、Ｃ（Ｏ）−Ｒi、ＮＲiＲj、ＮＲi−Ｃ（Ｏ）Ｒj、Ｃ（Ｏ）−ＮＲiＲj、Ｎ［Ｃ（Ｏ）Ｒi］［Ｃ（Ｏ）Ｒj］、ＳＲi、ハロゲン、ＣＮ、ＳｉＲSivＲSiwＲSixおよびＮＯ2からなる群から独立して選択される１個〜６個の置換基で置換されていてよく、かつＣ5〜Ｃ12−シクロアルキルの１個または２個のＣＨ2基であるが隣接していないＣＨ2基は、Ｏ、Ｓ、ＯＣ（Ｏ）、ＣＯ、ＮＲiまたはＮＲi−ＣＯによって置き換えられてよく、
Ｃ6〜Ｃ18−アリールおよび５員ないし２０員のヘテロアリールは、Ｃ1〜Ｃ20−アルキル、Ｃ2〜Ｃ20−アルケニル、Ｃ2〜Ｃ20−アルキニル、Ｃ5〜Ｃ8−シクロアルキル、Ｃ6〜Ｃ14−アリール、５員ないし１４員のヘテロアリール、ＯＲi、ＯＣ（Ｏ）−Ｒj、Ｃ（Ｏ）−ＯＲi、Ｃ（Ｏ）−Ｒi、ＮＲiＲj、ＮＲi−Ｃ（Ｏ）Ｒj、Ｃ（Ｏ）−ＮＲiＲj、Ｎ［Ｃ（Ｏ）Ｒi］［Ｃ（Ｏ）Ｒj］、ＳＲi、ハロゲン、ＣＮ、ＳｉＲSivＲSiwＲSixおよびＮＯ2からなる群から独立して選択される１個〜６個の置換基で置換されていてよく、
ここで、ＲSiv、ＲSiw、ＲSixは、互いに独立して、Ｈ、Ｃ1〜Ｃ20−アルキル、Ｃ2〜Ｃ20−アルケニル、Ｃ2〜Ｃ20−アルキニル、Ｃ5〜Ｃ6−シクロアルキル、フェニルおよびＯ−Ｓｉ（ＣＨ3）3からなる群から選択され、
ＲiおよびＲjは、独立して、Ｈ、Ｃ1〜Ｃ20−アルキル、Ｃ2〜Ｃ20−アルケニル、Ｃ2〜Ｃ20−アルキニル、Ｃ5〜Ｃ8−シクロアルキル、Ｃ6〜Ｃ14−アリールおよび５員ないし１４員のヘテロアリールからなる群から選択され、
ここで、Ｃ1〜Ｃ20−アルキル、Ｃ2〜Ｃ20−アルケニルおよびＣ2〜Ｃ20−アルキニルは、Ｃ5〜Ｃ6−シクロアルキル、Ｃ6〜Ｃ10−アリール、５員ないし１０員のヘテロアリール、ＯＲk、ＯＣ（Ｏ）−Ｒl、Ｃ（Ｏ）−ＯＲk、Ｃ（Ｏ）−Ｒk、ＮＲkＲl、ＮＲk−Ｃ（Ｏ）Ｒl、Ｃ（Ｏ）−ＮＲkＲl、Ｎ［Ｃ（Ｏ）Ｒk］［Ｃ（Ｏ）Ｒl］、ＳＲk、ハロゲン、ＣＮおよびＮＯ2からなる群から選択される１個〜５個の置換基で置換されていてよく、
Ｃ5〜Ｃ8−シクロアルキルは、Ｃ1〜Ｃ10−アルキル、Ｃ2〜Ｃ10−アルケニル、Ｃ2〜Ｃ10−アルキニル、Ｃ5〜Ｃ6−シクロアルキル、Ｃ6〜Ｃ10−アリール、５員ないし１０員のヘテロアリール、ＯＲk、ＯＣ（Ｏ）−Ｒl、Ｃ（Ｏ）−ＯＲk、Ｃ（Ｏ）−Ｒk、ＮＲkＲl、ＮＲk−Ｃ（Ｏ）Ｒl、Ｃ（Ｏ）−ＮＲkＲl、Ｎ［Ｃ（Ｏ）Ｒk］［Ｃ（Ｏ）Ｒl］、ＳＲk、ハロゲン、ＣＮおよびＮＯ2からなる群から選択される１個〜５個の置換基で置換されていてよく、
Ｃ6〜Ｃ14−アリールおよび５員ないし１４員のヘテロアリールは、Ｃ1〜Ｃ10−アルキル、Ｃ2〜Ｃ10−アルケニル、Ｃ2〜Ｃ10−アルキニル、Ｃ5〜Ｃ6−シクロアルキル、Ｃ6〜Ｃ10−アリール、５員ないし１０員のヘテロアリール、ＯＲk、ＯＣ（Ｏ）−Ｒl、Ｃ（Ｏ）−ＯＲk、Ｃ（Ｏ）−Ｒk、ＮＲkＲl、ＮＲk−Ｃ（Ｏ）Ｒl、Ｃ（Ｏ）−ＮＲkＲl、Ｎ［Ｃ（Ｏ）Ｒk］［Ｃ（Ｏ）Ｒl］、ＳＲk、ハロゲン、ＣＮおよびＮＯ2からなる群から独立して選択される１個〜５個の置換基で置換されていてよく、
ここで、ＲkおよびＲlは、独立して、Ｈ、Ｃ1〜Ｃ10−アルキル、Ｃ2〜Ｃ10−アルケニルおよびＣ2〜Ｃ10−アルキニルからなる群から選択され、
ここで、Ｃ1〜Ｃ10−アルキル、Ｃ2〜Ｃ10−アルケニルおよびＣ2〜Ｃ10−アルキニルは、ハロゲン、ＣＮおよびＮＯ2からなる群から選択される１個〜５個の置換基で置換されていてよい。
【００６０】
式（１）の少なくとも１つの単位を含むより好ましいポリマーにおいては、
Ｘ1、Ｘ2およびＸ3は、互いに独立して、ＳまたはＮＲ1であり、
Ａは、
【化４０】
2017523281.tif 000042
であり、
Ｘ4は、ＳまたはＮＲ1であり、かつ
Ａ１は、１個の置換基Ｒ2で置換されていてよく、
Ｂは、
【化４１】
2017523281.tif 000043
からなる群から選択され、
ここで、Ｘ5およびＸ6は、互いに独立して、ＳまたはＮＲ1であり、かつ
Ｂ１、Ｂ２およびＢ３は、１個〜３個の置換基Ｒ2で置換されていてよく、
Ｒ1は、それぞれの場合に、Ｃ1〜Ｃ50−アルキル、Ｃ2〜Ｃ50−アルケニルおよびＣ2〜Ｃ50−アルキニルからなる群から選択され、
ここで、Ｃ1〜Ｃ50−アルキル、Ｃ2〜Ｃ50−アルケニルおよびＣ2〜Ｃ50−アルキニルは、Ｃ5〜Ｃ6−シクロアルキル、Ｃ6〜Ｃ10−アリール、５員ないし１０員のヘテロアリール、ＯＲa、ＳＲa、Ｓｉ（ＲSia）（ＲSib）（ＲSic）、−Ｏ−Ｓｉ（ＲSia）（ＲSib）（ＲSic）、ハロゲンおよびＣＮからなる群から独立して選択される１個〜２０個の置換基で置換されていてよく、かつＣ1〜Ｃ50−アルキル、Ｃ2〜Ｃ50−アルケニルおよびＣ2〜Ｃ50−アルキニルの少なくとも２個のＣＨ2基であるが隣接していないＣＨ2基は、ＯまたはＳによって置き換えられてよく、
ここで、ＲaおよびＲbは、独立して、Ｈ、Ｃ1〜Ｃ30−アルキル、Ｃ2〜Ｃ30−アルケニル、Ｃ2〜Ｃ30−アルキニル、Ｃ5〜Ｃ6−シクロアルキルおよびＣ6〜Ｃ10−アリールからなる群から選択され、
ＲSia、ＲSibおよびＲSicは、独立して、Ｈ、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリールおよび−［Ｏ−ＳｉＲSidＲSie］o−ＲSifからなる群から選択され、
ここで、ｏは、１から５０までの整数であり、
ＲSid、ＲSieおよびＲSifは、独立して、Ｈ、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリールおよび−［Ｏ−ＳｉＲSigＲSih］p−ＲSiiからなる群から選択され、
ここで、ｐは、１から５０までの整数であり、
ＲSig、ＲSihおよびＲSiiは、独立して、Ｈ、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリールおよびＯ−Ｓｉ（ＣＨ3）3からなる群から選択され、
Ｒ5、Ｒ6、Ｒ50、Ｒ60、Ｒ500およびＲ600は、独立して、Ｈ、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリールおよび５員ないし１０員のヘテロアリールからなる群から選択され、
Ｃ1〜Ｃ30−アルキル、Ｃ2〜Ｃ30−アルケニルおよびＣ2〜Ｃ30−アルキニルは、ハロゲンおよびＣＮからなる群から選択される１個〜１０個の置換基で置換されていてよく、
Ｒ2は、それぞれの場合に、非置換のＣ1〜Ｃ30−アルキルおよびハロゲンからなる群から選択され、
ｎは、０、１または２であり、
ｍは、０、１または２であり、かつ
Ｌ1およびＬ2は、互いに独立して、それぞれの場合に、５員ないし２０員のヘテロアリーレン、および
【化４２】
2017523281.tif 000044
からなる群から選択され、
ここで、５員ないし２０員のヘテロアリーレンは、Ｃ1〜Ｃ30−アルキル、Ｃ2〜Ｃ30−アルケニル、Ｃ2〜Ｃ30−アルキニル、Ｃ5〜Ｃ12−シクロアルキル、Ｃ6〜Ｃ18−アリールおよび５員ないし２０員のヘテロアリール、ＯＲ31、ＯＣ（Ｏ）−Ｒ31、Ｃ（Ｏ）−ＯＲ31、Ｃ（Ｏ）−Ｒ31、ＮＲ31Ｒ32、ＮＲ31−Ｃ（Ｏ）Ｒ32、Ｃ（Ｏ）−ＮＲ31Ｒ32、ＳＲ31、ハロゲン、ＣＮ、ＳｉＲSivＲSiwＲSixおよびＯＨからなる群からそれぞれの場合に選択される１個〜６個の置換基Ｒ3で置換されていてよく、かつ
ここで、
【化４３】
2017523281.tif 000045
は、Ｃ1〜Ｃ30−アルキル、Ｃ2〜Ｃ30−アルケニル、Ｃ2〜Ｃ30−アルキニル、Ｃ5〜Ｃ12−シクロアルキル、Ｃ6〜Ｃ18−アリールおよび５員ないし２０員のヘテロアリール、Ｃ（Ｏ）−Ｒ41、Ｃ（Ｏ）−ＮＲ41Ｒ42、Ｃ（Ｏ）−ＯＲ41およびＣＮからなる群からそれぞれの場合に選択される１個または２個の置換基Ｒ4で置換されていてよく、
ここで、Ｒ31、Ｒ32、Ｒ41およびＲ42は、互いに独立して、それぞれの場合に、Ｈ、Ｃ1〜Ｃ30−アルキル、Ｃ2〜Ｃ30−アルケニル、Ｃ2〜Ｃ30−アルキニル、Ｃ5〜Ｃ12−シクロアルキル、Ｃ6〜Ｃ18−アリールおよび５員ないし２０員のヘテロアリールからなる群から選択され、かつ
ここで、Ｃ1〜Ｃ30−アルキル、Ｃ2〜Ｃ30−アルケニルおよびＣ2〜Ｃ30−アルキニルは、Ｃ5〜Ｃ8−シクロアルキル、Ｃ6〜Ｃ14−アリール、５員ないし１４員のヘテロアリール、ＯＲi、ＯＣ（Ｏ）−Ｒj、Ｃ（Ｏ）−ＯＲi、Ｃ（Ｏ）−Ｒi、ＮＲiＲj、ＮＲi−Ｃ（Ｏ）Ｒj、Ｃ（Ｏ）−ＮＲiＲj、Ｎ［Ｃ（Ｏ）Ｒi］［Ｃ（Ｏ）Ｒj］、ＳＲi、ハロゲン、ＣＮ、ＳｉＲSivＲSiwＲSixおよびＮＯ2からなる群から独立して選択される１個〜１０個の置換基で置換されていてよく、かつＣ1〜Ｃ30−アルキル、Ｃ2〜Ｃ30−アルケニルおよびＣ2〜Ｃ30−アルキニルの少なくとも２個のＣＨ2基であるが隣接していないＣＨ2基は、ＯまたはＳによって置き換えられてよく、
Ｃ5〜Ｃ12−シクロアルキルは、Ｃ1〜Ｃ20−アルキル、Ｃ2〜Ｃ20−アルケニルおよびＣ2〜Ｃ20−アルキニル、Ｃ5〜Ｃ8−シクロアルキル、Ｃ6〜Ｃ14−アリール、５員ないし１４員のヘテロアリール、ＯＲi、ＯＣ（Ｏ）−Ｒj、Ｃ（Ｏ）−ＯＲi、Ｃ（Ｏ）−Ｒi、ＮＲiＲj、ＮＲi−Ｃ（Ｏ）Ｒj、Ｃ（Ｏ）−ＮＲiＲj、Ｎ［Ｃ（Ｏ）Ｒi］［Ｃ（Ｏ）Ｒj］、ＳＲi、ハロゲン、ＣＮ、ＳｉＲSivＲSiwＲSixおよびＮＯ2からなる群から独立して選択される１個〜６個の置換基で置換されていてよく、かつＣ5〜Ｃ12−シクロアルキルの１個または２個のＣＨ2基であるが隣接していないＣＨ2基は、Ｏ、Ｓ、ＯＣ（Ｏ）、ＣＯ、ＮＲiまたはＮＲi−ＣＯによって置き換えられてよく、
Ｃ6〜Ｃ18−アリールおよび５員ないし２０員のヘテロアリールは、Ｃ1〜Ｃ20−アルキル、Ｃ2〜Ｃ20−アルケニル、Ｃ2〜Ｃ20−アルキニル、Ｃ5〜Ｃ8−シクロアルキル、Ｃ6〜Ｃ14−アリール、５員ないし１４員のヘテロアリール、ＯＲi、ＯＣ（Ｏ）−Ｒj、Ｃ（Ｏ）−ＯＲi、Ｃ（Ｏ）−Ｒi、ＮＲiＲj、ＮＲi−Ｃ（Ｏ）Ｒj、Ｃ（Ｏ）−ＮＲiＲj、Ｎ［Ｃ（Ｏ）Ｒi］［Ｃ（Ｏ）Ｒj］、ＳＲi、ハロゲン、ＣＮ、ＳｉＲSivＲSiwＲSixおよびＮＯ2からなる群から独立して選択される１個〜６個の置換基で置換されていてよく、
ここで、ＲSiv、ＲSiwおよびＲSixは、互いに独立して、Ｈ、Ｃ1〜Ｃ20−アルキル、Ｃ2〜Ｃ20−アルケニル、Ｃ2〜Ｃ20−アルキニル、Ｃ5〜Ｃ6−シクロアルキル、フェニルおよびＯ−Ｓｉ（ＣＨ3）3からなる群から選択され、
ＲiおよびＲjは、独立して、Ｈ、Ｃ1〜Ｃ20−アルキル、Ｃ2〜Ｃ20−アルケニル、Ｃ2〜Ｃ20−アルキニル、Ｃ5〜Ｃ8−シクロアルキル、Ｃ6〜Ｃ14−アリールおよび５員ないし１４員のヘテロアリールからなる群から選択され、
ここで、Ｃ1〜Ｃ20−アルキル、Ｃ2〜Ｃ20−アルケニルおよびＣ2〜Ｃ20−アルキニルは、Ｃ5〜Ｃ6−シクロアルキル、Ｃ6〜Ｃ10−アリール、５員ないし１０員のヘテロアリール、ＯＲk、ＯＣ（Ｏ）−Ｒl、Ｃ（Ｏ）−ＯＲk、Ｃ（Ｏ）−Ｒk、ＮＲkＲl、ＮＲk−Ｃ（Ｏ）Ｒl、Ｃ（Ｏ）−ＮＲkＲl、Ｎ［Ｃ（Ｏ）Ｒk］［Ｃ（Ｏ）Ｒl］、ＳＲk、ハロゲン、ＣＮおよびＮＯ2からなる群から選択される１個〜５個の置換基で置換されていてよく、
Ｃ5〜Ｃ8−シクロアルキルは、Ｃ1〜Ｃ10−アルキル、Ｃ2〜Ｃ10−アルケニル、Ｃ2〜Ｃ10−アルキニル、Ｃ5〜Ｃ6−シクロアルキル、Ｃ6〜Ｃ10−アリール、５員ないし１０員のヘテロアリール、ＯＲk、ＯＣ（Ｏ）−Ｒl、Ｃ（Ｏ）−ＯＲk、Ｃ（Ｏ）−Ｒk、ＮＲkＲl、ＮＲk−Ｃ（Ｏ）Ｒl、Ｃ（Ｏ）−ＮＲkＲl、Ｎ［Ｃ（Ｏ）Ｒk］［Ｃ（Ｏ）Ｒl］、ＳＲk、ハロゲン、ＣＮおよびＮＯ2からなる群から選択される１個〜５個の置換基で置換されていてよく、
Ｃ6〜Ｃ14−アリールおよび５員ないし１４員のヘテロアリールは、Ｃ1〜Ｃ10−アルキル、Ｃ2〜Ｃ10−アルケニル、Ｃ2〜Ｃ10−アルキニル、Ｃ5〜Ｃ6−シクロアルキル、Ｃ6〜Ｃ10−アリール、５員ないし１０員のヘテロアリール、ＯＲk、ＯＣ（Ｏ）−Ｒl、Ｃ（Ｏ）−ＯＲk、Ｃ（Ｏ）−Ｒk、ＮＲkＲl、ＮＲk−Ｃ（Ｏ）Ｒl、Ｃ（Ｏ）−ＮＲkＲl、Ｎ［Ｃ（Ｏ）Ｒk］［Ｃ（Ｏ）Ｒl］、ＳＲk、ハロゲン、ＣＮおよびＮＯ2からなる群から独立して選択される１個〜５個の置換基で置換されていてよく、
ここで、ＲkおよびＲlは、独立して、Ｈ、Ｃ1〜Ｃ10−アルキル、Ｃ2〜Ｃ10−アルケニルおよびＣ2〜Ｃ10−アルキニルからなる群から選択され、
ここで、Ｃ1〜Ｃ10−アルキル、Ｃ2〜Ｃ10−アルケニルおよびＣ2〜Ｃ10−アルキニルは、ハロゲン、ＣＮおよびＮＯ2からなる群から選択される１個〜５個の置換基で置換されていてよい。
【００６１】
式（１）の少なくとも１つの単位を含む更により好ましいポリマーにおいては、
Ｘ1はＳであり、かつＸ2およびＸ3はＮＲ1であり、
Ａは、
【化４４】
2017523281.tif 000046
であり、
Ｘ4は、ＳまたはＮＲ1であり、かつ
Ａ１は、１個の置換基Ｒ2で置換されていてよく、
Ｂは、
【化４５】
2017523281.tif 000047
であり、
ここで、Ｘ5およびＸ6は、互いに独立して、ＳまたはＮＲ1であり、かつ
Ｂ２は、１個の置換基Ｒ2で置換されていてよく、
Ｒ1は、それぞれの場合に、Ｃ1〜Ｃ36−アルキル、Ｃ2〜Ｃ36−アルケニルおよびＣ2〜Ｃ36−アルキニルからなる群から選択され、
ここで、Ｃ1〜Ｃ36−アルキル、Ｃ2〜Ｃ36−アルケニルおよびＣ2〜Ｃ36−アルキニルは、Ｃ5〜Ｃ6−シクロアルキル、Ｃ6〜Ｃ10−アリール、５員ないし１０員のヘテロアリール、ＯＲa、ＳＲa、Ｓｉ（ＲSia）（ＲSib）（ＲSic）、−Ｏ−Ｓｉ（ＲSia）（ＲSib）（ＲSic）、ハロゲンおよびＣＮからなる群から独立して選択される１個〜２０個の置換基で置換されていてよく、かつＣ1〜Ｃ36−アルキル、Ｃ2〜Ｃ36−アルケニルおよびＣ2〜Ｃ36−アルキニルの少なくとも２個のＣＨ2基であるが隣接していないＣＨ2基は、ＯまたはＳによって置き換えられてよく、
ここで、ＲaおよびＲbは、独立して、Ｈ、Ｃ1〜Ｃ20−アルキル、Ｃ2〜Ｃ20−アルケニル、Ｃ2〜Ｃ20−アルキニル、Ｃ5〜Ｃ6−シクロアルキルおよびＣ6〜Ｃ10−アリールからなる群から選択され、
ＲSia、ＲSibおよびＲSicは、独立して、Ｈ、Ｃ1〜Ｃ20−アルキル、Ｃ2〜Ｃ20−アルケニル、Ｃ2〜Ｃ20−アルキニル、Ｃ5〜Ｃ6−シクロアルキル、Ｃ6〜Ｃ10−アリールおよび−［Ｏ−ＳｉＲSidＲSie］o−ＲSifからなる群から選択され、
ここで、ｏは、１から５０までの整数であり、
ＲSid、ＲSieおよびＲSifは、独立して、Ｈ、Ｃ1〜Ｃ30−アルキル、Ｃ2〜Ｃ20−アルケニル、Ｃ2〜Ｃ20−アルキニル、Ｃ5〜Ｃ6−シクロアルキル、Ｃ6〜Ｃ10−アリールおよび−［Ｏ−ＳｉＲSigＲSih］p−ＲSiiからなる群から選択され、
ここで、ｐは、１から５０までの整数であり、
ＲSig、ＲSihおよびＲSiiは、独立して、Ｈ、Ｃ1〜Ｃ30−アルキル、Ｃ2〜Ｃ20−アルケニル、Ｃ2〜Ｃ20−アルキニル、Ｃ5〜Ｃ6−シクロアルキル、Ｃ6〜Ｃ10−アリールおよびＯ−Ｓｉ（ＣＨ3）3からなる群から選択され、
Ｒ5、Ｒ6、Ｒ50、Ｒ60、Ｒ500およびＲ600は、独立して、Ｈ、Ｃ1〜Ｃ20−アルキル、Ｃ2〜Ｃ20−アルケニル、Ｃ2〜Ｃ20−アルキニル、Ｃ5〜Ｃ6−シクロアルキル、Ｃ6〜Ｃ10−アリールおよび５員ないし１０員のヘテロアリールからなる群から選択され、
Ｃ1〜Ｃ20−アルキル、Ｃ2〜Ｃ20−アルケニルおよびＣ2〜Ｃ20−アルキニルは、ハロゲンおよびＣＮからなる群から選択される１個〜１０個の置換基で置換されていてよく、
Ｒ2は、それぞれの場合に、非置換のＣ1〜Ｃ30−アルキルおよびハロゲンからなる群から選択され、
ｎは、０または１であり、
ｍは、０、１または２であり、かつ
Ｌ1およびＬ2は、互いに独立して、それぞれの場合に、５員ないし２０員のヘテロアリーレン、および
【化４６】
2017523281.tif 000048
からなる群から選択され、
ここで、５員ないし２０員のヘテロアリーレンは、
【化４７】
2017523281.tif 000049
【００６２】
【化４８】
2017523281.tif 000050
からなる群から選択され、
ここで、Ｒ104およびＲ105は、独立して、それぞれの場合に、Ｈ、Ｃ1〜Ｃ20−アルキル、Ｃ2〜Ｃ20−アルケニル、Ｃ2〜Ｃ20−アルキニル、Ｃ5〜Ｃ8−シクロアルキル、Ｃ6〜Ｃ14−アリールおよび５員ないし１４員のヘテロアリールからなる群から選択され、またはＲ104およびＲ105は、同じ原子に結合される場合に、それらが結合される原子と一緒になって、５員ないし１２員の環系を形成し、
ここで、Ｃ1〜Ｃ20−アルキル、Ｃ2〜Ｃ20−アルケニルおよびＣ2〜Ｃ20−アルキニルは、Ｃ5〜Ｃ6−シクロアルキル、Ｃ6〜Ｃ10−アリール、５員ないし１０員のヘテロアリール、ＯＲs、ＯＣ（Ｏ）−Ｒt、Ｃ（Ｏ）−ＯＲs、Ｃ（Ｏ）−Ｒs、ＮＲsＲt、ＮＲs−Ｃ（Ｏ）Ｒt、Ｃ（Ｏ）−ＮＲsＲt、Ｎ［Ｃ（Ｏ）Ｒs］［Ｃ（Ｏ）Ｒt］、ＳＲs、ハロゲン、ＣＮおよびＮＯ2からなる群から独立して選択される１個〜５個の置換基で置換されていてよく、
Ｃ5〜Ｃ8−シクロアルキルは、Ｃ1〜Ｃ10−アルキル、Ｃ2〜Ｃ10−アルケニル、Ｃ2〜Ｃ10−アルキニル、Ｃ5〜Ｃ6−シクロアルキル、Ｃ6〜Ｃ10−アリール、５員ないし１０員のヘテロアリール、ＯＲs、ＯＣ（Ｏ）−Ｒt、Ｃ（Ｏ）−ＯＲs、Ｃ（Ｏ）−Ｒs、ＮＲsＲt、ＮＲs−Ｃ（Ｏ）Ｒt、Ｃ（Ｏ）−ＮＲsＲt、Ｎ［Ｃ（Ｏ）Ｒs］［Ｃ（Ｏ）Ｒt］、ＳＲs、ハロゲン、ＣＮおよびＮＯ2からなる群から選択される１個〜５個の置換基で置換されていてよく、
Ｃ6〜Ｃ14−アリールおよび５員ないし１４員のヘテロアリールは、Ｃ1〜Ｃ10−アルキル、Ｃ2〜Ｃ10−アルケニル、Ｃ2〜Ｃ10−アルキニル、Ｃ5〜Ｃ6−シクロアルキル、Ｃ6〜Ｃ10−アリール、５員ないし１０員のヘテロアリール、ＯＲs、ＯＣ（Ｏ）−Ｒt、Ｃ（Ｏ）−ＯＲs、Ｃ（Ｏ）−Ｒs、ＮＲsＲt、ＮＲs−Ｃ（Ｏ）Ｒt、Ｃ（Ｏ）−ＮＲsＲt、Ｎ［Ｃ（Ｏ）Ｒs］［Ｃ（Ｏ）Ｒt］、ＳＲs、ハロゲン、ＣＮおよびＮＯ2からなる群から独立して選択される１個〜５個の置換基で置換されていてよく、
５員ないし１２員の環系は、Ｃ1〜Ｃ10−アルキル、Ｃ2〜Ｃ10−アルケニル、Ｃ2〜Ｃ10−アルキニル、Ｃ5〜Ｃ6−シクロアルキル、Ｃ6〜Ｃ10−アリール、５員ないし１０員のヘテロアリール、ＯＲs、ＯＣ（Ｏ）−Ｒt、Ｃ（Ｏ）−ＯＲs、Ｃ（Ｏ）−Ｒs、ＮＲsＲt、ＮＲs−Ｃ（Ｏ）Ｒt、Ｃ（Ｏ）−ＮＲsＲt、Ｎ［Ｃ（Ｏ）Ｒs］［Ｃ（Ｏ）Ｒt］、ＳＲs、ハロゲン、ＣＮおよびＮＯ2からなる群から選択される１個〜５個の置換基で置換されていてよく、
ここで、ＲsおよびＲtは、独立して、Ｈ、Ｃ1〜Ｃ10−アルキル、Ｃ2〜Ｃ10−アルケニルおよびＣ2〜Ｃ10−アルキニルからなる群から選択され、
ここで、Ｃ1〜Ｃ10−アルキル、Ｃ2〜Ｃ10−アルケニルおよびＣ2〜Ｃ10−アルキニルは、ハロゲン、ＣＮおよびＮＯ2からなる群から選択される１個〜５個の置換基で置換されていてよく、
ここで、５員ないし２０員のヘテロアリーレンは、Ｃ1〜Ｃ30−アルキルおよびハロゲンからなる群からそれぞれの場合に選択される１個〜６個の置換基Ｒ3で置換されていてよく、かつ
ここで、
【化４９】
2017523281.tif 000051
は、Ｃ1〜Ｃ30−アルキル、Ｃ（Ｏ）−Ｒ41、Ｃ（Ｏ）−ＯＲ41およびＣＮからなる群からそれぞれの場合に選択される１個または２個の置換基Ｒ4で置換されていてよく、ここで、Ｒ41は、それぞれの場合に、Ｃ1〜Ｃ30−アルキルである。
【００６３】
式（１）の少なくとも１つの単位を含む最も好ましいポリマーにおいては、
Ｘ1はＳであり、かつＸ2およびＸ3はＮＲ1であり、
Ａは、
【化５０】
2017523281.tif 000052
であり、
ここで、Ｘ4は、Ｓであり、かつ
Ａ１は、置換されておらず、
Ｂは、
【化５１】
2017523281.tif 000053
であり、
ここで、Ｘ5およびＸ6は、Ｓであり、かつ
Ｂ２は、置換されておらず、
Ｒ1は、それぞれの場合に、非置換のＣ1〜Ｃ36−アルキルであり、
ｎは、０であり、
ｍは、０、１または２であり、かつ
Ｌ1およびＬ2は、互いに独立して、それぞれの場合に、５員ないし２０員のヘテロアリーレンであり、
ここで、５員ないし２０員のヘテロアリーレンは、
【化５２】
2017523281.tif 000054
からなる群から選択され、
ここで、５員ないし２０員のヘテロアリーレンは、非置換である。
【００６４】
本発明の特に好ましいポリマーは、式：
【化５３】
2017523281.tif 000055
の少なくとも１つの単位を含む。
【００６５】
本発明のポリマーは、好ましくは、１ｋＤａ〜１００００ｋＤａの質量平均分子量（Ｍw）および１ｋＤａ〜１００００ｋＤａの数平均分子量（Ｍn）を有する。本発明のポリマーは、より好ましくは、１ｋＤａ〜１０００ｋＤａの質量平均分子量（Ｍw）および１ｋＤａ〜１００ｋＤａの数平均分子量（Ｍn）を有する。本発明のポリマーは、最も好ましくは、１０ｋＤａ〜１００ｋＤａの質量平均分子量（Ｍw）および５ｋＤａ〜６０ｋＤａの数平均分子量（Ｍn）を有する。質量平均分子量（Ｍw）および数平均分子量（Ｍn）は、８０℃で溶出剤としてクロロベンゼンを用いるとともに、標準としてポリスチレンを用いてゲル浸透クロマトグラフィー（ＧＰＣ）によって測定することができる。
【００６６】
本発明のポリマーは、当該技術分野で公知の方法によって製造することができる。
【００６７】
例えば、式（１）においてｎが０である、式（１−Ｉ）：
【化５４】
2017523281.tif 000056
［式中、Ｘ1、Ｘ2およびＸ3は、互いに独立して、Ｏ、ＳまたはＮＲ1であり、
Ａは、
【化５５】
2017523281.tif 000057
からなる群から選択され、
Ｂは、
【化５６】
2017523281.tif 000058
からなる群から選択され、
ここで、Ｘ4、Ｘ5およびＸ6は、互いに独立して、Ｏ、ＳまたはＮＲ1であり、
Ａ１、Ａ２、Ａ３、Ｂ１、Ｂ２、Ｂ３、Ｂ４、Ｂ５、Ｂ６またはＢ７は、１個〜３個の置換基Ｒ2で置換されていてよく、
Ｒ1は、それぞれの場合に、Ｈ、Ｃ1〜Ｃ100−アルキル、Ｃ2〜Ｃ100−アルケニル、Ｃ2〜Ｃ100−アルキニル、Ｃ5〜Ｃ12−シクロアルキル、Ｃ6〜Ｃ18−アリール、５員ないし２０員のヘテロアリール、Ｃ（Ｏ）−Ｃ1〜Ｃ100−アルキル、Ｃ（Ｏ）−Ｃ5〜Ｃ12−シクロアルキルおよびＣ（Ｏ）−ＯＣ1〜Ｃ100−アルキルからなる群から選択され、
ここで、Ｃ1〜Ｃ100−アルキル、Ｃ2〜Ｃ100−アルケニルおよびＣ2〜Ｃ100−アルキニルは、Ｃ5〜Ｃ8−シクロアルキル、Ｃ6〜Ｃ14−アリール、５員ないし１４員のヘテロアリール、ＯＲa、ＯＣ（Ｏ）−Ｒa、Ｃ（Ｏ）−ＯＲa、Ｃ（Ｏ）−Ｒa、ＮＲaＲb、ＮＲa−Ｃ（Ｏ）Ｒb、Ｃ（Ｏ）−ＮＲaＲb、Ｎ［Ｃ（Ｏ）Ｒa］［Ｃ（Ｏ）Ｒb］、ＳＲa、Ｓｉ（ＲSia）（ＲSib）（ＲSic）、−Ｏ−Ｓｉ（ＲSia）（ＲSib）（ＲSic）、ハロゲン、ＣＮおよびＮＯ2からなる群から独立して選択される１個〜４０個の置換基で置換されていてよく、かつＣ1〜Ｃ100−アルキル、Ｃ2〜Ｃ100−アルケニルおよびＣ2〜Ｃ100−アルキニルの少なくとも２個のＣＨ2基であるが隣接していないＣＨ2基は、ＯまたはＳによって置き換えられてよく、
Ｃ5〜Ｃ12−シクロアルキルは、Ｃ1〜Ｃ60−アルキル、Ｃ2〜Ｃ60−アルケニル、Ｃ2〜Ｃ60−アルキニル、Ｃ5〜Ｃ8−シクロアルキル、Ｃ6〜Ｃ14−アリール、５員ないし１４員のヘテロアリール、ＯＲa、ＯＣ（Ｏ）−Ｒa、Ｃ（Ｏ）−ＯＲa、Ｃ（Ｏ）−Ｒa、ＮＲaＲb、ＮＲa−Ｃ（Ｏ）Ｒb、Ｃ（Ｏ）−ＮＲaＲb、Ｎ［Ｃ（Ｏ）Ｒa］［Ｃ（Ｏ）Ｒb］、ＳＲa、Ｓｉ（ＲSia）（ＲSib）（ＲSic）、−Ｏ−Ｓｉ（ＲSia）（ＲSib）（ＲSic）、ハロゲン、ＣＮおよびＮＯ2からなる群から選択される１個〜６個の置換基で置換されていてよく、かつＣ5〜Ｃ12−シクロアルキルの１個または２個のＣＨ2基であるが隣接していないＣＨ2基は、Ｏ、Ｓ、ＯＣ（Ｏ）、ＣＯ、ＮＲaまたはＮＲa−ＣＯによって置き換えられてよく、
Ｃ6〜Ｃ18−アリールおよび５員ないし２０員のヘテロアリールは、Ｃ1〜Ｃ60−アルキル、Ｃ2〜Ｃ60−アルケニル、Ｃ2〜Ｃ60−アルキニル、Ｃ5〜Ｃ8−シクロアルキル、Ｃ6〜Ｃ14−アリール、５員ないし１４員のヘテロアリール、ＯＲa、ＯＣ（Ｏ）−Ｒa、Ｃ（Ｏ）−ＯＲa、Ｃ（Ｏ）−Ｒa、ＮＲaＲb、ＮＲa−Ｃ（Ｏ）Ｒb、Ｃ（Ｏ）−ＮＲaＲb、Ｎ［Ｃ（Ｏ）Ｒa］［Ｃ（Ｏ）Ｒb］、ＳＲa、Ｓｉ（ＲSia）（ＲSib）（ＲSic）、−Ｏ−Ｓｉ（ＲSia）（ＲSib）（ＲSic）、ハロゲン、ＣＮおよびＮＯ2からなる群から独立して選択される１個〜６個の置換基で置換されていてよく、
ここで、ＲaおよびＲbは、独立して、Ｈ、Ｃ1〜Ｃ60−アルキル、Ｃ2〜Ｃ60−アルケニル、Ｃ2〜Ｃ60−アルキニル、Ｃ5〜Ｃ8−シクロアルキル、Ｃ6〜Ｃ14−アリールおよび５員ないし１４員のヘテロアリールからなる群から選択され、
ＲSia、ＲSibおよびＲSicは、独立して、Ｈ、Ｃ1〜Ｃ60−アルキル、Ｃ2〜Ｃ60−アルケニル、Ｃ2〜Ｃ60−アルキニル、Ｃ5〜Ｃ8−シクロアルキル、Ｃ6〜Ｃ14−アリール、５員ないし１４員のヘテロアリール、Ｏ−Ｃ1〜Ｃ60−アルキル、Ｏ−Ｃ2〜Ｃ60−アルケニル、Ｏ−Ｃ2〜Ｃ60−アルキニル、Ｏ−Ｃ5〜Ｃ8−シクロアルキル、Ｏ−Ｃ6〜Ｃ14−アリール、Ｏ−５員ないし１４員のヘテロアリール、−［Ｏ−ＳｉＲSidＲSie］o−ＲSif、ＮＲ5Ｒ6、ハロゲンおよびＯ−Ｃ（Ｏ）−Ｒ5からなる群から選択され、
ここで、ｏは、１から５０までの整数であり、
ＲSid、ＲSieおよびＲSifは、独立して、Ｈ、Ｃ1〜Ｃ60−アルキル、Ｃ2〜Ｃ60−アルケニル、Ｃ2〜Ｃ60−アルキニル、Ｃ5〜Ｃ8−シクロアルキル、Ｃ6〜Ｃ14−アリール、５員ないし１４員のヘテロアリール、Ｏ−Ｃ1〜Ｃ60−アルキル、Ｏ−Ｃ2〜Ｃ60−アルケニル、Ｏ−Ｃ2〜Ｃ60−アルキニル、Ｏ−Ｃ5〜Ｃ8−シクロアルキル、Ｏ−Ｃ6〜Ｃ14−アリール、Ｏ−５員ないし１４員のヘテロアリール、−［Ｏ−ＳｉＲSigＲSih］p−ＲSii、ＮＲ50Ｒ60、ハロゲンおよびＯ−Ｃ（Ｏ）−Ｒ50からなる群から選択され、
ここで、ｐは、１から５０までの整数であり、
ＲSig、ＲSihおよびＲSiiは、独立して、Ｈ、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリール、５員ないし１０員のヘテロアリール、Ｏ−Ｃ1〜Ｃ30−アルキル、Ｏ−Ｃ2〜Ｃ30−アルケニル、Ｏ−Ｃ2〜Ｃ30−アルキニル、Ｏ−Ｃ5〜Ｃ6−シクロアルキル、Ｏ−Ｃ6〜Ｃ10−アリール、Ｏ−５員ないし１０員のヘテロアリール、Ｏ−Ｓｉ（ＣＨ3）3、ＮＲ500Ｒ600、ハロゲンおよびＯ−Ｃ（Ｏ）−Ｒ500からなる群から選択され、
Ｒ5、Ｒ6、Ｒ50、Ｒ60、Ｒ500およびＲ600は、独立して、Ｈ、Ｃ1〜Ｃ60−アルキル、Ｃ2〜Ｃ60−アルケニル、Ｃ2〜Ｃ60−アルキニル、Ｃ5〜Ｃ8−シクロアルキル、Ｃ6〜Ｃ14−アリールおよび５員ないし１４員のヘテロアリールからなる群から選択され、
Ｃ1〜Ｃ60−アルキル、Ｃ2〜Ｃ60−アルケニルおよびＣ2〜Ｃ60−アルキニルは、Ｃ5〜Ｃ6−シクロアルキル、Ｃ6〜Ｃ10−アリール、ＯＲc、ＯＣ（Ｏ）−Ｒc、Ｃ（Ｏ）−ＯＲc、Ｃ（Ｏ）−Ｒc、ＮＲcＲd、ＮＲc−Ｃ（Ｏ）Ｒd、Ｃ（Ｏ）−ＮＲcＲd、Ｎ［Ｃ（Ｏ）Ｒc］［Ｃ（Ｏ）Ｒd］、ＳＲc、Ｓｉ（ＲSij）（ＲSik）（ＲSil）、−Ｏ−Ｓｉ（ＲSij）（ＲSik）（ＲSil）、ハロゲン、ＣＮおよびＮＯ2からなる群から選択される１個〜２０個の置換基で置換されていてよく、かつＣ1〜Ｃ60−アルキル、Ｃ2〜Ｃ60−アルケニルおよびＣ2〜Ｃ60−アルキニルの少なくとも２個のＣＨ2基であるが隣接していないＣＨ2基は、ＯまたはＳによって置き換えられてよく、
Ｃ5〜Ｃ8−シクロアルキルは、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリール、ＯＲc、ＯＣ（Ｏ）−Ｒc、Ｃ（Ｏ）−ＯＲc、Ｃ（Ｏ）−Ｒc、ＮＲcＲd、ＮＲc−Ｃ（Ｏ）Ｒd、Ｃ（Ｏ）−ＮＲcＲd、Ｎ［Ｃ（Ｏ）Ｒc］［Ｃ（Ｏ）Ｒd］、ＳＲc、Ｓｉ（ＲSij）（ＲSik）（ＲSil）、−Ｏ−Ｓｉ（ＲSij）（ＲSik）（ＲSil）、ハロゲン、ＣＮおよびＮＯ2からなる群から選択される１個〜５個の置換基で置換されていてよく、かつＣ5〜Ｃ8−シクロアルキルの１個または２個のＣＨ2基であるが隣接していないＣＨ2基は、Ｏ、Ｓ、ＯＣ（Ｏ）、ＣＯ、ＮＲcまたはＮＲc−ＣＯによって置き換えられてよく、
Ｃ6〜Ｃ14−アリールおよび５員ないし１４員のヘテロアリールは、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリール、ＯＲc、ＯＣ（Ｏ）−Ｒc、Ｃ（Ｏ）−ＯＲc、Ｃ（Ｏ）−Ｒc、ＮＲcＲd、ＮＲc−Ｃ（Ｏ）Ｒd、Ｃ（Ｏ）−ＮＲcＲd、Ｎ［Ｃ（Ｏ）Ｒc］［Ｃ（Ｏ）Ｒd］、ＳＲc、Ｓｉ（ＲSij）（ＲSik）（ＲSil）、−Ｏ−Ｓｉ（ＲSij）（ＲSik）（ＲSil）、ハロゲン、ＣＮおよびＮＯ2からなる群から独立して選択される１個〜５個の置換基で置換されていてよく、
ここで、ＲcおよびＲdは、独立して、Ｈ、Ｃ1〜Ｃ30−アルキル、Ｃ2〜Ｃ30−アルケニルおよびＣ2〜Ｃ30−アルキニルからなる群から選択され、
ＲSij、ＲSikおよびＲSilは、独立して、Ｈ、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリール、５員ないし１０員のヘテロアリール、Ｏ−Ｃ1〜Ｃ30−アルキル、Ｏ−Ｃ2〜Ｃ30−アルケニル、Ｏ−Ｃ2〜Ｃ30−アルキニル、Ｏ−Ｃ5〜Ｃ6−シクロアルキル、Ｏ−Ｃ6〜Ｃ10−アリール、Ｏ−５員ないし１０員のヘテロアリール、−［Ｏ−ＳｉＲSimＲSin］q−ＲSio、ＮＲ7Ｒ8、ハロゲンおよびＯ−Ｃ（Ｏ）−Ｒ7からなる群から選択され、
ここで、ｑは、１から５０までの整数であり、
ＲSim、ＲSinおよびＲSioは、独立して、Ｈ、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリール、５員ないし１０員のヘテロアリール、Ｏ−Ｃ1〜Ｃ30−アルキル、Ｏ−Ｃ2〜Ｃ30−アルケニル、Ｏ−Ｃ2〜Ｃ30−アルキニル、Ｏ−Ｃ5〜Ｃ6−シクロアルキル、Ｏ−Ｃ6〜Ｃ10−アリール、Ｏ−５員ないし１０員のヘテロアリール、−［Ｏ−ＳｉＲSipＲSiq］r−ＲSir、ＮＲ70Ｒ80、ハロゲンおよびＯ−Ｃ（Ｏ）−Ｒ70からなる群から選択され、
ここで、ｒは、１から５０までの整数であり、
ＲSip、ＲSiqおよびＲSirは、独立して、Ｈ、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリール、５員ないし１０員のヘテロアリール、Ｏ−Ｃ1〜Ｃ30−アルキル、Ｏ−Ｃ2〜Ｃ30−アルケニル、Ｏ−Ｃ2〜Ｃ30−アルキニル、Ｏ−Ｃ5〜Ｃ6−シクロアルキル、Ｏ−Ｃ6〜Ｃ10−アリール、Ｏ−５員ないし１０員のヘテロアリール、Ｏ−Ｓｉ（ＣＨ3）3、ＮＲ700Ｒ800、ハロゲンおよびＯ−Ｃ（Ｏ）−Ｒ700からなる群から選択され、
Ｒ7、Ｒ8、Ｒ70、Ｒ80、Ｒ700およびＲ800は、独立して、Ｈ、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリールおよび５員ないし１０員のヘテロアリールからなる群から選択され、
Ｃ1〜Ｃ30−アルキル、Ｃ2〜Ｃ30−アルケニルおよびＣ2〜Ｃ30−アルキニルは、ハロゲン、ＣＮおよびＮＯ2からなる群から選択される１個〜１０個の置換基で置換されていてよく、
Ｒ2は、それぞれの場合に、Ｃ1〜Ｃ30−アルキル、Ｃ2〜Ｃ30−アルケニル、Ｃ2〜Ｃ30−アルキニル、Ｃ5〜Ｃ12−シクロアルキル、Ｃ6〜Ｃ18−アリール、５員ないし２０員のヘテロアリール、ＯＲ21、ＯＣ（Ｏ）−Ｒ21、Ｃ（Ｏ）−ＯＲ21、Ｃ（Ｏ）−Ｒ21、ＮＲ21Ｒ22、ＮＲ21−Ｃ（Ｏ）Ｒ22、Ｃ（Ｏ）−ＮＲ21Ｒ22、Ｎ［Ｃ（Ｏ）Ｒ21］［Ｃ（Ｏ）Ｒ22］、ＳＲ21、ハロゲン、ＣＮ、ＳｉＲSisＲSitＲSiuおよびＯＨからなる群から選択され、
ここで、Ｒ21およびＲ22は、独立して、Ｈ、Ｃ1〜Ｃ30−アルキル、Ｃ2〜Ｃ30−アルケニル、Ｃ2〜Ｃ30−アルキニル、Ｃ5〜Ｃ12−シクロアルキル、Ｃ6〜Ｃ18−アリールおよび５員ないし２０員のヘテロアリールからなる群から選択され、かつ
Ｃ1〜Ｃ30−アルキル、Ｃ2〜Ｃ30−アルケニルおよびＣ2〜Ｃ30−アルキニルは、Ｃ5〜Ｃ8−シクロアルキル、Ｃ6〜Ｃ14−アリール、５員ないし１４員のヘテロアリール、ＯＲe、ＯＣ（Ｏ）−Ｒe、Ｃ（Ｏ）−ＯＲe、Ｃ（Ｏ）−Ｒe、ＮＲeＲf、ＮＲe−Ｃ（Ｏ）Ｒf、Ｃ（Ｏ）−ＮＲeＲf、Ｎ［Ｃ（Ｏ）Ｒe］［Ｃ（Ｏ）Ｒf］、ＳＲe、ハロゲン、ＣＮ、ＳｉＲSisＲSitＲSiuおよびＮＯ2からなる群から独立して選択される１個〜１０個の置換基で置換されていてよく、かつＣ1〜Ｃ30−アルキル、Ｃ2〜Ｃ30−アルケニルおよびＣ2〜Ｃ30−アルキニルの少なくとも２個のＣＨ2基であるが隣接していないＣＨ2基は、ＯまたはＳによって置き換えられてよく、
Ｃ5〜Ｃ12−シクロアルキルは、Ｃ1〜Ｃ20−アルキル、Ｃ2〜Ｃ20−アルケニルおよびＣ2〜Ｃ20−アルキニル、Ｃ5〜Ｃ8−シクロアルキル、Ｃ6〜Ｃ14−アリール、５員ないし１４員のヘテロアリール、ＯＲe、ＯＣ（Ｏ）−Ｒe、Ｃ（Ｏ）−ＯＲe、Ｃ（Ｏ）−Ｒe、ＮＲeＲf、ＮＲe−Ｃ（Ｏ）Ｒf、Ｃ（Ｏ）−ＮＲeＲf、Ｎ［Ｃ（Ｏ）Ｒe］［Ｃ（Ｏ）Ｒf］、ＳＲe、ハロゲン、ＣＮ、ＳｉＲSisＲSitＲSiuおよびＮＯ2からなる群から独立して選択される１個〜６個の置換基で置換されていてよく、かつＣ5〜Ｃ12−シクロアルキルの１個または２個のＣＨ2基であるが隣接していないＣＨ2基は、Ｏ、Ｓ、ＯＣ（Ｏ）、ＣＯ、ＮＲeまたはＮＲe−ＣＯによって置き換えられてよく、
Ｃ6〜Ｃ18−アリールおよび５員ないし２０員のヘテロアリールは、Ｃ1〜Ｃ20−アルキル、Ｃ2〜Ｃ20−アルケニル、Ｃ2〜Ｃ20−アルキニル、Ｃ5〜Ｃ8−シクロアルキル、Ｃ6〜Ｃ14−アリール、５員ないし１４員のヘテロアリール、ＯＲe、ＯＣ（Ｏ）−Ｒe、Ｃ（Ｏ）−ＯＲe、Ｃ（Ｏ）−Ｒe、ＮＲeＲf、ＮＲe−Ｃ（Ｏ）Ｒf、Ｃ（Ｏ）−ＮＲeＲf、Ｎ［Ｃ（Ｏ）Ｒe］［Ｃ（Ｏ）Ｒf］、ＳＲe、ハロゲン、ＣＮ、ＳｉＲSisＲSitＲSiuおよびＮＯ2からなる群から独立して選択される１個〜６個の置換基で置換されていてよく、
ここで、ＲSis、ＲSitおよびＲSiuは、互いに独立して、Ｈ、Ｃ1〜Ｃ20−アルキル、Ｃ2〜Ｃ20−アルケニル、Ｃ2〜Ｃ20−アルキニル、Ｃ5〜Ｃ6−シクロアルキル、フェニルおよびＯ−Ｓｉ（ＣＨ3）3からなる群から選択され、
ＲeおよびＲfは、独立して、Ｈ、Ｃ1〜Ｃ20−アルキル、Ｃ2〜Ｃ20−アルケニル、Ｃ2〜Ｃ20−アルキニル、Ｃ5〜Ｃ8−シクロアルキル、Ｃ6〜Ｃ14−アリールおよび５員ないし１４員のヘテロアリールからなる群から選択され、
ここで、Ｃ1〜Ｃ20−アルキル、Ｃ2〜Ｃ20−アルケニルおよびＣ2〜Ｃ20−アルキニルは、Ｃ5〜Ｃ6−シクロアルキル、Ｃ6〜Ｃ10−アリール、５員ないし１０員のヘテロアリール、ＯＲg、ＯＣ（Ｏ）−Ｒg、Ｃ（Ｏ）−ＯＲg、Ｃ（Ｏ）−Ｒg、ＮＲgＲh、ＮＲg−Ｃ（Ｏ）Ｒh、Ｃ（Ｏ）−ＮＲgＲh、Ｎ［Ｃ（Ｏ）Ｒg］［Ｃ（Ｏ）Ｒh］、ＳＲg、ハロゲン、ＣＮおよびＮＯ2からなる群から選択される１個〜５個の置換基で置換されていてよく、
Ｃ5〜Ｃ8−シクロアルキルは、Ｃ1〜Ｃ10−アルキル、Ｃ2〜Ｃ10−アルケニル、Ｃ2〜Ｃ10−アルキニル、Ｃ5〜Ｃ6−シクロアルキル、Ｃ6〜Ｃ10−アリール、５員ないし１０員のヘテロアリール、ＯＲg、ＯＣ（Ｏ）−Ｒg、Ｃ（Ｏ）−ＯＲg、Ｃ（Ｏ）−Ｒg、ＮＲgＲh、ＮＲg−Ｃ（Ｏ）Ｒh、Ｃ（Ｏ）−ＮＲgＲh、Ｎ［Ｃ（Ｏ）Ｒg］［Ｃ（Ｏ）Ｒh］、ＳＲg、ハロゲン、ＣＮおよびＮＯ2からなる群から選択される１個〜５個の置換基で置換されていてよく、
Ｃ6〜Ｃ14−アリールおよび５員ないし１４員のヘテロアリールは、Ｃ1〜Ｃ10−アルキル、Ｃ2〜Ｃ10−アルケニル、Ｃ2〜Ｃ10−アルキニル、Ｃ5〜Ｃ6−シクロアルキル、Ｃ6〜Ｃ10−アリール、５員ないし１０員のヘテロアリール、ＯＲg、ＯＣ（Ｏ）−Ｒg、Ｃ（Ｏ）−ＯＲg、Ｃ（Ｏ）−Ｒg、ＮＲgＲh、ＮＲg−Ｃ（Ｏ）Ｒh、Ｃ（Ｏ）−ＮＲgＲh、Ｎ［Ｃ（Ｏ）Ｒg］［Ｃ（Ｏ）Ｒh］、ＳＲg、ハロゲン、ＣＮおよびＮＯ2からなる群から独立して選択される１個〜５個の置換基で置換されていてよく、
ここで、ＲgおよびＲhは、独立して、Ｈ、Ｃ1〜Ｃ10−アルキル、Ｃ2〜Ｃ10−アルケニルおよびＣ2〜Ｃ10−アルキニルからなる群から選択され、
ここで、Ｃ1〜Ｃ10−アルキル、Ｃ2〜Ｃ10−アルケニルおよびＣ2〜Ｃ10−アルキニルは、ハロゲン、ＣＮおよびＮＯ2からなる群から選択される１個〜５個の置換基で置換されていてよく、
ｍは、０、１、２または３であり、かつ
Ｌ2は、それぞれの場合に、Ｃ6〜Ｃ18−アリーレン、５員ないし２０員のヘテロアリーレン、
【化５７】
2017523281.tif 000059
からなる群から選択され、
ここで、Ｃ6〜Ｃ18−アリーレンおよび５員ないし２０員のヘテロアリーレンは、Ｃ1〜Ｃ30−アルキル、Ｃ2〜Ｃ30−アルケニル、Ｃ2〜Ｃ30−アルキニル、Ｃ5〜Ｃ12−シクロアルキル、Ｃ6〜Ｃ18−アリールおよび５員ないし２０員のヘテロアリール、ＯＲ31、ＯＣ（Ｏ）−Ｒ31、Ｃ（Ｏ）−ＯＲ31、Ｃ（Ｏ）−Ｒ31、ＮＲ31Ｒ32、ＮＲ31−Ｃ（Ｏ）Ｒ32、Ｃ（Ｏ）−ＮＲ31Ｒ32、Ｎ［Ｃ（Ｏ）Ｒ31］［Ｃ（Ｏ）Ｒ32］、ＳＲ31、ハロゲン、ＣＮ、ＳｉＲSivＲSiwＲSixおよびＯＨからなる群からそれぞれの場合に選択される１個〜６個の置換基Ｒ3で置換されていてよく、かつ
ここで、
【化５８】
2017523281.tif 000060
は、Ｃ1〜Ｃ30−アルキル、Ｃ2〜Ｃ30−アルケニル、Ｃ2〜Ｃ30−アルキニル、Ｃ5〜Ｃ12−シクロアルキル、Ｃ6〜Ｃ18−アリールおよび５員ないし２０員のヘテロアリール、Ｃ（Ｏ）−Ｒ41、Ｃ（Ｏ）−ＮＲ41Ｒ42、Ｃ（Ｏ）−ＯＲ41およびＣＮからなる群からそれぞれの場合に選択される１個または２個の置換基Ｒ4で置換されていてよく、
ここで、Ｒ31、Ｒ32、Ｒ41およびＲ42は、互いに独立して、それぞれの場合に、Ｈ、Ｃ1〜Ｃ30−アルキル、Ｃ2〜Ｃ30−アルケニル、Ｃ2〜Ｃ30−アルキニル、Ｃ5〜Ｃ12−シクロアルキル、Ｃ6〜Ｃ18−アリールおよび５員ないし２０員のヘテロアリールからなる群から選択され、かつ
ここで、Ｃ1〜Ｃ30−アルキル、Ｃ2〜Ｃ30−アルケニルおよびＣ2〜Ｃ30−アルキニルは、Ｃ5〜Ｃ8−シクロアルキル、Ｃ6〜Ｃ14−アリール、５員ないし１４員のヘテロアリール、ＯＲi、ＯＣ（Ｏ）−Ｒj、Ｃ（Ｏ）−ＯＲi、Ｃ（Ｏ）−Ｒi、ＮＲiＲj、ＮＲi−Ｃ（Ｏ）Ｒj、Ｃ（Ｏ）−ＮＲiＲj、Ｎ［Ｃ（Ｏ）Ｒi］［Ｃ（Ｏ）Ｒj］、ＳＲi、ハロゲン、ＣＮ、ＳｉＲSivＲSiwＲSixおよびＮＯ2からなる群から独立して選択される１個〜１０個の置換基で置換されていてよく、かつＣ1〜Ｃ30−アルキル、Ｃ2〜Ｃ30−アルケニルおよびＣ2〜Ｃ30−アルキニルの少なくとも２個のＣＨ2基であるが隣接していないＣＨ2基は、ＯまたはＳによって置き換えられてよく、
Ｃ5〜Ｃ12−シクロアルキルは、Ｃ1〜Ｃ20−アルキル、Ｃ2〜Ｃ20−アルケニルおよびＣ2〜Ｃ20−アルキニル、Ｃ5〜Ｃ8−シクロアルキル、Ｃ6〜Ｃ14−アリール、５員ないし１４員のヘテロアリール、ＯＲi、ＯＣ（Ｏ）−Ｒj、Ｃ（Ｏ）−ＯＲi、Ｃ（Ｏ）−Ｒi、ＮＲiＲj、ＮＲi−Ｃ（Ｏ）Ｒj、Ｃ（Ｏ）−ＮＲiＲj、Ｎ［Ｃ（Ｏ）Ｒi］［Ｃ（Ｏ）Ｒj］、ＳＲi、ハロゲン、ＣＮ、ＳｉＲSivＲSiwＲSixおよびＮＯ2からなる群から独立して選択される１個〜６個の置換基で置換されていてよく、かつＣ5〜Ｃ12−シクロアルキルの１個または２個のＣＨ2基であるが隣接していないＣＨ2基は、Ｏ、Ｓ、ＯＣ（Ｏ）、ＣＯ、ＮＲiまたはＮＲi−ＣＯによって置き換えられてよく、
Ｃ6〜Ｃ18−アリールおよび５員ないし２０員のヘテロアリールは、Ｃ1〜Ｃ20−アルキル、Ｃ2〜Ｃ20−アルケニル、Ｃ2〜Ｃ20−アルキニル、Ｃ5〜Ｃ8−シクロアルキル、Ｃ6〜Ｃ14−アリール、５員ないし１４員のヘテロアリール、ＯＲi、ＯＣ（Ｏ）−Ｒj、Ｃ（Ｏ）−ＯＲi、Ｃ（Ｏ）−Ｒi、ＮＲiＲj、ＮＲi−Ｃ（Ｏ）Ｒj、Ｃ（Ｏ）−ＮＲiＲj、Ｎ［Ｃ（Ｏ）Ｒi］［Ｃ（Ｏ）Ｒj］、ＳＲi、ハロゲン、ＣＮ、ＳｉＲSivＲSiwＲSixおよびＮＯ2からなる群から独立して選択される１個〜６個の置換基で置換されていてよく、
ここで、ＲSiv、ＲSiwおよびＲSixは、互いに独立して、Ｈ、Ｃ1〜Ｃ20−アルキル、Ｃ2〜Ｃ20−アルケニル、Ｃ2〜Ｃ20−アルキニル、Ｃ5〜Ｃ6−シクロアルキル、フェニルおよびＯ−Ｓｉ（ＣＨ3）3からなる群から選択され、
ＲiおよびＲjは、独立して、Ｈ、Ｃ1〜Ｃ20−アルキル、Ｃ2〜Ｃ20−アルケニル、Ｃ2〜Ｃ20−アルキニル、Ｃ5〜Ｃ8−シクロアルキル、Ｃ6〜Ｃ14−アリールおよび５員ないし１４員のヘテロアリールからなる群から選択され、
ここで、Ｃ1〜Ｃ20−アルキル、Ｃ2〜Ｃ20−アルケニルおよびＣ2〜Ｃ20−アルキニルは、Ｃ5〜Ｃ6−シクロアルキル、Ｃ6〜Ｃ10−アリール、５員ないし１０員のヘテロアリール、ＯＲk、ＯＣ（Ｏ）−Ｒl、Ｃ（Ｏ）−ＯＲk、Ｃ（Ｏ）−Ｒk、ＮＲkＲl、ＮＲk−Ｃ（Ｏ）Ｒl、Ｃ（Ｏ）−ＮＲkＲl、Ｎ［Ｃ（Ｏ）Ｒk］［Ｃ（Ｏ）Ｒl］、ＳＲk、ハロゲン、ＣＮおよびＮＯ2からなる群から選択される１個〜５個の置換基で置換されていてよく、
Ｃ5〜Ｃ8−シクロアルキルは、Ｃ1〜Ｃ10−アルキル、Ｃ2〜Ｃ10−アルケニル、Ｃ2〜Ｃ10−アルキニル、Ｃ5〜Ｃ6−シクロアルキル、Ｃ6〜Ｃ10−アリール、５員ないし１０員のヘテロアリール、ＯＲk、ＯＣ（Ｏ）−Ｒl、Ｃ（Ｏ）−ＯＲk、Ｃ（Ｏ）−Ｒk、ＮＲkＲl、ＮＲk−Ｃ（Ｏ）Ｒl、Ｃ（Ｏ）−ＮＲkＲl、Ｎ［Ｃ（Ｏ）Ｒk］［Ｃ（Ｏ）Ｒl］、ＳＲk、ハロゲン、ＣＮおよびＮＯ2からなる群から選択される１個〜５個の置換基で置換されていてよく、
Ｃ6〜Ｃ14−アリールおよび５員ないし１４員のヘテロアリールは、Ｃ1〜Ｃ10−アルキル、Ｃ2〜Ｃ10−アルケニル、Ｃ2〜Ｃ10−アルキニル、Ｃ5〜Ｃ6−シクロアルキル、Ｃ6〜Ｃ10−アリール、５員ないし１０員のヘテロアリール、ＯＲk、ＯＣ（Ｏ）−Ｒl、Ｃ（Ｏ）−ＯＲk、Ｃ（Ｏ）−Ｒk、ＮＲkＲl、ＮＲk−Ｃ（Ｏ）Ｒl、Ｃ（Ｏ）−ＮＲkＲl、Ｎ［Ｃ（Ｏ）Ｒk］［Ｃ（Ｏ）Ｒl］、ＳＲk、ハロゲン、ＣＮおよびＮＯ2からなる群から独立して選択される１個〜５個の置換基で置換されていてよく、
ここで、ＲkおよびＲlは、独立して、Ｈ、Ｃ1〜Ｃ10−アルキル、Ｃ2〜Ｃ10−アルケニルおよびＣ2〜Ｃ10−アルキニルからなる群から選択され、
ここで、Ｃ1〜Ｃ10−アルキル、Ｃ2〜Ｃ10−アルケニルおよびＣ2〜Ｃ10−アルキニルは、ハロゲン、ＣＮおよびＮＯ2からなる群から選択される１個〜５個の置換基で置換されていてよい］の単位である少なくとも１つの単位を含む本発明の化合物は、
式（２）：
【化５９】
2017523281.tif 000061
［式中、Ｙは、それぞれの場合に、Ｉ、Ｂｒ、ＣｌまたはＯ−Ｓ（Ｏ）2ＣＦ3であり、かつＸ1、Ｘ2、Ｘ3、ＡおよびＢは、前記定義の通りである］の化合物を、
ｍモル当量の式（３）：
【化６０】
2017523281.tif 000062
［式中、Ｌ2は、式（１−Ｉ）の化合物について定義した通りであり、かつ
ＺaおよびＺbは、独立して、Ｂ（ＯＺ1）（ＯＺ2）、ＳｎＺ1Ｚ2Ｚ3、
【化６１】
2017523281.tif 000063
からなる群から選択され、
ここで、Ｚ1、Ｚ2、Ｚ3、Ｚ4、Ｚ5およびＺ6は、互いに独立して、かつそれぞれの場合に、ＨまたはＣ1〜Ｃ4−アルキルである］の化合物で処理することによって製造することができる。
【００６８】
例えば、式（１）においてｎおよびｍが０である、式（１−ＩＩ）：
【化６２】
2017523281.tif 000064
［式中、Ｘ1、Ｘ2およびＸ3は、互いに独立して、Ｏ、ＳまたはＮＲ1であり、
Ａは、
【化６３】
2017523281.tif 000065
からなる群から選択され、
Ｂは、
【化６４】
2017523281.tif 000066
からなる群から選択され、
ここで、Ｘ4、Ｘ5およびＸ6は、互いに独立して、Ｏ、ＳまたはＮＲ1であり、
Ａ１、Ａ２、Ａ３、Ｂ１、Ｂ２、Ｂ３、Ｂ４、Ｂ５、Ｂ６またはＢ７は、１個〜３個の置換基Ｒ2で置換されていてよく、
Ｒ1は、それぞれの場合に、Ｈ、Ｃ1〜Ｃ100−アルキル、Ｃ2〜Ｃ100−アルケニル、Ｃ2〜Ｃ100−アルキニル、Ｃ5〜Ｃ12−シクロアルキル、Ｃ6〜Ｃ18−アリール、５員ないし２０員のヘテロアリール、Ｃ（Ｏ）−Ｃ1〜Ｃ100−アルキル、Ｃ（Ｏ）−Ｃ5〜Ｃ12−シクロアルキルおよびＣ（Ｏ）−ＯＣ1〜Ｃ100−アルキルからなる群から選択され、
ここで、Ｃ1〜Ｃ100−アルキル、Ｃ2〜Ｃ100−アルケニルおよびＣ2〜Ｃ100−アルキニルは、Ｃ5〜Ｃ8−シクロアルキル、Ｃ6〜Ｃ14−アリール、５員ないし１４員のヘテロアリール、ＯＲa、ＯＣ（Ｏ）−Ｒa、Ｃ（Ｏ）−ＯＲa、Ｃ（Ｏ）−Ｒa、ＮＲaＲb、ＮＲa−Ｃ（Ｏ）Ｒb、Ｃ（Ｏ）−ＮＲaＲb、Ｎ［Ｃ（Ｏ）Ｒa］［Ｃ（Ｏ）Ｒb］、ＳＲa、Ｓｉ（ＲSia）（ＲSib）（ＲSic）、−Ｏ−Ｓｉ（ＲSia）（ＲSib）（ＲSic）、ハロゲン、ＣＮおよびＮＯ2からなる群から独立して選択される１個〜４０個の置換基で置換されていてよく、かつＣ1〜Ｃ100−アルキル、Ｃ2〜Ｃ100−アルケニルおよびＣ2〜Ｃ100−アルキニルの少なくとも２個のＣＨ2基であるが隣接していないＣＨ2基は、ＯまたはＳによって置き換えられてよく、
Ｃ5〜Ｃ12−シクロアルキルは、Ｃ1〜Ｃ60−アルキル、Ｃ2〜Ｃ60−アルケニル、Ｃ2〜Ｃ60−アルキニル、Ｃ5〜Ｃ8−シクロアルキル、Ｃ6〜Ｃ14−アリール、５員ないし１４員のヘテロアリール、ＯＲa、ＯＣ（Ｏ）−Ｒa、Ｃ（Ｏ）−ＯＲa、Ｃ（Ｏ）−Ｒa、ＮＲaＲb、ＮＲa−Ｃ（Ｏ）Ｒb、Ｃ（Ｏ）−ＮＲaＲb、Ｎ［Ｃ（Ｏ）Ｒa］［Ｃ（Ｏ）Ｒb］、ＳＲa、Ｓｉ（ＲSia）（ＲSib）（ＲSic）、−Ｏ−Ｓｉ（ＲSia）（ＲSib）（ＲSic）、ハロゲン、ＣＮおよびＮＯ2からなる群から独立して選択される１個〜６個の置換基で置換されていてよく、かつＣ5〜Ｃ12−シクロアルキルの１個または２個のＣＨ2基であるが隣接していないＣＨ2基は、Ｏ、Ｓ、ＯＣ（Ｏ）、ＣＯ、ＮＲaまたはＮＲa−ＣＯによって置き換えられてよく、
Ｃ6〜Ｃ18−アリールおよび５員ないし２０員のヘテロアリールは、Ｃ1〜Ｃ60−アルキル、Ｃ2〜Ｃ60−アルケニル、Ｃ2〜Ｃ60−アルキニル、Ｃ5〜Ｃ8−シクロアルキル、Ｃ6〜Ｃ14−アリール、５員ないし１４員のヘテロアリール、ＯＲa、ＯＣ（Ｏ）−Ｒa、Ｃ（Ｏ）−ＯＲa、Ｃ（Ｏ）−Ｒa、ＮＲaＲb、ＮＲa−Ｃ（Ｏ）Ｒb、Ｃ（Ｏ）−ＮＲaＲb、Ｎ［Ｃ（Ｏ）Ｒa］［Ｃ（Ｏ）Ｒb］、ＳＲa、Ｓｉ（ＲSia）（ＲSib）（ＲSic）、−Ｏ−Ｓｉ（ＲSia）（ＲSib）（ＲSic）、ハロゲン、ＣＮおよびＮＯ2からなる群から独立して選択される１個〜６個の置換基で置換されていてよく、
ここで、ＲaおよびＲbは、独立して、Ｈ、Ｃ1〜Ｃ60−アルキル、Ｃ2〜Ｃ60−アルケニル、Ｃ2〜Ｃ60−アルキニル、Ｃ5〜Ｃ8−シクロアルキル、Ｃ6〜Ｃ14−アリールおよび５員ないし１４員のヘテロアリールからなる群から選択され、
ＲSia、ＲSibおよびＲSicは、独立して、Ｈ、Ｃ1〜Ｃ60−アルキル、Ｃ2〜Ｃ60−アルケニル、Ｃ2〜Ｃ60−アルキニル、Ｃ5〜Ｃ8−シクロアルキル、Ｃ6〜Ｃ14−アリール、５員ないし１４員のヘテロアリール、Ｏ−Ｃ1〜Ｃ60−アルキル、Ｏ−Ｃ2〜Ｃ60−アルケニル、Ｏ−Ｃ2〜Ｃ60−アルキニル、Ｏ−Ｃ5〜Ｃ8−シクロアルキル、Ｏ−Ｃ6〜Ｃ14−アリール、Ｏ−５員ないし１４員のヘテロアリール、−［Ｏ−ＳｉＲSidＲSie］o−ＲSif、ＮＲ5Ｒ6、ハロゲンおよびＯ−Ｃ（Ｏ）−Ｒ5からなる群から選択され、
ここで、ｏは、１から５０までの整数であり、
ＲSid、ＲSieおよびＲSifは、独立して、Ｈ、Ｃ1〜Ｃ60−アルキル、Ｃ2〜Ｃ60−アルケニル、Ｃ2〜Ｃ60−アルキニル、Ｃ5〜Ｃ8−シクロアルキル、Ｃ6〜Ｃ14−アリール、５員ないし１４員のヘテロアリール、Ｏ−Ｃ1〜Ｃ60−アルキル、Ｏ−Ｃ2〜Ｃ60−アルケニル、Ｏ−Ｃ2〜Ｃ60−アルキニル、Ｏ−Ｃ5〜Ｃ8−シクロアルキル、Ｏ−Ｃ6〜Ｃ14−アリール、Ｏ−５員ないし１４員のヘテロアリール、−［Ｏ−ＳｉＲSigＲSih］p−ＲSii、ＮＲ50Ｒ60、ハロゲンおよびＯ−Ｃ（Ｏ）−Ｒ50からなる群から選択され、
ここで、ｐは、１から５０までの整数であり、
ＲSig、ＲSihおよびＲSiiは、独立して、Ｈ、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリール、５員ないし１０員のヘテロアリール、Ｏ−Ｃ1〜Ｃ30−アルキル、Ｏ−Ｃ2〜Ｃ30−アルケニル、Ｏ−Ｃ2〜Ｃ30−アルキニル、Ｏ−Ｃ5〜Ｃ6−シクロアルキル、Ｏ−Ｃ6〜Ｃ10−アリール、Ｏ−５員ないし１０員のヘテロアリール、Ｏ−Ｓｉ（ＣＨ3）3、ＮＲ500Ｒ600、ハロゲンおよびＯ−Ｃ（Ｏ）−Ｒ500からなる群から選択され、
Ｒ5、Ｒ6、Ｒ50、Ｒ60、Ｒ500およびＲ600は、独立して、Ｈ、Ｃ1〜Ｃ60−アルキル、Ｃ2〜Ｃ60−アルケニル、Ｃ2〜Ｃ60−アルキニル、Ｃ5〜Ｃ8−シクロアルキル、Ｃ6〜Ｃ14−アリールおよび５員ないし１４員のヘテロアリールからなる群から選択され、
Ｃ1〜Ｃ60−アルキル、Ｃ2〜Ｃ60−アルケニルおよびＣ2〜Ｃ60−アルキニルは、Ｃ5〜Ｃ6−シクロアルキル、Ｃ6〜Ｃ10−アリール、ＯＲc、ＯＣ（Ｏ）−Ｒc、Ｃ（Ｏ）−ＯＲc、Ｃ（Ｏ）−Ｒc、ＮＲcＲd、ＮＲc−Ｃ（Ｏ）Ｒd、Ｃ（Ｏ）−ＮＲcＲd、Ｎ［Ｃ（Ｏ）Ｒc］［Ｃ（Ｏ）Ｒd］、ＳＲc、Ｓｉ（ＲSij）（ＲSik）（ＲSil）、−Ｏ−Ｓｉ（ＲSij）（ＲSik）（ＲSil）、ハロゲン、ＣＮおよびＮＯ2からなる群から選択される１個〜２０個の置換基で置換されていてよく、かつＣ1〜Ｃ60−アルキル、Ｃ2〜Ｃ60−アルケニルおよびＣ2〜Ｃ60−アルキニルの少なくとも２個のＣＨ2基であるが隣接していないＣＨ2基は、ＯまたはＳによって置き換えられてよく、
Ｃ5〜Ｃ8−シクロアルキルは、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリール、ＯＲc、ＯＣ（Ｏ）−Ｒc、Ｃ（Ｏ）−ＯＲc、Ｃ（Ｏ）−Ｒc、ＮＲcＲd、ＮＲc−Ｃ（Ｏ）Ｒd、Ｃ（Ｏ）−ＮＲcＲd、Ｎ［Ｃ（Ｏ）Ｒc］［Ｃ（Ｏ）Ｒd］、ＳＲc、Ｓｉ（ＲSij）（ＲSik）（ＲSil）、−Ｏ−Ｓｉ（ＲSij）（ＲSik）（ＲSil）、ハロゲン、ＣＮおよびＮＯ2からなる群から選択される１個〜５個の置換基で置換されていてよく、かつＣ5〜Ｃ8−シクロアルキルの１個または２個のＣＨ2基であるが隣接していないＣＨ2基は、Ｏ、Ｓ、ＯＣ（Ｏ）、ＣＯ、ＮＲcまたはＮＲc−ＣＯによって置き換えられてよく、
Ｃ6〜Ｃ14−アリールおよび５員ないし１４員のヘテロアリールは、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリール、ＯＲc、ＯＣ（Ｏ）−Ｒc、Ｃ（Ｏ）−ＯＲc、Ｃ（Ｏ）−Ｒc、ＮＲcＲd、ＮＲc−Ｃ（Ｏ）Ｒd、Ｃ（Ｏ）−ＮＲcＲd、Ｎ［Ｃ（Ｏ）Ｒc］［Ｃ（Ｏ）Ｒd］、ＳＲc、Ｓｉ（ＲSij）（ＲSik）（ＲSil）、−Ｏ−Ｓｉ（ＲSij）（ＲSik）（ＲSil）、ハロゲン、ＣＮおよびＮＯ2からなる群から独立して選択される１個〜５個の置換基で置換されていてよく、
ここで、ＲcおよびＲdは、独立して、Ｈ、Ｃ1〜Ｃ30−アルキル、Ｃ2〜Ｃ30−アルケニルおよびＣ2〜Ｃ30−アルキニルからなる群から選択され、
ＲSij、ＲSikおよびＲSilは、独立して、Ｈ、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリール、５員ないし１０員のヘテロアリール、Ｏ−Ｃ1〜Ｃ30−アルキル、Ｏ−Ｃ2〜Ｃ30−アルケニル、Ｏ−Ｃ2〜Ｃ30−アルキニル、Ｏ−Ｃ5〜Ｃ6−シクロアルキル、Ｏ−Ｃ6〜Ｃ10−アリール、Ｏ−５員ないし１０員のヘテロアリール、−［Ｏ−ＳｉＲSimＲSin］q−ＲSio、ＮＲ7Ｒ8、ハロゲンおよびＯ−Ｃ（Ｏ）−Ｒ7からなる群から選択され、
ここで、ｑは、１から５０までの整数であり、
ＲSim、ＲSinおよびＲSioは、独立して、Ｈ、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリール、５員ないし１０員のヘテロアリール、Ｏ−Ｃ1〜Ｃ30−アルキル、Ｏ−Ｃ2〜Ｃ30−アルケニル、Ｏ−Ｃ2〜Ｃ30−アルキニル、Ｏ−Ｃ5〜Ｃ6−シクロアルキル、Ｏ−Ｃ6〜Ｃ10−アリール、Ｏ−５員ないし１０員のヘテロアリール、−［Ｏ−ＳｉＲSipＲSiq］r−ＲSir、ＮＲ70Ｒ80、ハロゲンおよびＯ−Ｃ（Ｏ）−Ｒ70からなる群から選択され、
ここで、ｒは、１から５０までの整数であり、
ＲSip、ＲSiqおよびＲSirは、独立して、Ｈ、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリール、５員ないし１０員のヘテロアリール、Ｏ−Ｃ1〜Ｃ30−アルキル、Ｏ−Ｃ2〜Ｃ30−アルケニル、Ｏ−Ｃ2〜Ｃ30−アルキニル、Ｏ−Ｃ5〜Ｃ6−シクロアルキル、Ｏ−Ｃ6〜Ｃ10−アリール、Ｏ−５員ないし１０員のヘテロアリール、Ｏ−Ｓｉ（ＣＨ3）3、ＮＲ700Ｒ800、ハロゲンおよびＯ−Ｃ（Ｏ）−Ｒ700からなる群から選択され、
Ｒ7、Ｒ8、Ｒ70、Ｒ80、Ｒ700およびＲ800は、独立して、Ｈ、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリールおよび５員ないし１０員のヘテロアリールからなる群から選択され、
Ｃ1〜Ｃ30−アルキル、Ｃ2〜Ｃ30−アルケニルおよびＣ2〜Ｃ30−アルキニルは、ハロゲン、ＣＮおよびＮＯ2からなる群から選択される１個〜１０個の置換基で置換されていてよく、かつ
Ｒ2は、それぞれの場合に、Ｃ1〜Ｃ30−アルキル、Ｃ2〜Ｃ30−アルケニル、Ｃ2〜Ｃ30−アルキニル、Ｃ5〜Ｃ12−シクロアルキル、Ｃ6〜Ｃ18−アリール、５員ないし２０員のヘテロアリール、ＯＲ21、ＯＣ（Ｏ）−Ｒ21、Ｃ（Ｏ）−ＯＲ21、Ｃ（Ｏ）−Ｒ21、ＮＲ21Ｒ22、ＮＲ21−Ｃ（Ｏ）Ｒ22、Ｃ（Ｏ）−ＮＲ21Ｒ22、Ｎ［Ｃ（Ｏ）Ｒ21］［Ｃ（Ｏ）Ｒ22］、ＳＲ21、ハロゲン、ＣＮ、ＳｉＲSisＲSitＲSiuおよびＯＨからなる群から選択され、
ここで、Ｒ21およびＲ22は、独立して、Ｈ、Ｃ1〜Ｃ30−アルキル、Ｃ2〜Ｃ30−アルケニル、Ｃ2〜Ｃ30−アルキニル、Ｃ5〜Ｃ12−シクロアルキル、Ｃ6〜Ｃ18−アリールおよび５員ないし２０員のヘテロアリールからなる群から選択され、かつ
Ｃ1〜Ｃ30−アルキル、Ｃ2〜Ｃ30−アルケニルおよびＣ2〜Ｃ30−アルキニルは、Ｃ5〜Ｃ8−シクロアルキル、Ｃ6〜Ｃ14−アリール、５員ないし１４員のヘテロアリール、ＯＲe、ＯＣ（Ｏ）−Ｒe、Ｃ（Ｏ）−ＯＲe、Ｃ（Ｏ）−Ｒe、ＮＲeＲf、ＮＲe−Ｃ（Ｏ）Ｒf、Ｃ（Ｏ）−ＮＲeＲf、Ｎ［Ｃ（Ｏ）Ｒe］［Ｃ（Ｏ）Ｒf］、ＳＲe、ハロゲン、ＣＮ、ＳｉＲSisＲSitＲSiuおよびＮＯ2からなる群から独立して選択される１個〜１０個の置換基で置換されていてよく、かつＣ1〜Ｃ30−アルキル、Ｃ2〜Ｃ30−アルケニルおよびＣ2〜Ｃ30−アルキニルの少なくとも２個のＣＨ2基であるが隣接していないＣＨ2基は、ＯまたはＳによって置き換えられてよく、
Ｃ5〜Ｃ12−シクロアルキルは、Ｃ1〜Ｃ20−アルキル、Ｃ2〜Ｃ20−アルケニルおよびＣ2〜Ｃ20−アルキニル、Ｃ5〜Ｃ8−シクロアルキル、Ｃ6〜Ｃ14−アリール、５員ないし１４員のヘテロアリール、ＯＲe、ＯＣ（Ｏ）−Ｒe、Ｃ（Ｏ）−ＯＲe、Ｃ（Ｏ）−Ｒe、ＮＲeＲf、ＮＲe−Ｃ（Ｏ）Ｒf、Ｃ（Ｏ）−ＮＲeＲf、Ｎ［Ｃ（Ｏ）Ｒe］［Ｃ（Ｏ）Ｒf］、ＳＲe、ハロゲン、ＣＮ、ＳｉＲSisＲSitＲSiuおよびＮＯ2からなる群から独立して選択される１個〜６個の置換基で置換されていてよく、かつＣ5〜Ｃ12−シクロアルキルの１個または２個のＣＨ2基であるが隣接していないＣＨ2基は、Ｏ、Ｓ、ＯＣ（Ｏ）、ＣＯ、ＮＲeまたはＮＲe−ＣＯによって置き換えられてよく、
Ｃ6〜Ｃ18−アリールおよび５員ないし２０員のヘテロアリールは、Ｃ1〜Ｃ20−アルキル、Ｃ2〜Ｃ20−アルケニル、Ｃ2〜Ｃ20−アルキニル、Ｃ5〜Ｃ8−シクロアルキル、Ｃ6〜Ｃ14−アリール、５員ないし１４員のヘテロアリール、ＯＲe、ＯＣ（Ｏ）−Ｒe、Ｃ（Ｏ）−ＯＲe、Ｃ（Ｏ）−Ｒe、ＮＲeＲf、ＮＲe−Ｃ（Ｏ）Ｒf、Ｃ（Ｏ）−ＮＲeＲf、Ｎ［Ｃ（Ｏ）Ｒe］［Ｃ（Ｏ）Ｒf］、ＳＲe、ハロゲン、ＣＮ、ＳｉＲSisＲSitＲSiuおよびＮＯ2からなる群から独立して選択される１個〜６個の置換基で置換されていてよく、
ここで、ＲSis、ＲSitおよびＲSiuは、互いに独立して、Ｈ、Ｃ1〜Ｃ20−アルキル、Ｃ2〜Ｃ20−アルケニル、Ｃ2〜Ｃ20−アルキニル、Ｃ5〜Ｃ6−シクロアルキル、フェニルおよびＯ−Ｓｉ（ＣＨ3）3からなる群から選択され、
ＲeおよびＲfは、独立して、Ｈ、Ｃ1〜Ｃ20−アルキル、Ｃ2〜Ｃ20−アルケニル、Ｃ2〜Ｃ20−アルキニル、Ｃ5〜Ｃ8−シクロアルキル、Ｃ6〜Ｃ14−アリールおよび５員ないし１４員のヘテロアリールからなる群から選択され、
ここで、Ｃ1〜Ｃ20−アルキル、Ｃ2〜Ｃ20−アルケニルおよびＣ2〜Ｃ20−アルキニルは、Ｃ5〜Ｃ6−シクロアルキル、Ｃ6〜Ｃ10−アリール、５員ないし１０員のヘテロアリール、ＯＲg、ＯＣ（Ｏ）−Ｒg、Ｃ（Ｏ）−ＯＲg、Ｃ（Ｏ）−Ｒg、ＮＲgＲh、ＮＲg−Ｃ（Ｏ）Ｒh、Ｃ（Ｏ）−ＮＲgＲh、Ｎ［Ｃ（Ｏ）Ｒg］［Ｃ（Ｏ）Ｒh］、ＳＲg、ハロゲン、ＣＮおよびＮＯ2からなる群から選択される１個〜５個の置換基で置換されていてよく、
Ｃ5〜Ｃ8−シクロアルキルは、Ｃ1〜Ｃ10−アルキル、Ｃ2〜Ｃ10−アルケニル、Ｃ2〜Ｃ10−アルキニル、Ｃ5〜Ｃ6−シクロアルキル、Ｃ6〜Ｃ10−アリール、５員ないし１０員のヘテロアリール、ＯＲg、ＯＣ（Ｏ）−Ｒg、Ｃ（Ｏ）−ＯＲg、Ｃ（Ｏ）−Ｒg、ＮＲgＲh、ＮＲg−Ｃ（Ｏ）Ｒh、Ｃ（Ｏ）−ＮＲgＲh、Ｎ［Ｃ（Ｏ）Ｒg］［Ｃ（Ｏ）Ｒh］、ＳＲg、ハロゲン、ＣＮおよびＮＯ2からなる群から選択される１個〜５個の置換基で置換されていてよく、
Ｃ6〜Ｃ14−アリールおよび５員ないし１４員のヘテロアリールは、Ｃ1〜Ｃ10−アルキル、Ｃ2〜Ｃ10−アルケニル、Ｃ2〜Ｃ10−アルキニル、Ｃ5〜Ｃ6−シクロアルキル、Ｃ6〜Ｃ10−アリール、５員ないし１０員のヘテロアリール、ＯＲg、ＯＣ（Ｏ）−Ｒg、Ｃ（Ｏ）−ＯＲg、Ｃ（Ｏ）−Ｒg、ＮＲgＲh、ＮＲg−Ｃ（Ｏ）Ｒh、Ｃ（Ｏ）−ＮＲgＲh、Ｎ［Ｃ（Ｏ）Ｒg］［Ｃ（Ｏ）Ｒh］、ＳＲg、ハロゲン、ＣＮおよびＮＯ2からなる群から独立して選択される１個〜５個の置換基で置換されていてよく、
ここで、ＲgおよびＲhは、独立して、Ｈ、Ｃ1〜Ｃ10−アルキル、Ｃ2〜Ｃ10−アルケニルおよびＣ2〜Ｃ10−アルキニルからなる群から選択され、
ここで、Ｃ1〜Ｃ10−アルキル、Ｃ2〜Ｃ10−アルケニルおよびＣ2〜Ｃ10−アルキニルは、ハロゲン、ＣＮおよびＮＯ2からなる群から選択される１個〜５個の置換基で置換されていてよい］の単位である少なくとも１つの単位を含む本発明の化合物は、
式（２）：
【化６５】
2017523281.tif 000067
［式中、Ｙは、それぞれの場合に、Ｉ、Ｂｒ、ＣｌまたはＯ−Ｓ（Ｏ）2ＣＦ3であり、かつＸ1、Ｘ2、Ｘ3、ＡおよびＢは、前記定義の通りである］の化合物を、
式（７）：
【化６６】
2017523281.tif 000068
［式中、Ｘ1、Ｘ2、Ｘ3、ＡおよびＢは、式（１−ＩＩ）の化合物について定義した通りであり、かつ
ＺaおよびＺbは、独立して、Ｂ（ＯＺ1）（ＯＺ2）、ＳｎＺ1Ｚ2Ｚ3、
【化６７】
2017523281.tif 000069
からなる群から選択され、
ここで、Ｚ1、Ｚ2、Ｚ3、Ｚ4、Ｚ5およびＺ6は、互いに独立して、かつそれぞれの場合に、ＨまたはＣ1〜Ｃ4−アルキルである］の化合物で処理することによって製造することができる。
【００６９】
ＺaおよびＺbが、独立して、Ｂ（ＯＺ1）（ＯＺ2）、
【化６８】
2017523281.tif 000070
［式中、Ｚ1、Ｚ2、Ｚ3、Ｚ4、Ｚ5およびＺ6は、互いに独立して、かつそれぞれの場合に、ＨまたはＣ1〜Ｃ4−アルキルである］からなる群から選択される場合に、
前記反応は、通常は、触媒、好ましくはＰｄ触媒、例えばＰｄ（Ｐ（Ｐｈ）3）4、Ｐｄ（ＯＡｃ）2およびＰｄ2（ｄｂａ）3ならびに塩基、例えばＫ3ＰＯ4、Ｎａ2ＣＯ3、Ｋ2ＣＯ3、ＬｉＯＨおよびＮａＯＭｅの存在下で実施される。Ｐｄ触媒に応じて、該反応は、ホスフィン配位子、例えばＰ（Ｐｈ）3、Ｐ（ｏ−トリル）3およびＰ（ｔ−Ｂｕ）3の存在を必要とすることもある。該反応は、また通常は、高められた温度で、例えば４０℃〜２５０℃の、好ましくは６０℃〜２００℃の範囲内の温度で実施される。該反応は、適切な溶剤、例えばテトラヒドロフラン、トルエンまたはクロロベンゼンの存在下で実施することができる。該反応は、通常は不活性ガス下で行われる。
【００７０】
ＺaおよびＺbが独立してＳｎＺ1Ｚ2Ｚ3であって、ここで、Ｚ1、Ｚ2およびＺ3が互いに独立してＣ1〜Ｃ4−アルキルである場合に、該反応は、通常は、触媒、好ましくはＰｄ触媒、例えばＰｄ（Ｐ（Ｐｈ）3）4およびＰｄ2（ｄｂａ）3の存在下で行われる。Ｐｄ触媒に応じて、該反応は、ホスフィン配位子、例えばＰ（Ｐｈ）3、Ｐ（ｏ−トリル）3およびＰ（ｔ−Ｂｕ）3の存在を必要とすることもある。該反応は、また通常は、高められた温度で、例えば４０℃〜２５０℃の、好ましくは６０℃〜２００℃の範囲内の温度で実施される。該反応は、適切な溶剤、例えばトルエンまたはクロロベンゼンの存在下で実施することができる。該反応は、通常は不活性ガス下で行われる。
【００７１】
式（２）の化合物は、当該技術分野で公知の方法によって製造することができる。
【００７２】
例えば、式（２）で示され、その式中、
Ｘ1はＳであり、かつＸ2およびＸ3はＮＲ1であり、
Ａは、
【化６９】
2017523281.tif 000071
であり、
ここで、Ｘ4は、Ｓであり、かつ
Ａ１は、置換されておらず、
Ｂは、
【化７０】
2017523281.tif 000072
であり、
ここで、Ｘ5およびＸ6は、Ｓであり、かつ
Ｂ２は、置換されておらず、かつ
Ｒ1は、それぞれの場合に、非置換のＣ1〜Ｃ36−アルキルであり、
かつ式（２−Ｉ）：
【化７１】
2017523281.tif 000073
［式中、Ｙは、Ｉ、Ｂｒ、ＣｌまたはＯ−トリフレートであり、かつＲ1は、それぞれの場合に、非置換のＣ1〜Ｃ36−アルキルである］で示される化合物は、
式（３）：
【化７２】
2017523281.tif 000074
［式中、Ｒ1は、それぞれの場合に、非置換のＣ1〜Ｃ36−アルキルである］の化合物を、
Ｙ−供与体で処理することによって製造することができる。
【００７３】
例えば、ＹがＢｒである場合に、Ｙ−供与体は、Ｎ−ブロモスクシンイミドであってよい。Ｙ−供与体としてＮ−ブロモスクシンイミドを使用する場合に、該反応は、０℃で溶剤としてＴＨＦの存在下で実施することができる。
【００７４】
式（３）で示され、その式中、Ｒ1がそれぞれの場合に非置換のＣ1〜Ｃ36−アルキルである化合物は、式（４）：
【化７３】
2017523281.tif 000075
［式中、Ｒ1は、それぞれの場合に、非置換のＣ1〜Ｃ36−アルキルである］の化合物を、ラウェッソン試薬（Ｌａｗｅｓｓｏｎ’ｓ  ｒｅａｇｅｎｔ）で処理することによって製造することができる。
【００７５】
該反応は、通常は、ｏ−キシレンのような適切な溶剤および４０℃〜１００℃の範囲内のような適切な温度で実施される。
【００７６】
式（４）で示され、その式中、Ｒ1がそれぞれの場合に非置換のＣ1〜Ｃ36−アルキルである化合物は、式（５）：
【化７４】
2017523281.tif 000076
［式中、Ｒ1は、それぞれの場合に、非置換のＣ1〜Ｃ36−アルキルである］の化合物を、塩化ジオキサリルで処理することによって製造することができる。
【００７７】
該反応は、通常は、ＤＣＭのような適切な溶剤および−４０℃〜０℃の範囲内のような適切な温度で実施される。
【００７８】
式（５）で示され、その式中、Ｒ1がそれぞれの場合に非置換のＣ1〜Ｃ36−アルキルである化合物は、式（６）：
【化７５】
2017523281.tif 000077
［式中、ＬＧは、Ｉ、Ｂｒ、ＣｌまたはＦである］の化合物を、ＨＮＲ1で処理することによって製造することができる。
【００７９】
該反応は、通常は、触媒、好ましくは銅触媒の存在下で実施される。該反応は、通常は、４０℃〜１６０℃の範囲内のような高められた温度で実施される。
【００８０】
式：
【化７６】
2017523281.tif 000078
［式中、Ｘ1、Ｘ2およびＸ3は、互いに独立して、Ｏ、ＳまたはＮＲ1であり、
Ａは、
【化７７】
2017523281.tif 000079
からなる群から選択され、
Ｂは、
【化７８】
2017523281.tif 000080
からなる群から選択され、
ここで、Ｘ4、Ｘ5およびＸ6は、互いに独立して、Ｏ、ＳまたはＮＲ1であり、
Ａ１、Ａ２、Ａ３、Ｂ１、Ｂ２、Ｂ３、Ｂ４、Ｂ５、Ｂ６またはＢ７は、１個〜３個の置換基Ｒ2で置換されていてよく、
Ｒ1は、それぞれの場合に、Ｈ、Ｃ1〜Ｃ100−アルキル、Ｃ2〜Ｃ100−アルケニル、Ｃ2〜Ｃ100−アルキニル、Ｃ5〜Ｃ12−シクロアルキル、Ｃ6〜Ｃ18−アリール、５員ないし２０員のヘテロアリール、Ｃ（Ｏ）−Ｃ1〜Ｃ100−アルキル、Ｃ（Ｏ）−Ｃ5〜Ｃ12−シクロアルキルおよびＣ（Ｏ）−ＯＣ1〜Ｃ100−アルキルからなる群から選択され、
ここで、Ｃ1〜Ｃ100−アルキル、Ｃ2〜Ｃ100−アルケニルおよびＣ2〜Ｃ100−アルキニルは、Ｃ5〜Ｃ8−シクロアルキル、Ｃ6〜Ｃ14−アリール、５員ないし１４員のヘテロアリール、ＯＲa、ＯＣ（Ｏ）−Ｒa、Ｃ（Ｏ）−ＯＲa、Ｃ（Ｏ）−Ｒa、ＮＲaＲb、ＮＲa−Ｃ（Ｏ）Ｒb、Ｃ（Ｏ）−ＮＲaＲb、Ｎ［Ｃ（Ｏ）Ｒa］［Ｃ（Ｏ）Ｒb］、ＳＲa、Ｓｉ（ＲSia）（ＲSib）（ＲSic）、−Ｏ−Ｓｉ（ＲSia）（ＲSib）（ＲSic）、ハロゲン、ＣＮおよびＮＯ2からなる群から独立して選択される１個〜４０個の置換基で置換されていてよく、かつＣ1〜Ｃ100−アルキル、Ｃ2〜Ｃ100−アルケニルおよびＣ2〜Ｃ100−アルキニルの少なくとも２個のＣＨ2基であるが隣接していないＣＨ2基は、ＯまたはＳによって置き換えられてよく、
Ｃ5〜Ｃ12−シクロアルキルは、Ｃ1〜Ｃ60−アルキル、Ｃ2〜Ｃ60−アルケニル、Ｃ2〜Ｃ60−アルキニル、Ｃ5〜Ｃ8−シクロアルキル、Ｃ6〜Ｃ14−アリール、５員ないし１４員のヘテロアリール、ＯＲa、ＯＣ（Ｏ）−Ｒa、Ｃ（Ｏ）−ＯＲa、Ｃ（Ｏ）−Ｒa、ＮＲaＲb、ＮＲa−Ｃ（Ｏ）Ｒb、Ｃ（Ｏ）−ＮＲaＲb、Ｎ［Ｃ（Ｏ）Ｒa］［Ｃ（Ｏ）Ｒb］、ＳＲa、Ｓｉ（ＲSia）（ＲSib）（ＲSic）、−Ｏ−Ｓｉ（ＲSia）（ＲSib）（ＲSic）、ハロゲン、ＣＮおよびＮＯ2からなる群から独立して選択される１個〜６個の置換基で置換されていてよく、かつＣ5〜Ｃ12−シクロアルキルの１個または２個のＣＨ2基であるが隣接していないＣＨ2基は、Ｏ、Ｓ、ＯＣ（Ｏ）、ＣＯ、ＮＲaまたはＮＲa−ＣＯによって置き換えられてよく、
Ｃ6〜Ｃ18−アリールおよび５員ないし２０員のヘテロアリールは、Ｃ1〜Ｃ60−アルキル、Ｃ2〜Ｃ60−アルケニル、Ｃ2〜Ｃ60−アルキニル、Ｃ5〜Ｃ8−シクロアルキル、Ｃ6〜Ｃ14−アリール、５員ないし１４員のヘテロアリール、ＯＲa、ＯＣ（Ｏ）−Ｒa、Ｃ（Ｏ）−ＯＲa、Ｃ（Ｏ）−Ｒa、ＮＲaＲb、ＮＲa−Ｃ（Ｏ）Ｒb、Ｃ（Ｏ）−ＮＲaＲb、Ｎ［Ｃ（Ｏ）Ｒa］［Ｃ（Ｏ）Ｒb］、ＳＲa、Ｓｉ（ＲSia）（ＲSib）（ＲSic）、−Ｏ−Ｓｉ（ＲSia）（ＲSib）（ＲSic）、ハロゲン、ＣＮおよびＮＯ2からなる群から独立して選択される１個〜６個の置換基で置換されていてよく、
ここで、ＲaおよびＲbは、独立して、Ｈ、Ｃ1〜Ｃ60−アルキル、Ｃ2〜Ｃ60−アルケニル、Ｃ2〜Ｃ60−アルキニル、Ｃ5〜Ｃ8−シクロアルキル、Ｃ6〜Ｃ14−アリールおよび５員ないし１４員のヘテロアリールからなる群から選択され、
ＲSia、ＲSibおよびＲSicは、独立して、Ｈ、Ｃ1〜Ｃ60−アルキル、Ｃ2〜Ｃ60−アルケニル、Ｃ2〜Ｃ60−アルキニル、Ｃ5〜Ｃ8−シクロアルキル、Ｃ6〜Ｃ14−アリール、５員ないし１４員のヘテロアリール、Ｏ−Ｃ1〜Ｃ60−アルキル、Ｏ−Ｃ2〜Ｃ60−アルケニル、Ｏ−Ｃ2〜Ｃ60−アルキニル、Ｏ−Ｃ5〜Ｃ8−シクロアルキル、Ｏ−Ｃ6〜Ｃ14−アリール、Ｏ−５員ないし１４員のヘテロアリール、−［Ｏ−ＳｉＲSidＲSie］o−ＲSif、ＮＲ5Ｒ6、ハロゲンおよびＯ−Ｃ（Ｏ）−Ｒ5からなる群から選択され、
ここで、ｏは、１から５０までの整数であり、
ＲSid、ＲSieおよびＲSifは、独立して、Ｈ、Ｃ1〜Ｃ60−アルキル、Ｃ2〜Ｃ60−アルケニル、Ｃ2〜Ｃ60−アルキニル、Ｃ5〜Ｃ8−シクロアルキル、Ｃ6〜Ｃ14−アリール、５員ないし１４員のヘテロアリール、Ｏ−Ｃ1〜Ｃ60−アルキル、Ｏ−Ｃ2〜Ｃ60−アルケニル、Ｏ−Ｃ2〜Ｃ60−アルキニル、Ｏ−Ｃ5〜Ｃ8−シクロアルキル、Ｏ−Ｃ6〜Ｃ14−アリール、Ｏ−５員ないし１４員のヘテロアリール、−［Ｏ−ＳｉＲSigＲSih］p−ＲSii、ＮＲ50Ｒ60、ハロゲンおよびＯ−Ｃ（Ｏ）−Ｒ50からなる群から選択され、
ここで、ｐは、１から５０までの整数であり、
ＲSig、ＲSihおよびＲSiiは、独立して、Ｈ、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリール、５員ないし１０員のヘテロアリール、Ｏ−Ｃ1〜Ｃ30−アルキル、Ｏ−Ｃ2〜Ｃ30−アルケニル、Ｏ−Ｃ2〜Ｃ30−アルキニル、Ｏ−Ｃ5〜Ｃ6−シクロアルキル、Ｏ−Ｃ6〜Ｃ10−アリール、Ｏ−５員ないし１０員のヘテロアリール、Ｏ−Ｓｉ（ＣＨ3）3、ＮＲ500Ｒ600、ハロゲンおよびＯ−Ｃ（Ｏ）−Ｒ500からなる群から選択され、
Ｒ5、Ｒ6、Ｒ50、Ｒ60、Ｒ500およびＲ600は、独立して、Ｈ、Ｃ1〜Ｃ60−アルキル、Ｃ2〜Ｃ60−アルケニル、Ｃ2〜Ｃ60−アルキニル、Ｃ5〜Ｃ8−シクロアルキル、Ｃ6〜Ｃ14−アリールおよび５員ないし１４員のヘテロアリールからなる群から選択され、
Ｃ1〜Ｃ60−アルキル、Ｃ2〜Ｃ60−アルケニルおよびＣ2〜Ｃ60−アルキニルは、Ｃ5〜Ｃ6−シクロアルキル、Ｃ6〜Ｃ10−アリール、ＯＲc、ＯＣ（Ｏ）−Ｒc、Ｃ（Ｏ）−ＯＲc、Ｃ（Ｏ）−Ｒc、ＮＲcＲd、ＮＲc−Ｃ（Ｏ）Ｒd、Ｃ（Ｏ）−ＮＲcＲd、Ｎ［Ｃ（Ｏ）Ｒc］［Ｃ（Ｏ）Ｒd］、ＳＲc、Ｓｉ（ＲSij）（ＲSik）（ＲSil）、−Ｏ−Ｓｉ（ＲSij）（ＲSik）（ＲSil）、ハロゲン、ＣＮおよびＮＯ2からなる群から選択される１個〜２０個の置換基で置換されていてよく、かつＣ1〜Ｃ60−アルキル、Ｃ2〜Ｃ60−アルケニルおよびＣ2〜Ｃ60−アルキニルの少なくとも２個のＣＨ2基であるが隣接していないＣＨ2基は、ＯまたはＳによって置き換えられてよく、
Ｃ5〜Ｃ8−シクロアルキルは、Ｃ1〜Ｃ30−アルキル、Ｃ2〜Ｃ30−アルケニル、Ｃ2〜Ｃ30−アルキニル、Ｃ5〜Ｃ6−シクロアルキル、Ｃ6〜Ｃ10−アリール、ＯＲc、ＯＣ（Ｏ）−Ｒc、Ｃ（Ｏ）−ＯＲc、Ｃ（Ｏ）−Ｒc、ＮＲcＲd、ＮＲc−Ｃ（Ｏ）Ｒd、Ｃ（Ｏ）−ＮＲcＲd、Ｎ［Ｃ（Ｏ）Ｒc］［Ｃ（Ｏ）Ｒd］、ＳＲc、Ｓｉ（ＲSij）（ＲSik）（ＲSil）、−Ｏ−Ｓｉ（ＲSij）（ＲSik）（ＲSil）、ハロゲン、ＣＮおよびＮＯ2からなる群から選択される１個〜５個の置換基で置換されていてよく、かつＣ5〜Ｃ8−シクロアルキルの１個または２個のＣＨ2基であるが隣接していないＣＨ2基は、Ｏ、Ｓ、ＯＣ（Ｏ）、ＣＯ、ＮＲcまたはＮＲc−ＣＯによって置き換えられてよく、
Ｃ6〜Ｃ14−アリールおよび５員ないし１４員のヘテロアリールは、Ｃ1〜Ｃ30−アルキル、Ｃ2〜Ｃ30−アルケニル、Ｃ2〜Ｃ